(57)【要約】メディア記録ＭＭＴフォーマット音声データが、ＭＰＥＧ４  ＡＡＣ  ＬＣ音声データか、ＭＰＥＧ４  ＡＬＳ音声データかを迅速に確認可能とした構成を実現する。メディアに記録するＭＭＴフォーマット音声データが、ＭＰＥＧ４  ＡＡＣ  ＬＣ音声データであるか、ＭＰＥＧ４  ＡＬＳ音声データであるかを示す音声識別情報を記録したクリップ情報ファイルを生成してメディアに記録する。再生装置は、クリップ情報ファイルに記録された音声識別情報に基づいて、再生対象とする音声データが、ＭＰＥＧ４  ＡＡＣ  ＬＣ音声データであるか、ＭＰＥＧ４  ＡＬＳ音声データであるかを識別し、迅速な復号、再生を行うことができる。
2018216424.tif 000002
【特許請求の範囲】
【請求項１】
ＭＭＴフォーマットデータを入力し、情報記録媒体に対するデータ記録フォーマットであるＢＤＡＶフォーマット、またはＳＰＡＶフォーマットに従った記録データを生成するデータ処理部を有し、
前記データ処理部は、
情報記録媒体に記録する音声データが、
（ａ）ＭＰＥＧ４  ＡＡＣ  ＬＣ（ＬＡＴＭ／ＬＯＡＳ）符号化音声データ、
（ｂ）ＭＰＥＧ４  ＡＬＳ（ＬＡＴＭ／ＬＯＡＳ）符号化音声データ、
上記（ａ），（ｂ）いずれの音声データであるかを識別可能とした音声識別情報をＢＤＡＶフォーマット、またはＳＰＡＶフォーマット規定のデータベースファイルに記録する処理を実行する情報処理装置。
【請求項２】
前記データ処理部は、
前記音声識別情報をクリップ情報ファイルに記録する請求項１に記載の情報処理装置。
【請求項３】
前記データ処理部は、
音声データ格納パケットから前記音声識別情報を抽出して、前記データベースファイルに記録する請求項１に記載の情報処理装置。
【請求項４】
前記データ処理部は、
音声データ格納パケット内に記録された音声オブジェクトタイプ（ａｕｄｉｏＯｂｊｅｃｔＴｙｐｅ）を抽出して、前記音声識別情報として前記データベースファイルに記録する請求項１に記載の情報処理装置。
【請求項５】
前記データ処理部は、
ＭＭＴパッケージテーブル（ＭＰＴ）から前記音声識別情報を抽出して、前記データベースファイルに記録する請求項１に記載の情報処理装置。
【請求項６】
前記データ処理部は、
ＭＭＴパッケージテーブル（ＭＰＴ）に記録されたストリームコンテンツ（ｓｔｒｅａｍ＿ｃｏｎｔｅｎｔ）を抽出して、前記音声識別情報として前記データベースファイルに記録する請求項１に記載の情報処理装置。
【請求項７】
前記データ処理部は、
前記音声識別情報をクリップ情報ファイルのストリームコーディング情報［ＳｔｒｅａｍＣｏｄｉｎｇＩｎｆｏ］記録領域の同じコーディングタイプ（ｓｔｒｅａｍ＿ｃｏｄｉｎｇ＿ｔｙｐｅ）の属性情報記録領域に、
（ａ）ＭＰＥＧ４  ＡＡＣ  ＬＣ（ＬＡＴＭ／ＬＯＡＳ）符号化音声データ、
（ｂ）ＭＰＥＧ４  ＡＬＳ（ＬＡＴＭ／ＬＯＡＳ）符号化音声データ、
上記（ａ），（ｂ）いずれの音声データであるかを識別可能とした音声識別情報を記録する請求項１に記載の情報処理装置。
【請求項８】
前記同じコーディングタイプ（ｓｔｒｅａｍ＿ｃｏｄｉｎｇ＿ｔｙｐｅ）は、０ｘ１１である請求項７に記載の情報処理装置。
【請求項９】
情報記録媒体の記録データの再生処理を実行するデータ処理部を有し、
前記情報記録媒体は、ＭＭＴフォーマットデータを、ＢＤＡＶフォーマット、またはＳＰＡＶフォーマットに従って記録したデータを格納した情報記録媒体であり、
前記データ処理部は、
ＢＤＡＶフォーマット、またはＳＰＡＶフォーマット規定のデータベースファイルであるプレイリストファイルとクリップ情報ファイルの記録情報を利用して、前記情報記録媒体に記録されたＭＭＴフォーマットデータの再生処理を実行する構成であり、
前記データ処理部は、
再生対象の音声データが、
（ａ）ＭＰＥＧ４  ＡＡＣ  ＬＣ（ＬＡＴＭ／ＬＯＡＳ）符号化音声データ、
（ｂ）ＭＰＥＧ４  ＡＬＳ（ＬＡＴＭ／ＬＯＡＳ）符号化音声データ、
上記（ａ），（ｂ）いずれのデータであるかを示す音声識別情報を、前記データベースファイルから取得し、取得情報に従って音声データの復号処理を実行する情報処理装置。
【請求項１０】
前記データ処理部は、
前記音声識別情報をクリップ情報ファイルから取得する請求項９に記載の情報処理装置。
【請求項１１】
前記データ処理部は、
前記音声識別情報をクリップ情報ファイルのストリームコーディング情報［ＳｔｒｅａｍＣｏｄｉｎｇＩｎｆｏ］記録領域の同じコーディングタイプ（ｓｔｒｅａｍ＿ｃｏｄｉｎｇ＿ｔｙｐｅ）の属性情報記録領域から取得する請求項９に記載の情報処理装置。
【請求項１２】
前記同じコーディングタイプ（ｓｔｒｅａｍ＿ｃｏｄｉｎｇ＿ｔｙｐｅ）は、０ｘ１１である請求項１１に記載の情報処理装置。
【請求項１３】
前記データ処理部は、
前記データベースファイルから取得した音声識別情報に基づいて、
再生可能な音声データが、
（ａ）ＭＰＥＧ４  ＡＡＣ  ＬＣ（ＬＡＴＭ／ＬＯＡＳ）符号化音声データ、
（ｂ）ＭＰＥＧ４  ＡＬＳ（ＬＡＴＭ／ＬＯＡＳ）符号化音声データ、
上記（ａ），（ｂ）の２種類のデータであると判定した場合、
再生対象とする音声データをユーザに選択させる表示情報を出力する請求項９に記載の情報処理装置。
【請求項１４】
前記データ処理部は、
前記表示情報に対するユーザ選択情報を入力し、入力した選択情報に従って、再生対象とする音声データを選択する請求項１３に記載の情報処理装置。
【請求項１５】
ＢＤＡＶフォーマット、またはＳＰＡＶフォーマットに従った記録データを記録した情報記録媒体であり、
情報記録媒体に記録された音声データが、
（ａ）ＭＰＥＧ４  ＡＡＣ  ＬＣ（ＬＡＴＭ／ＬＯＡＳ）符号化音声データ、
（ｂ）ＭＰＥＧ４  ＡＬＳ（ＬＡＴＭ／ＬＯＡＳ）符号化音声データ、
上記（ａ），（ｂ）いずれの音声データであるかを識別可能とした音声識別情報をＢＤＡＶフォーマット、またはＳＰＡＶフォーマット規定のデータベースファイルに記録した構成を有し、
再生装置が、前記データベースファイルに記録された音声識別情報に従って、再生対象とした音声データの種類を識別可能とした情報記録媒体。
【請求項１６】
ＢＤＡＶフォーマット、またはＳＰＡＶフォーマットに従った記録データが記録される情報記録媒体であり、
情報記録媒体に記録される音声データが、
（ａ）ＭＰＥＧ４  ＡＡＣ  ＬＣ（ＬＡＴＭ／ＬＯＡＳ）符号化音声データ、
（ｂ）ＭＰＥＧ４  ＡＬＳ（ＬＡＴＭ／ＬＯＡＳ）符号化音声データ、
上記（ａ），（ｂ）いずれの音声データであるかを識別可能とした音声識別情報を含むＢＤＡＶフォーマット、またはＳＰＡＶフォーマット規定のデータベースファイルを有し、
再生装置が、前記データベースファイルの音声識別情報に従って、再生対象とした音声データの種類を識別可能とした情報記録媒体。
【請求項１７】
情報処理装置において実行する情報処理方法であり、
前記情報処理装置は、
ＭＭＴフォーマットデータを入力し、情報記録媒体に対するデータ記録フォーマットであるＢＤＡＶフォーマット、またはＳＰＡＶフォーマットに従った記録データを生成するデータ処理部を有し、
前記データ処理部が、
情報記録媒体に記録する音声データが、
（ａ）ＭＰＥＧ４  ＡＡＣ  ＬＣ（ＬＡＴＭ／ＬＯＡＳ）符号化音声データ、
（ｂ）ＭＰＥＧ４  ＡＬＳ（ＬＡＴＭ／ＬＯＡＳ）符号化音声データ、
上記（ａ），（ｂ）いずれの音声データであるかを識別可能とした音声識別情報をＢＤＡＶフォーマット、またはＳＰＡＶフォーマット規定のデータベースファイルに記録する処理を実行する情報処理方法。
【請求項１８】
情報処理装置において実行する情報処理方法であり、
前記情報処理装置は、
情報記録媒体の記録データの再生処理を実行するデータ処理部を有し、
前記情報記録媒体は、ＭＭＴフォーマットデータを、ＢＤＡＶフォーマット、またはＳＰＡＶフォーマットに従って記録したデータを格納した情報記録媒体であり、
前記データ処理部が、
ＢＤＡＶフォーマット、またはＳＰＡＶフォーマット規定のデータベースファイルであるプレイリストファイルとクリップ情報ファイルの記録情報を利用して、前記情報記録媒体に記録されたＭＭＴフォーマットデータの再生処理を実行し、
前記再生処理に際して、再生対象の音声データが、
（ａ）ＭＰＥＧ４  ＡＡＣ  ＬＣ（ＬＡＴＭ／ＬＯＡＳ）符号化音声データ、
（ｂ）ＭＰＥＧ４  ＡＬＳ（ＬＡＴＭ／ＬＯＡＳ）符号化音声データ、
上記（ａ），（ｂ）いずれのデータであるかを示す音声識別情報を、前記データベースファイルから取得し、取得情報に従って音声データの復号処理を実行する情報処理方法。
【請求項１９】
情報処理装置において実行する情報処理を実行させるプログラムであり、
前記情報処理装置は、
ＭＭＴフォーマットデータを入力し、情報記録媒体に対するデータ記録フォーマットであるＢＤＡＶフォーマット、またはＳＰＡＶフォーマットに従った記録データを生成するデータ処理部を有し、
前記プログラムは、前記データ処理部に、
情報記録媒体に記録する音声データが、
（ａ）ＭＰＥＧ４  ＡＡＣ  ＬＣ（ＬＡＴＭ／ＬＯＡＳ）符号化音声データ、
（ｂ）ＭＰＥＧ４  ＡＬＳ（ＬＡＴＭ／ＬＯＡＳ）符号化音声データ、
上記（ａ），（ｂ）いずれの音声データであるかを識別可能とした音声識別情報をＢＤＡＶフォーマット、またはＳＰＡＶフォーマット規定のデータベースファイルに記録する処理を実行させるプログラム。
【請求項２０】
情報処理装置において実行する情報処理を実行させるプログラムであり、
前記情報処理装置は、
情報記録媒体の記録データの再生処理を実行するデータ処理部を有し、
前記情報記録媒体は、ＭＭＴフォーマットデータを、ＢＤＡＶフォーマット、またはＳＰＡＶフォーマットに従って記録したデータを格納した情報記録媒体であり、
前記プログラムは、前記データ処理部に、
ＢＤＡＶフォーマット、またはＳＰＡＶフォーマット規定のデータベースファイルであるプレイリストファイルとクリップ情報ファイルの記録情報を利用して、前記情報記録媒体に記録されたＭＭＴフォーマットデータの再生処理を実行させ、
前記再生処理に際して、再生対象の音声データが、
（ａ）ＭＰＥＧ４  ＡＡＣ  ＬＣ（ＬＡＴＭ／ＬＯＡＳ）符号化音声データ、
（ｂ）ＭＰＥＧ４  ＡＬＳ（ＬＡＴＭ／ＬＯＡＳ）符号化音声データ、
上記（ａ），（ｂ）いずれのデータであるかを示す音声識別情報を、前記データベースファイルから取得させ、取得情報に従って音声データの復号処理を行わせるプログラム。
【発明の詳細な説明】
【技術分野】
【０００１】
本開示は、情報処理装置、情報記録媒体、および情報処理方法、並びにプログラムに関する。さらに詳細には、放送波等における今後のデータ伝送規格として規格化が進められているＭＭＴ（ＭＰＥＧ  Ｍｅｄｉａ  Ｔｒａｎｓｐｏｒｔ）フォーマットデータを入力して、メディアに記録し、再生可能とする情報処理装置、情報記録媒体、および情報処理方法、並びにプログラムに関する。
【背景技術】
【０００２】
現在、４Ｋ画像や８Ｋ画像等の放送等、高画質画像のデータ伝送を実現するための規格化が進められており、その一つとして、ＭＭＴ（ＭＰＥＧ  Ｍｅｄｉａ  Ｔｒａｎｓｐｏｒｔ）フォーマットを利用したデータ配信方式についての検討が進められている。【０００３】
ＭＭＴフォーマットは、画像（Ｖｉｄｅｏ）、音声（Ａｕｄｉｏ）、字幕（Ｓｕｂｔｉｔｌｅ）等、コンテンツを構成する符号化データや、制御情報や属性情報等の様々な管理情報からなる制御情報（ＳＩ：Ｓｉｇｎａｌｉｎｇ  Ｉｎｆｏｒｍａｔｉｏｎ（シグナリング情報））等のデータを、放送波やネットワークを介して伝送するデータ転送方式（トランスポートフォーマット）を規定したものである。【０００４】
ＭＭＴフォーマットは、例えば４Ｋ画像、高ダイナミックレンジ（ＨＤＲ：Ｈｉｇｈ  Ｄｙｎａｍｉｃ  Ｒａｎｇｅ）画像等の次世代コンテンツの放送等に利用される予定となっている。【０００５】
なお、現行の画像（Ｖｉｄｅｏ）、音声（Ａｕｄｉｏ）、字幕（Ｓｕｂｔｉｔｌｅ）等の伝送フォーマット、あるいは、メディアに対するデータ記録フォーマットとしては、ＭＰＥＧ−２ＴＳフォーマットが多く利用されている。
また、このＭＰＥＧ−２ＴＳフォーマット対応の記録再生アプリケーション規格（フォーマット）としてＢＤＭＶやＢＤＡＶ規格（フォーマット）が広く利用されている。【０００６】
なお、ＢＤＭＶやＢＤＡＶは、主にＢＤ（Ｂｌｕ−ｒａｙ（登録商標）  Ｄｉｓｃ）を利用したデータ記録再生のアプリケーション規格であるが、これらの規格はＢＤに限らず、フラッシュメモリやＨＤなど、その他のＢＤ以外のメディアを利用したデータ記録再生にも適用可能である。
ＢＤを利用したデータ記録再生処理構成については、例えば特許文献１（特開２０１１−０２３０７１号公報）等に記載がある。【０００７】
ＢＤＭＶは、例えば映画コンテンツなどを予め記録したＢＤ−ＲＯＭ向けに開発されたアプリケーション規格であり、主に、パッケージコンテンツ等の書き換え不能なＢＤ−ＲＯＭで広く使われている。
一方、ＢＤＡＶは、主に書き換え可能なＢＤ−ＲＥ型ディスクや、一回のみ記録可能なＢＤ−Ｒ型ディスク等を利用したデータ記録再生処理に適用することを目的として開発された規格である。ＢＤＡＶは、例えばユーザがビデオカメラなどで撮影した映像の記録再生やテレビ放送を記録し再生するために利用される。【０００８】
上述のＭＭＴフォーマットに従った配信コンテンツを、情報記録媒体（メディア）に記録し、メディアからのコンテンツ再生処理をＢＤＡＶフォーマット対応の再生アプリケーションを利用して行なうためには、このＢＤＡＶフォーマットに従ってデータ記録を行うことが必要である。【０００９】
現在、ＢＤＡＶフォーマットを拡張し、ＭＭＴフォーマットデータを記録、再生可能とするための構成について議論が進められている。
例えば、放送局等が送信するＭＭＴフォーマットに従った配信データをテレビ等の情報処理装置が受信し、受信データをＢＤやフラッシュメモリ、あるいはＨＤＤ（ハードディスク）等の記録メディアに記録する場合、画像、音声、字幕データや、制御情報（ＳＩ）等のデータを、ＭＭＴフォーマットに従ったデータを格納したパケットのパケット列としてメディアに記録する方向で議論が進んでいる。【００１０】
具体的には、ＭＭＴＰ（ＭＭＴ  Ｐｒｏｔｏｃｏｌ）パケット、あるいはＭＭＴＰパケットの上位パケットであるＴＬＶ（Ｔｙｐｅ  Ｌｅｎｇｔｈ  Ｖａｌｕｅ）パケットのパケット列をメディアに記録する方向で議論が進んでいる。【００１１】
ＭＭＴＰパケットやＴＬＶパケットには、再生データである画像、音声、字幕、さらに、様々な管理情報からなる制御情報（ＳＩ：Ｓｉｇｎａｌｉｎｇ  Ｉｎｆｏｒｍａｔｉｏｎ）等が格納されている。【００１２】
例えばＢＤ（Ｂｌｕ−ｒａｙ（登録商標）  Ｄｉｓｃ）やフラッシュメモリやＨＤＤ（ハードディスク）等の記録メディアに、画像、音声、字幕等のコンテンツを格納したＭＭＴＰパケットやＴＬＶパケットを記録し、メディアからのコンテンツ再生を上述のＢＤＡＶフォーマット対応の再生アプリケーションを利用して行なうためには、このＢＤＡＶフォーマットに従ってデータ記録を行うことが必要である。【００１３】
ＢＤＡＶフォーマットは、再生制御情報ファイルとして、プレイリストファイルやクリップ情報ファイル等のデータベースファイルを規定しており、ＢＤＡＶ対応再生アプリケーションはこれらの再生制御情報ファイル（データベースファイル）を参照してデータ再生処理を実行する。
従って、ＭＭＴフォーマットデータについても、これらのプレイリストファイルやクリップ情報ファイルに記録された再生制御情報を利用して再生処理を行うことが必要となる。【００１４】
しかし、ＭＭＴフォーマットに従って配信されるデータには、このＢＤＡＶフォーマットで規定するプレイリストファイルやクリップ情報ファイルが含まれていない。
従って、このＭＭＴフォーマットデータをメディアに記録して、ＢＤＡＶフォーマット対応アプリを利用してコンテンツ再生を行うためには、ＢＤＡＶフォーマットの規定するプレイリストファイルやクリップ情報ファイルを生成してメディアに記録する処理が必要となる。
しかし、この処理については、現時点で具体化されていないというのが現状である。
【先行技術文献】
【特許文献】
【００１５】
【特許文献１】特開２０１１−０２３０７１号公報
【発明の概要】
【発明が解決しようとする課題】
【００１６】
本開示は、例えば、上記の問題点に鑑みてなされたものであり、ＭＭＴフォーマットに従った配信データを入力して、ＢＤＡＶフォーマットに規定されたデータベースファイルを生成してメディアに記録して、これらのデータベースファイルを利用してメディア記録コンテンツを再生可能とする情報処理装置、情報記録媒体、および情報処理方法、並びにプログラムを提供することを目的とする。
【課題を解決するための手段】
【００１７】
本開示の第１の側面は、
ＭＭＴフォーマットデータを入力し、情報記録媒体に対するデータ記録フォーマットであるＢＤＡＶフォーマット、またはＳＰＡＶフォーマットに従った記録データを生成するデータ処理部を有し、
前記データ処理部は、
情報記録媒体に記録する音声データが、
（ａ）ＭＰＥＧ４  ＡＡＣ  ＬＣ（ＬＡＴＭ／ＬＯＡＳ）符号化音声データ、
（ｂ）ＭＰＥＧ４  ＡＬＳ（ＬＡＴＭ／ＬＯＡＳ）符号化音声データ、
上記（ａ），（ｂ）いずれの音声データであるかを識別可能とした音声識別情報をＢＤＡＶフォーマット、またはＳＰＡＶフォーマット規定のデータベースファイルに記録する処理を実行する情報処理装置にある。【００１８】
さらに、本開示の第２の側面は、
情報記録媒体の記録データの再生処理を実行するデータ処理部を有し、
前記情報記録媒体は、ＭＭＴフォーマットデータを、ＢＤＡＶフォーマット、またはＳＰＡＶフォーマットに従って記録したデータを格納した情報記録媒体であり、
前記データ処理部は、
ＢＤＡＶフォーマット、またはＳＰＡＶフォーマット規定のデータベースファイルであるプレイリストファイルとクリップ情報ファイルの記録情報を利用して、前記情報記録媒体に記録されたＭＭＴフォーマットデータの再生処理を実行する構成であり、
前記データ処理部は、
再生対象の音声データが、
（ａ）ＭＰＥＧ４  ＡＡＣ  ＬＣ（ＬＡＴＭ／ＬＯＡＳ）符号化音声データ、
（ｂ）ＭＰＥＧ４  ＡＬＳ（ＬＡＴＭ／ＬＯＡＳ）符号化音声データ、
上記（ａ），（ｂ）いずれのデータであるかを示す音声識別情報を、前記データベースファイルから取得し、取得情報に従って音声データの復号処理を実行する情報処理装置にある。【００１９】
さらに、本開示の第３の側面は、
ＢＤＡＶフォーマット、またはＳＰＡＶフォーマットに従った記録データを記録した情報記録媒体であり、
情報記録媒体に記録された音声データが、
（ａ）ＭＰＥＧ４  ＡＡＣ  ＬＣ（ＬＡＴＭ／ＬＯＡＳ）符号化音声データ、
（ｂ）ＭＰＥＧ４  ＡＬＳ（ＬＡＴＭ／ＬＯＡＳ）符号化音声データ、
上記（ａ），（ｂ）いずれの音声データであるかを識別可能とした音声識別情報をＢＤＡＶフォーマット、またはＳＰＡＶフォーマット規定のデータベースファイルに記録した構成を有し、
再生装置が、前記データベースファイルに記録された音声識別情報に従って、再生対象とした音声データの種類を識別可能とした情報記録媒体にある。【００２０】
さらに、本開示の第４の側面は、
ＢＤＡＶフォーマット、またはＳＰＡＶフォーマットに従った記録データが記録される情報記録媒体であり、
情報記録媒体に記録される音声データが、
（ａ）ＭＰＥＧ４  ＡＡＣ  ＬＣ（ＬＡＴＭ／ＬＯＡＳ）符号化音声データ、
（ｂ）ＭＰＥＧ４  ＡＬＳ（ＬＡＴＭ／ＬＯＡＳ）符号化音声データ、
上記（ａ），（ｂ）いずれの音声データであるかを識別可能とした音声識別情報を含むＢＤＡＶフォーマット、またはＳＰＡＶフォーマット規定のデータベースファイルを有し、
再生装置が、前記データベースファイルの音声識別情報に従って、再生対象とした音声データの種類を識別可能とした情報記録媒体にある。【００２１】
さらに、本開示の第５の側面は、
情報処理装置において実行する情報処理方法であり、
前記情報処理装置は、
ＭＭＴフォーマットデータを入力し、情報記録媒体に対するデータ記録フォーマットであるＢＤＡＶフォーマット、またはＳＰＡＶフォーマットに従った記録データを生成するデータ処理部を有し、
前記データ処理部が、
情報記録媒体に記録する音声データが、
（ａ）ＭＰＥＧ４  ＡＡＣ  ＬＣ（ＬＡＴＭ／ＬＯＡＳ）符号化音声データ、
（ｂ）ＭＰＥＧ４  ＡＬＳ（ＬＡＴＭ／ＬＯＡＳ）符号化音声データ、
上記（ａ），（ｂ）いずれの音声データであるかを識別可能とした音声識別情報をＢＤＡＶフォーマット、またはＳＰＡＶフォーマット規定のデータベースファイルに記録する処理を実行する情報処理方法にある。【００２２】
さらに、本開示の第６の側面は、
情報処理装置において実行する情報処理方法であり、
前記情報処理装置は、
情報記録媒体の記録データの再生処理を実行するデータ処理部を有し、
前記情報記録媒体は、ＭＭＴフォーマットデータを、ＢＤＡＶフォーマット、またはＳＰＡＶフォーマットに従って記録したデータを格納した情報記録媒体であり、
前記データ処理部が、
ＢＤＡＶフォーマット、またはＳＰＡＶフォーマット規定のデータベースファイルであるプレイリストファイルとクリップ情報ファイルの記録情報を利用して、前記情報記録媒体に記録されたＭＭＴフォーマットデータの再生処理を実行し、
前記再生処理に際して、再生対象の音声データが、
（ａ）ＭＰＥＧ４  ＡＡＣ  ＬＣ（ＬＡＴＭ／ＬＯＡＳ）符号化音声データ、
（ｂ）ＭＰＥＧ４  ＡＬＳ（ＬＡＴＭ／ＬＯＡＳ）符号化音声データ、
上記（ａ），（ｂ）いずれのデータであるかを示す音声識別情報を、前記データベースファイルから取得し、取得情報に従って音声データの復号処理を実行する情報処理方法にある。【００２３】
さらに、本開示の第７の側面は、
情報処理装置において実行する情報処理を実行させるプログラムであり、
前記情報処理装置は、
ＭＭＴフォーマットデータを入力し、情報記録媒体に対するデータ記録フォーマットであるＢＤＡＶフォーマット、またはＳＰＡＶフォーマットに従った記録データを生成するデータ処理部を有し、
前記プログラムは、前記データ処理部に、
情報記録媒体に記録する音声データが、
（ａ）ＭＰＥＧ４  ＡＡＣ  ＬＣ（ＬＡＴＭ／ＬＯＡＳ）符号化音声データ、
（ｂ）ＭＰＥＧ４  ＡＬＳ（ＬＡＴＭ／ＬＯＡＳ）符号化音声データ、
上記（ａ），（ｂ）いずれの音声データであるかを識別可能とした音声識別情報をＢＤＡＶフォーマット、またはＳＰＡＶフォーマット規定のデータベースファイルに記録する処理を実行させるプログラムにある。【００２４】
さらに、本開示の第８の側面は、
情報処理装置において実行する情報処理を実行させるプログラムであり、
前記情報処理装置は、
情報記録媒体の記録データの再生処理を実行するデータ処理部を有し、
前記情報記録媒体は、ＭＭＴフォーマットデータを、ＢＤＡＶフォーマット、またはＳＰＡＶフォーマットに従って記録したデータを格納した情報記録媒体であり、
前記プログラムは、前記データ処理部に、
ＢＤＡＶフォーマット、またはＳＰＡＶフォーマット規定のデータベースファイルであるプレイリストファイルとクリップ情報ファイルの記録情報を利用して、前記情報記録媒体に記録されたＭＭＴフォーマットデータの再生処理を実行させ、
前記再生処理に際して、再生対象の音声データが、
（ａ）ＭＰＥＧ４  ＡＡＣ  ＬＣ（ＬＡＴＭ／ＬＯＡＳ）符号化音声データ、
（ｂ）ＭＰＥＧ４  ＡＬＳ（ＬＡＴＭ／ＬＯＡＳ）符号化音声データ、
上記（ａ），（ｂ）いずれのデータであるかを示す音声識別情報を、前記データベースファイルから取得させ、取得情報に従って音声データの復号処理を行わせるプログラムにある。【００２５】
なお、本開示のプログラムは、例えば、様々なプログラム・コードを実行可能な情報処理装置やコンピュータ・システムに対して、コンピュータ可読な形式で提供する記憶媒体、通信媒体によって提供可能なプログラムである。このようなプログラムをコンピュータ可読な形式で提供することにより、情報処理装置やコンピュータ・システム上でプログラムに応じた処理が実現される。【００２６】
本開示のさらに他の目的、特徴や利点は、後述する本開示の実施例や添付する図面に基づくより詳細な説明によって明らかになるであろう。なお、本明細書においてシステムとは、複数の装置の論理的集合構成であり、各構成の装置が同一筐体内にあるものには限らない。
【発明の効果】
【００２７】
本開示の一実施例の構成によれば、メディア記録ＭＭＴフォーマット音声データが、ＭＰＥＧ４  ＡＡＣ  ＬＣ音声データか、ＭＰＥＧ４  ＡＬＳ音声データかを迅速に確認可能とした構成が実現される。
具体的には、例えば、メディアに記録するＭＭＴフォーマット音声データが、ＭＰＥＧ４  ＡＡＣ  ＬＣ音声データであるか、ＭＰＥＧ４  ＡＬＳ音声データであるかを示す音声識別情報を記録したクリップ情報ファイルを生成してメディアに記録する。再生装置は、クリップ情報ファイルに記録された音声識別情報に基づいて、再生対象とする音声データが、ＭＰＥＧ４  ＡＡＣ  ＬＣ音声データであるか、ＭＰＥＧ４  ＡＬＳ音声データであるかを識別し、迅速な復号、再生を行うことができる。
本構成により、メディア記録ＭＭＴフォーマット音声データが、ＭＰＥＧ４  ＡＡＣ  ＬＣ音声データか、ＭＰＥＧ４  ＡＬＳ音声データかを迅速に確認可能とした構成が実現される。
なお、本明細書に記載された効果はあくまで例示であって限定されるものではなく、また付加的な効果があってもよい。
【図面の簡単な説明】
【００２８】
【図１】本開示の処理を実行する情報処理装置の利用構成例について説明する図である。
【図２】ＭＭＴフォーマットについて説明する図である。
【図３】ＭＭＴフォーマットに従った画像データ格納構成例について説明する図である。
【図４】ＢＤＡＶフォーマットについて説明する図である。
【図５】ＢＤＡＶフォーマットに従ったデータ再生処理例について説明する図である。
【図６】ＭＰＥＧ−２ＴＳフォーマットについて説明する図である。
【図７】ＭＭＴフォーマットについて説明する図である。
【図８】ＳＰＡＶフォーマットについて説明する図である。
【図９】放送局等からの受信データをＭＭＴフォーマットデータであるＭＭＴＰパケット列として、情報記録媒体（メディア）に記録する処理例について説明する図である。
【図１０】放送局等からの受信データをＭＭＴフォーマットデータであるＭＭＴＰパケットを格納したＴＬＶパケット列として、情報記録媒体（メディア）に記録する処理例について説明する図である。
【図１１】ＭＭＴフォーマットデータを、ＢＤＡＶフォーマットデータとして記録する場合の処理例について説明する図である。
【図１２】クリップ情報ファイルのデータ構成（シンタクス）を示す図である。
【図１３】クリップ情報ファイルのプログラム情報［ＰｒｏｇｒａｍＩｎｆｏ（）］のデータ構成（シンタクス）を示す図である。
【図１４】クリップ情報ファイルのコーディング情報のデータ構成例について説明する図である。
【図１５】クリップ情報ファイルの音声情報のデータ記録例について説明する図である。
【図１６】ＭＭＴフォーマットの音声データの識別情報を記録したクリップ情報ファイルのコーディング情報のデータ構成例について説明する図である。
【図１７】クリップ情報ファイルに記録するＭＭＴフォーマットの音声識別情報の例について説明する図である。
【図１８】音声データ格納パケットの構成例について説明する図である。
【図１９】ＭＭＴフォーマットの音声データの識別情報を記録したクリップ情報ファイルのコーディング情報のデータ構成例について説明する図である。
【図２０】クリップ情報ファイルに記録するＭＭＴフォーマットの音声識別情報の例について説明する図である。
【図２１】ＭＭＴパッケージテーブル（ＭＰＴ）のデータ構成（シンタクス）を示す図である。
【図２２】ＭＭＴパッケージテーブル（ＭＰＴ）に記録されるアセットタイプ（ａｓｓｅｔ＿ｔｙｐｅ）の具体例について説明する図である。
【図２３】ＭＭＴパッケージテーブル（ＭＰＴ）に記録される音声属性情報を示す図である。
【図２４】ＭＭＴパッケージテーブル（ＭＰＴ）に記録される（Ｍ１）ストリームコンテンツ情報の具体例を示す図である。
【図２５】ＭＭＴパッケージテーブル（ＭＰＴ）に記録される（Ｍ２）コンポーネントタイプの具体例を示す図である。
【図２６】ＭＭＴパッケージテーブル（ＭＰＴ）に記録される（Ｍ３）サンプリング周波数の具体例を示す図である。
【図２７】情報記録媒体（メディア）に対するデータ記録処理を実行する情報処理装置の構成例について説明する図である。
【図２８】情報記録媒体（メディア）に対するデータ記録処理の処理シーケンスを説明するフローチャートを示す図である。
【図２９】情報記録媒体（メディア）に対するデータ記録処理の処理シーケンスを説明するフローチャートを示す図である。
【図３０】情報記録媒体（メディア）に対するデータ記録処理の処理シーケンスを説明するフローチャートを示す図である。
【図３１】情報記録媒体（メディア）からのデータ再生処理を実行する情報処理装置の構成例について説明する図である。
【図３２】情報記録媒体（メディア）からのデータ再生処理の処理シーケンスを説明するフローチャートを示す図である。
【図３３】情報記録媒体（メディア）からのデータ再生処理の処理シーケンスを説明するフローチャートを示す図である。
【図３４】本開示の処理に適用される情報処理装置のハードウェア構成例について説明する図である。
【発明を実施するための形態】
【００２９】
以下、図面を参照しながら本開示の情報処理装置、情報記録媒体、および情報処理方法、並びにプログラムの詳細について説明する。なお、説明は以下の項目に従って行なう。
１．通信システムの構成例について
２．ＭＭＴ（ＭＰＥＧ  Ｍｅｄｉａ  Ｔｒａｎｓｐｏｒｔ）フォーマットについて
３．ＢＤＡＶフォーマットとＳＰＡＶフォーマットについて
４．ＭＭＴフォーマットデータをＢＤＡＶフォーマットに従って記録する場合の処理について
５．ＭＭＴフォーマットに従った音声データについて
６．クリップ情報ファイルに対する音声識別情報の記録例について
６−１．（実施例１）音声データ格納パケットに記録された音声識別情報を取得してクリップ情報ファイルに記録する実施例
６−２．（実施例２）ＭＭＴパッケージテーブル（ＭＰＴ）に記録された音声識別情報を取得してクリップ情報ファイルに記録する実施例
７．情報記録媒体に対するデータ記録処理を実行する情報処理装置の構成と処理について
８．情報記録媒体からのデータ再生処理を実行する情報処理装置の構成と処理について
９．情報処理装置の構成例について
１０．本開示の構成のまとめ
【００３０】
［１．通信システムの構成例について］
まず、図１を参照して本開示の処理を実行する情報処理装置の一つの利用構成例である通信システムの例について説明する。
図１に示す情報処理装置３０は、ＢＤ（Ｂｌｕ−ｒａｙ（登録商標）  Ｄｉｓｃ）や、フラッシュメモリ、ハードディスク（ＨＤＤ）などのメディアを装着し、これらの装着メディアに対するデータ記録処理や、装着メディアからのデータ再生処理、さらに、他メディアに対するデータコピー処理等を実行する。
【００３１】
情報処理装置３０がメディアに記録するデータは、例えば放送局（放送サーバ）２１や、データ配信サーバ２２等の送信装置２０の提供する送信コンテンツである。具体的には、テレビ局の提供する放送番組等である。
これらの送信コンテンツは、放送波、あるいはインターネット等のネットワークを介して送信装置２０から情報処理装置３０に送信される。
【００３２】
情報処理装置３０は、例えば記録再生装置３１、テレビ３２、ＰＣ３３、携帯端末３４等である、これらの情報処理装置は、例えば、ＢＤ（Ｂｌｕ−ｒａｙ（登録商標）  Ｄｉｓｃ）４１、ＨＤＤ（ハードディスク）４２、フラッシュメモリ４３等の様々なメディアを装着し、これらのメディアに対するデータ記録処理や、メディア記録データの編集処理、メディアからのデータ再生処理、さらに、メディア間のデータコピー処理等を実行する。
【００３３】
送信装置２０から情報処理装置３０に対するデータ送信は、ＭＭＴ（ＭＰＥＧ  Ｍｅｄｉａ  Ｔｒａｎｓｐｏｒｔ）フォーマットに従って実行される。
ＭＭＴフォーマットは、画像（Ｖｉｄｅｏ）、音声（Ａｕｄｉｏ）、字幕（Ｓｕｂｔｉｔｌｅ）等、コンテンツ構成データである符号化データを放送波やネットワークを介して伝送する際のデータ転送方式（トランンスポートフォーマット）を規定したものである。
【００３４】
送信装置２０は、コンテンツデータを符号化し、符号化データおよび符号化データのメタデータを含むデータファイルを生成し、生成した符号化データをＭＭＴにおいて規定されるＭＭＴＰ（ＭＭＴ  Ｐｒｏｔｏｃｏｌ）パケットに格納して放送波、またはネットワークを介して送信する。
【００３５】
送信装置２０が情報処理装置３０に提供するデータは、画像、音声、字幕等の再生対象データの他、番組ガイド等の案内情報や通知情報、制御メッセージ等の様々な管理情報によって構成される制御情報（ＳＩ：Ｓｉｇｎａｌｉｎｇ  Ｉｎｆｏｒｍａｔｉｏｎ（シグナリング情報））によって構成される。
【００３６】
［２．ＭＭＴ（ＭＰＥＧ  Ｍｅｄｉａ  Ｔｒａｎｓｐｏｒｔ）フォーマットについて］
上述したように、送信装置２０から情報処理装置３０に対するデータ送信は、ＭＭＴ（ＭＰＥＧ  Ｍｅｄｉａ  Ｔｒａｎｓｐｏｒｔ）フォーマットに従って実行される。
図２以下を参照して、ＭＭＴ（ＭＰＥＧ  Ｍｅｄｉａ  Ｔｒａｎｓｐｏｒｔ）フォーマットについて説明する。
【００３７】
図２は、ＭＭＴフォーマットのスタック・モデルを示す図である。
図２に示すＭＭＴスタック・モデルにおいて、最下層には、物理レイヤ（ＰＨＹ）がある。物理レイヤは、放送系の処理を行なうブロードキャスト（Ｂｒｏａｄｃａｓｔｉｎｇ）レイヤと、ネットワーク系の処理を行なうブロードバンド（Ｂｒｏａｄｂａｎｄ）レイヤに分割されている。
ＭＭＴは放送系、ネットワーク系の２つの通信網を利用した処理を可能としている。
【００３８】
物理レイヤ（ＰＨＹ）の上位レイヤとして、ＴＬＶ（Ｔｙｐｅ  Ｌｅｎｇｔｈ  Ｖａｌｕｅ）レイヤがある。ＴＬＶはＩＰパケットの多重化方式を規定したフォーマット規定レイヤである。複数のＩＰパケットが多重化されてＴＬＶパケットとして送信される。ＴＬＶ−ＳＩは、ＴＬＶフォーマットに従った制御メッセージ等の制御情報（ＳＩ）の伝送レイヤである。
【００３９】
制御情報（ＳＩ）は、情報処理装置３０側においてコンテンツ（番組）を受信、再生するために必要となる設定情報や、番組ガイド等の案内情報や通知情報、制御情報、管理情報によって構成される。
ＴＬＶレイヤで処理が生成されるＴＬＶパケットに格納される制御情報（ＳＩ）がＴＬＶ−ＳＩであり、主に受信処理に関する制御情報によって構成されている。
ＭＭＴプロトコル（ＭＭＴＰ）に従って生成されるパケットであるＭＭＴＰパケットに格納される制御情報（ＳＩ）は最上位レイヤに示すＭＭＴ−ＳＩであり、主に再生制御に関する制御情報によって構成されている。
【００４０】
ＴＬＶレイヤ上には、ＵＤＰ／ＩＰレイヤが設定される。
ＵＤＰ／ＩＰレイヤは、詳細にはＩＰレイヤとＵＤＰレイヤに分割可能であるが、ＩＰパケットのペイロードにＵＤＰパケットを格納する伝送を規定するレイヤである。
ＵＤＰ／ＩＰレイヤ上にＭＭＴレイヤ、およびＦｉｌｅ  ｄｅｌｉｖｅｒｙ  ｍｅｔｈｏｄレイヤ  が設定される。
ＭＭＴＰパケットをＩＰパケットに格納して送信する場合と、ＭＭＴＰパケットを用いないデータ伝送方式であるＦｉｌｅ  ｄｅｌｉｖｅｒｙ  ｍｅｔｈｏｄを利用してＩＰパケットとしてデータ送信する方式が併用可能な設定となっている。
【００４１】
ＭＭＴレイヤ上には、以下のレイヤが設定される。
画像符号化規格であるＨＥＶＣ（Ｈｉｇｈ  Ｅｆｆｉｃｉｅｎｃｙ  Ｖｉｄｅｏ  Ｃｏｄｉｎｇ）に従った符号化画像データである画像（Ｖｉｄｅｏ）データのレイヤ。
【００４２】
音声符号化規格である、
（１）ＭＰＥＧ４  ＡＡＣ  ＬＣ（Ａｄｖａｎｃｅｄ  Ａｕｄｉｏ  Ｃｏｄｉｎｇ  Ｌｏｗ  Ｃｏｍｐｌｅｘｉｔｙ）に従った符号化音声データ、または、
（２）ＭＰＥＧ４  ＡＬＳ（Ａｕｄｉｏ  Ｌｏｓｌｅｓｓ  Ｃｏｄｉｎｇ）に従った符号化音声データ、
これらの音声符号化規格に従って符号化された音声（Ａｕｄｉｏ）データのレイヤ。
【００４３】
さらに、
字幕符号化規格であるＴＴＭＬ（Ｔｉｍｅｄ  Ｔｅｘｔ  Ｍａｒｋｕｐ  Ｌａｎｇｕａｇｅ）に従った符号化字幕データである字幕（Ｓｕｂｔｉｔｌｅ）データ、
ＭＭＴＰパケットを利用して送信される制御情報（ＭＭＴ−ＳＩ）、
ＨＴＭＬ５（Ｈｙｐｅｒ  Ｔｅｘｔ  Ｍａｒｋｕｐ  Ｌａｎｇｕａｇｅ  ５）に従って記述された様々なアプリケーション、
これらの各データがＭＭＴＰパケットに格納されて送信される。
【００４４】
制御情報（ＭＭＴ−ＳＩ）は、ＭＭＴＰパケットで送信される制御情報（シグナリング情報）であり、情報処理装置３０側においてコンテンツ（番組）を再生するために必要となる設定情報や、番組ガイド等の案内情報や通知情報、制御情報等の様々な管理情報によって構成される。
【００４５】
なお、時刻情報（ＮＴＰ：Ｎｅｔｗｏｒｋ  Ｔｉｍｅ  Ｐｒｏｔｏｃｏｌ）は絶対時刻情報であり、ＵＤＰパケットに直接格納され送信される。
その他のデータ配信を行うデータサービス（Ｄａｔａ  ｓｅｒｖｉｃｅ）、コンテンツダウンロード等（Ｃｏｎｔｅｎｔｄｏｗｎｌｏａｄ，ｅｔｃ．）がＭＭＴと異なるファイル配信メソッド（Ｆｉｌｅ  ｄｅｌｉｖｅｒｙ  ｍｅｔｈｏｄ）を利用して配信可能な構成を有している。
【００４６】
図２に示すように、画像、音声、字幕、さらに、様々な通知情報や制御情報等の様々な管理情報からなる制御情報（ＭＭＴ−ＳＩ）やアプリケーションは、ＭＭＴＰパケットによって送信される。
【００４７】
図３を参照してＭＭＴＰパケットの具体的構成例について説明する。
図３には以下の４種類のデータ構成例を示している。
（ａ）ＭＰＵ（Ｍｅｄｉａ  Ｐｒｅｓｅｎｔａｔｉｏｎ  Ｕｎｉｔ）
（ｂ）ＭＭＴＰペイロート
（ｃ）ＭＭＴＰパケット
（ｄ）ＴＬＶパケット
【００４８】
（ｄ）ＴＬＶパケットが放送波やネットワークを介して送信されるパケットであり、ＴＬＶパケットには、ＵＤＰヘッダ、ＩＰヘッダ、ＴＬＶヘッダの各ヘッダ情報が設定される。ＴＬＶパケットは、データ種類ごとに個別のパケットとして設定される。
【００４９】
すなわち、１つのＴＬＶパケットのＴＬＶペイロードには、１つの種類のデータが格納される。具体的には、例えば、画像（Ｖ）、音声（Ａ）、字幕（Ｓ）、あるいは、様々な管理情報からなる制御情報（ＳＩ）が個別に格納される。
なお、制御情報（ＳＩ）については、ＭＭＴＰパケットに格納する制御情報（ＭＭＴ−ＳＩ）と、ＴＬＶパケットで送信される制御情報（ＴＬＶ−ＳＩ）があり、それぞれ異なる個別のＴＬＶパケットに格納される。
【００５０】
ＴＬＶパケットのペイロードであるＴＬＶペイロートの一例が、図３（ｃ）に示すＭＭＴＰパケットである。
図３（ｃ）に示すＭＭＴＰパケットは、ＭＭＴＰヘッダと、ＭＭＴＰペイロードによって構成される。
【００５１】
１つのＭＭＴＰパケットのＭＭＴＰペイロードには、１つの種類のデータが格納される。具体的には、例えば、画像（Ｖ）、音声（Ａ）、字幕（Ｓ）、さらにＭＭＴＰパケットに格納する制御情報（ＭＭＴ−ＳＩ）、これらのいずれか一種類のデータが、個別のＭＭＴＰパケットに格納される。
【００５２】
図３（ａ），（ｂ）は、図３（ｃ）に示すＭＭＴＰパケットのＭＭＴＰペイロードに格納される画像データの詳細構成を示している。
図３（ｂ）は、図３（ｃ）に示すＭＭＴＰパケット中、ＭＭＴＰペイロードが画像データ（Ｖ）であるもののみを選択して示している。
図３（ｂ）に示すＭＭＴＰペイロードは、ヘッダとデータユニットによって構成される。
【００５３】
データユニットには、図３（ａ）に示すように、画像データおよび、以下の各種のパラメータが格納される。
ＡＵ  Ｄｅｌｉｍｉｔｅｒ（Ａｃｃｅｓｓ  Ｕｎｉｔ  Ｄｅｌｉｍｉｔｅｒ）
ＳＰＳ（Ｓｅｑｕｅｎｃｅ  Ｐａｒａｍｅｔｅｒ  Ｓｅｔ）
ＰＰＳ（Ｐｉｃｔｕｒｅ  Ｐａｒａｍｅｔｅｒ  Ｓｅｔ）
ＳＥＩｓ（Ｓｕｐｐｌｅｍｅｎｔａｌ  Ｅｎｈａｎｃｅｍｅｎｔ  Ｉｎｆｏｒｍａｔｉｏｎ）
これらのパラメータは、画像表示に利用されるパラメータである。
【００５４】
図３（ａ）に示すＭＰＵ（Ｍｅｄｉａ  Ｐｒｅｓｅｎｔａｔｉｏｎ  Ｕｎｉｔ）は、ＭＭＴフォーマットにおける画像、音声、字幕等の再生対象データの１つのデータ処理単位である。図３（ａ）に示す例は、画像データのＭＰＵの例であり、いわゆる符号化、復号処理単位としてのＧＯＰ（Ｇｒｏｕｐ  ｏｆ  Ｐｉｃｔｕｒｅｓ）と同じ単位である。
【００５５】
このように、例えば画像データは、図３（ａ）に示すように、ＭＭＴフォーマットにおいて規定されたパラメータと画像構成データに分割され、図３（ｂ）に示すＭＭＴＰペイロードに格納され、図３（ｃ）に示すＭＭＴＰパケットとして構成される。
さらに、ＭＭＴＰパケットは、図３（ｄ）に示すＴＬＶパケットのペイロードとして設定されて、ＴＬＶパケットが放送波やネットワークを介して送信される。
【００５６】
なお、音声、字幕等の各データ、ＭＭＴ−ＳＩの各データについても、それぞれデータ種類単位のＭＭＴＰパケット、ＴＬＶパケットが設定されて送信される。
ＴＬＶ−ＳＩは、ＭＭＴＰパケットに格納されることなくＴＬＶパケットに格納されて送信される。
【００５７】
［３．ＢＤＡＶフォーマットとＳＰＡＶフォーマットについて］
次に、上述のＭＭＴフォーマットに従った配信コンテンツを例えばＢＤ（Ｂｌｕ−ｒａｙ（登録商標）  Ｄｉｓｃ）やフラッシュメモリ、あるいはＨＤＤ（ハードディスク）等のメディアに記録して再生する場合の記録データフォーマットであるＢＤＡＶフォーマットとＳＰＡＶフォーマットについて図４以下を参照して説明する。
【００５８】
例えばＢＤ（Ｂｌｕ−ｒａｙ（登録商標）  Ｄｉｓｃ）やフラッシュメモリやＨＤＤ等のメディアから、画像、音声、字幕等のコンテンツを再生する場合には、これらのコンテンツの再生処理を行なうための再生制御情報やインデックス情報が必要となる。再生制御情報やインデックス情報は一般的にデータベースファイルと呼ばれる。
これらの再生制御情報やインデックス情報は、メディアの記録データの再生処理を実行する再生アプリケーションに応じて異なるものとなる。
【００５９】
前述したように、現行の記録再生アプリケーション規格（＝データ記録フォーマット）としてＢＤＭＶやＢＤＡＶ規格（データ記録フォーマット）がある。これらのアプリケーション規格は、主にＢＤ（Ｂｌｕ−ｒａｙ（登録商標）  Ｄｉｓｃ）を利用したデータ記録再生アプリケーション規格として策定されたものである。
【００６０】
なお、ＢＤＭＶやＢＤＡＶは、主にＢＤを利用したデータ記録再生のアプリケーション規格であり、データ記録フォーマット（規格）であるが、これらの規格はＢＤに限らず、フラッシュメモリなど、その他のＢＤ以外のメディアを利用したデータ記録再生にも適用可能である。
ＢＤＭＶは、例えば映画コンテンツなどを予め記録したＢＤ−ＲＯＭ向けに開発されたアプリケーション規格であり、主に、パッケージコンテンツ等の書き換え不能なＢＤ−ＲＯＭで広く使われている。
一方、ＢＤＡＶは、主に書き換え可能なＢＤ−ＲＥ型ディスクや、一回のみ記録可能なＢＤ−Ｒ型ディスク等を利用したデータ記録再生処理に適用することを目的として開発された規格である。ＢＤＡＶは、例えばユーザがビデオカメラなどで撮影した映像の記録再生やテレビ放送を記録し再生するために利用される。
【００６１】
上述のＭＭＴフォーマットに従った配信コンテンツを記録したメディアからのコンテンツ再生処理を、ＢＤＡＶフォーマット対応の再生アプリケーションを利用して行なうためには、このＢＤＡＶフォーマットに従ってデータ記録を行うことが必要である。
前述のように、ＢＤＡＶフォーマットは、再生制御情報の記録ファイルとして、プレイリストファイルやクリップ情報ファイル等を規定しており、ＢＤＡＶ対応再生アプリケーションはこれらの再生制御情報ファイル（データベースファイル）の記録情報を利用してデータ再生処理を実行する。
【００６２】
図４は、情報記録媒体（メディア）４０にＢＤＡＶフォーマットに従って記録されたデータのディレクトリ構成例を示す図である。
ディレクトリには、図４に示すように様々な管理情報、再生制御情報、再生対象データの格納ファイルが設定される。
【００６３】
管理情報ファイルは、例えば、図４に示すインフォファイル（ｉｎｆｏ）、メニューファイル（ｍｅｎｕ）、マークファイル（ｍａｒｋ）等によって構成される。これらは、主にユーザに見せるタイトルの管理情報等を格納する。
また、再生制御情報ファイルとして、
プレイリストファイル（ｐｌａｙｌｉｓｔ）、
クリップ情報ファイル（ｃｌｉｐｉｎｆ）
例えば、これらのファイルが記録される。
さらに、再生データ格納ファイルとして、クリップＡＶストリームファイル（ｓｔｒｅａｍ）が記録される。
【００６４】
プレイリストファイルは、タイトルによって指定される再生プログラムのプログラム情報に従ってコンテンツの再生順等を規定したファイルであり、例えば、再生位置情報等を記録したクリップ情報ファイルの指定情報等を有する。
クリップ情報ファイルは、プレイリストファイルによって指定されるファイルであり、クリップＡＶストリームファイルの再生位置情報等を有する。
【００６５】
クリップＡＶストリームファイルは、再生対象となるＡＶストリームデータや管理情報を格納したファイルである。クリップＡＶストリームファイルは、再生対象となる画像、音声、字幕等の各データや、管理情報を格納したパケットによって構成される。
なお、ＭＰＥＧ−２ＴＳフォーマットにおいて規定され、クリップＡＶストリームファイルに記録される管理情報として、例えば、ＰＳＩ／ＳＩ（Ｐｒｏｇｒａｍ  Ｓｐｅｃｉｆｉｃ  Ｉｎｆｏｒｍａｔｉｏｎ／Ｓｅｒｖｉｃｅ  Ｉｎｆｏｒｍａｔｉｏｎ）がある。
【００６６】
なお、従来の放送データや、ネットワーク配信データは、ＴＳ（Ｔｒａｎｓｐｏｒｔ  Ｓｔｒｅａｍ）パケットによって構成されたＭＰＥＧ−２ＴＳフォーマットデータであるが、今後の４Ｋ，８Ｋ画像等の高精細画像等を含むデータは前述したＭＭＴＰパケットによって構成されるＭＭＴフォーマットデータとなることが予想される。
【００６７】
図４にはクリップＡＶストリームファイル（ｓｔｒｅａｍ）として、
ＴＳパケットによって構成されたＭＰＥＧ−２ＴＳフォーマットデータからなるストリームファイル（ｎｎｎｎｎ．ｍ２ｔｓ）、
ＭＭＴＰパケットによって構成されるＭＭＴフォーマットデータ（ｎｎｎｎｎ．ｍｍｔｖ）、
これらの２種類のストリームファイルを示している。
【００６８】
図４に示すディレクトリ例は、情報処理装置３０が受信したデータがＭＰＥＧ−２ＴＳフォーマットデータである場合は、そのまま、ＭＰＥＧ−２ＴＳフォーマットデータとしてメディアに記録し、受信データがＭＭＴフォーマットデータである場合は、ＭＭＴフォーマットデータとしてメディアに記録する設定の場合のディレクトリ例である。
【００６９】
なお、ＭＭＴフォーマットデータをメディアに記録する場合のクリップＡＶストリームファイルは、
（１）ＭＭＴフォーマットをＭＰＥＧ−２ＴＳフォーマットに変換してクリップＡＶストリームファイルを生成する、あるいは、
（２）ＭＭＴフォーマットに従ったデータを格納したパケットのパケット列からなるクリップＡＶストリームファイルを生成する、
これらの２種類の処理が想定される。
【００７０】
現在、上記（２）の処理、すなわち、ＭＭＴフォーマットに従ったデータを格納したパケットのパケット列からなるクリップＡＶストリームファイルを生成してメディアに記録する方向で議論が進んでいる。
具体的には、ＭＭＴＰ（ＭＭＴ  Ｐｒｏｔｏｃｏｌ）パケット、あるいはＭＭＴＰパケットの上位パケットであるＴＬＶ（Ｔｙｐｅ  Ｌｅｎｇｔｈ  Ｖａｌｕｅ）パケットのパケット列として記録する方向で議論が進んでいる。
この具体例については後段で詳細に説明する。
【００７１】
管理情報ファイル、プレイリストファイル、クリップ情報ファイル、これらのデータファイルは、クリップＡＶストリームファイルに格納された再生データである画像、音声、字幕等の再生処理に適用する管理情報の格納ファイルである。これらは、再生制御情報や、再生データの属性情報等を格納したファイルであり、データベースファイルと呼ばれる。
【００７２】
情報記録媒体に記録されたコンテンツを再生するシーケンスは以下の通りである。
（ａ）まず、再生アプリケーションによって管理情報ファイルから特定のプレイリストを指定する。
（ｂ）選択されたプレイリストに規定されたクリップ情報ファイルを選択し、クリップ情報ファイルの記録データに従って、クリップＡＶストリームファイルから、画像、音声等の再生データであるＡＶストリームあるいはコマンドを読み出して、ＡＶストリームの再生や、コマンドの実行処理を開始する。
【００７３】
図５は、情報記録媒体（メディア）４０に記録される以下のデータ、すなわち、
プレイリストファイル、
クリップ情報ファイル、
クリップＡＶストリームファイル、
これらのデータの対応関係を説明する図である。
【００７４】
実際の再生対象データである画像、音声、字幕等の再生対象データからなるＡＶストリームはクリップＡＶストリーム（Ｃｌｉｐ  ＡＶ  Ｓｔｒｅａｍ）ファイルとして記録され、さらに、これらのＡＶストリームの管理情報、再生制御情報ファイルとして、プレイリスト（ＰｌａｙＬｉｓｔ）ファイルと、クリップ情報（Ｃｌｉｐ  Ｉｎｆｏｒｍａｔｉｏｎ）ファイルが規定される。
【００７５】
これら複数のカテゴリのファイルは、図５に示すように、
プレイリスト（ＰｌａｙＬｉｓｔ）ファイルを含むプレイリストレイヤ、
クリップＡＶストリーム（Ｃｌｉｐ  ＡＶ  Ｓｔｒｅａｍ）ファイルと、クリップ情報（Ｃｌｉｐ  Ｉｎｆｏｒｍａｔｉｏｎ）ファイルからなるクリップレイヤ、
これらの２つのレイヤに区分できる。
【００７６】
なお、一つのクリップＡＶストリーム（Ｃｌｉｐ  ＡＶ  Ｓｔｒｅａｍ）ファイルには一つのクリップ情報（Ｃｌｉｐ  Ｉｎｆｏｒｍａｔｉｏｎ）ファイルが対応付けられ、これらのペアを一つのオブジェクトと考え、これらをまとめてクリップ（Ｃｌｉｐ）、あるいはクリップファイルと呼ぶ。
クリップＡＶストリームファイルに含まれるデータの詳細情報、例えばＭＰＥＧデータのＩピクチャ位置情報などを記録したＥＰマップなどの管理情報がクリップ情報ファイルに記録される。
【００７７】
なお、クリップＡＶストリーム（Ｃｌｉｐ  ＡＶ  Ｓｔｒｅａｍ）ファイルは、ＭＰＥＧ−２ＴＳフォーマットデータである場合はＴＳパケットによって構成される。
また、ＭＭＴフォーマットデータである場合はＭＭＴＰパケットによって構成される。
【００７８】
クリップ情報（Ｃｌｉｐ  Ｉｎｆｏｒｍａｔｉｏｎ）ファイルは、例えば、クリップＡＶストリームファイルのバイト列データのデータ位置と、時間軸上に展開した場合の再生開始ポイントであるエントリポイント（ＥＰ）等の再生時間位置等の対応データ等、クリップＡＶストリームファイルの格納データの再生開始位置などを取得するための管理情報を格納している。
【００７９】
プレイリストは、クリップ（Ｃｌｉｐ）の再生開始位置や再生終了位置に対応するアクセスポイントを時間軸上の情報であるタイムスタンプで指し示す情報を有する。
例えば、コンテンツの開始点からの再生時間経過位置を示すタイムスタンプに基づいてクリップ情報ファイルを参照して、クリップＡＶストリームファイルのデータ読み出し位置、すなわち再生開始点としてのアドレスを取得することが可能となる。
クリップ情報ファイル（Ｃｌｉｐ  Ｉｎｆｏｒｍａｔｉｏｎ  ｆｉｌｅ）は、このタイムスタンプから、クリップＡＶストリームファイル中のストリームのデコードを開始すべきアドレス情報を見つけるために利用される。
【００８０】
このように、プレイリスト（ＰｌａｙＬｉｓｔ）ファイルは、クリップ（＝クリップ情報ファイル＋クリップＡＶストリームファイル）レイヤに含まれる再生可能データに対する再生区間の指定情報を有する。
プレイリスト（ＰｌａｙＬｉｓｔ）ファイルには、１つ以上のプレイアイテム（ＰｌａｙＩｔｅｍ）が設定され、プレイアイテムの各々が、クリップ（＝クリップ情報ファイル＋クリップＡＶストリームファイル）レイヤに含まれる再生可能データに対する再生区間の指定情報を有する。
【００８１】
なお、再生対象データを格納したクリップＡＶストリーム（Ｃｌｉｐ  ＡＶ  Ｓｔｒｅａｍ）ファイルは、前述したように、従来型のＭＰＥＧ−２ＴＳフォーマットデータである場合はＴＳパケットによって構成される。
また、今後、利用が拡大されると予想される４Ｋ，８Ｋ画像等の高精細画像データの場合は、ＭＭＴフォーマットデータである場合はＭＭＴＰパケットによって構成される。
図６、図７を参照して、ＭＭＴフォーマットと、ＭＰＥＧ−２ＴＳフォーマットについて説明する。
【００８２】
まず、図６を参照して、ＭＰＥＧ−２ＴＳフォーマットについて説明する。
ＭＰＥＧ−２ＴＳフォーマットは画像（Ｖｉｄｅｏ）、音声（Ａｕｄｉｏ）、字幕（Ｓｕｂｔｉｔｌｅ）等、コンテンツ構成データである符号化データや管理情報（ＰＳＩ／ＳＩ）を記録媒体（メディア）に格納、または放送波やネットワークを介して伝送する際の符号化データ等のデータ格納形式（コンテナフォーマット）を規定したフォーマットである。
【００８３】
ＭＰＥＧ−２ＴＳフォーマットは、ＩＳＯ１３８１８−１において標準化されたフォーマットであり、例えばＢＤ（Ｂｌｕ−ｒａｙ（登録商標）  Ｄｉｓｃ）に対するデータ記録や、デジタル放送等に用いられている。
【００８４】
図６（ａ）〜（ｃ）はＭＰＥＧ−２ＴＳフォーマットデータの構成を示す図である。
最下段に示す図６（ａ）は、ＭＰＥＧ−２ＴＳのフォーマットデータの全体構成を示す図である。
図６（ａ）に示すように、ＭＰＥＧ−２ＴＳフォーマットデータは、複数のエレメンタリストリーム（Ｅｌｅｍｅｎｔａｒｙ  ｓｔｒｅａｍ）によって構成される。
エレメンタリストリーム（Ｅｌｅｍｅｎｔａｒｙ  ｓｔｒｅａｍ）は、例えば画像、音声、字幕等の１つの単位として設定されるユニットである。
【００８５】
１つのエレメンタリストリーム（Ｅｌｅｍｅｎｔａｒｙ  ｓｔｒｅａｍ）は、図２（ｂ）に示すように、１つまたは複数のＰＥＳ（Ｐａｃｋｅｔｉｚｅｄ  Ｅｌｅｍｅｎｔａｒｙ  ｓｔｒｅａｍ）パケットによって構成される。
具体的には、１つのエレメンタリストリーム（Ｅｌｅｍｅｎｔａｒｙ  ｓｔｒｅａｍ）は、ペイロードタイプ（Ｐａｙｌｏａｄ＿ｔｙｐｅ）＝０ｘ０で、かつ同じパケット識別子（Ｐａｃｋｅｔ＿ｉｄ）を持つＰＥＳパケットの１つ、または複数から構成される。
【００８６】
１つのＰＥＳパケットは、図６（ｃ）に示すように、１つまたは複数のＴＳパケットによって構成される。
具体的には、１つのＰＥＳパケットは、ペイロードタイプ（Ｐａｙｌｏａｄ＿ｔｙｐｅ）＝０ｘ０で、かつ同じパケット識別子（Ｐａｃｋｅｔ＿ｉｄ）を持つＴＳパケットの１つ、または複数から構成される。
ＴＳパケットは、前述のＭＭＴＰパケットと異なり、固定長であり、１つのＴＳパケットのパケットサイズは、１８８バイトに固定されている。
【００８７】
次に、図７を参照してＭＭＴ（ＭＰＥＧ  Ｍｅｄｉａ  Ｔｒａｎｓｐｏｒｔ）フォーマットについて説明する。
ＭＭＴフォーマットについては、先に図３を参照しているが、図７に示すＭＭＴフォーマットの説明図は、図６を参照して説明したＭＰＥＧ−２ＴＳフォーマットとの対応関係を分かり易く説明した図である。
【００８８】
先に説明したように、ＭＭＴフォーマットは、画像（Ｖｉｄｅｏ）、音声（Ａｕｄｉｏ）、字幕（Ｓｕｂｔｉｔｌｅ）等、コンテンツ構成データである符号化データを放送波やネットワークを介して伝送する際のデータ転送方式（トランスポートフォーマット）を規定したものである。
図７は、ＩＳＯ／ＩＥＣ  ２３００８−１に規定されるファイルフォーマットであるＭＭＴフォーマットについて説明する図である。
【００８９】
図７（ａ）〜（ｃ）にはＭＭＴフォーマットデータの構成を示している。
最下段に示す図７（ａ）は、ＭＭＴフォーマットデータの全体構成を示す図である。
図７（ａ）に示すように、ＭＭＴフォーマットデータは、複数のメディアプレゼンテーションユニット（ＭＰＵ：Ｍｅｄｉａ  ｐｒｅｓｅｎｔａｔｉｏｎ  ｕｎｉｔ）によって構成される。
ＭＰＵは、例えば画像、音声、字幕等の１つの単位として設定されるユニットである。例えば、画像の場合、１ＭＰＵが１つのＭＰＥＧ圧縮画像単位である１ＧＯＰ（Ｇｒｏｕｐ  ｏｆ  ｐｉｃｔｕｒｅ）に相当する。
【００９０】
１つのＭＰＵは、図７（ｂ）に示すように、１つまたは複数のメディアフラグメントユニット（ＭＦＵ：Ｍｅｄｉａ  Ｆｒａｇｍｅｎｔ  ｕｎｉｔ）によって構成される。
具体的には、１つのＭＰＵは、ペイロードタイプ（Ｐａｙｌｏａｄ＿ｔｙｐｅ）＝０ｘ０（ＭＰＵ）で、かつ同じパケット識別子（Ｐａｃｋｅｔ＿ｉｄ）を持つＭＦＵの１つ、または複数から構成される。
【００９１】
１つのＭＦＵは、図７（ｃ）に示すように、１つまたは複数のＭＭＴＰパケットによって構成される。
具体的には、１つのＭＦＵは、ペイロードタイプ（Ｐａｙｌｏａｄ＿ｔｙｐｅ）＝０ｘ０（ＭＰＵ）で、かつ同じパケット識別子（Ｐａｃｋｅｔ＿ｉｄ）を持つＭＭＴＰパケットの１つ、または複数から構成される。
ＭＭＴＰパケットは可変長であり、様々なパケットサイズに設定可能である。
ＭＭＴＰパケットの各々は、属性情報等を格納するヘッダ（ＭＭＴＰヘッダ）と、符号化画像の実データ等を格納するペイロード（ＭＭＴＰペイロード）により、構成される。
【００９２】
なお、ＢＤＡＶフォーマットに類似するフォーマットとしてＳＰＡＶフォーマットがある。前述したように、ＢＤＭＶやＢＤＡＶは、主にＢＤを利用したデータ記録再生のアプリケーション規格である。これに対して、ＳＰＡＶフォーマットは、主にハードディスクに対するデータ記録再生のアプリケーション規格である。
ただし、ＢＤＡＶフォーマット、ＳＰＡＶフォーマットのいずれも、ＢＤ，フラッシュメモリ、ＨＤＤ等、様々なメディアを利用した記録再生に利用可能なフォーマットである。
【００９３】
ＳＰＡＶフォーマットデータは、ＢＤＡＶフォーマットにおけるデータ記録再生処理と同様の処理でデータ記録再生を実行することが可能である。ただし、ＳＰＡＶフォーマットは、ファイル名設定が、ＢＤＡＶフォーマットと一部、異なっている。
図８にＳＰＡＶフォーマットのディレクトリ構成例を示す。
【００９４】
図８に示すＳＰＡＶフォーマットのディレクトリには、先に図４を参照して説明したＢＤＡＶフォーマットと同様、様々な管理情報、再生制御情報、再生対象データの格納ファイルが設定される。
【００９５】
管理情報ファイルは、例えば、図８に示すインフォファイル（ＩＮＦＯ）、メニューファイル（ＭＥＮＵ）、マークファイル（ＭＡＲＫ）等によって構成される。これらは、主にユーザに見せるタイトルの管理情報等を格納する。
また、再生制御情報ファイルとして、
プレイリストファイル（ＰＬＡＹＬＩＳＴ）、
クリップ情報ファイル（ＣＬＩＰＩＮＦ）
例えば、これらのファイルが記録される。
さらに、再生データ格納ファイルとして、クリップＡＶストリームファイル（ＳＴＲＥＡＭ）が記録される。
【００９６】
図８に示すようにＳＰＡＶフォーマットのディレクトリ名や各ファイルの拡張子の設定が、図４を参照して説明したＢＤＡＶフォーマットと異なっている。
ただし、各ファイルに格納されるデータや、各ファイルの役割は、ＢＤＡＶフォーマットと同様である。
【００９７】
以下の実施例の説明では、ＭＭＴフォーマットデータをＢＤＡＶフォーマットデータとして記録し、再生する処理例について説明するが、以下に説明する実施例は、ＭＭＴフォーマットデータをＳＰＡＶフォーマットデータとして記録し、再生する処理にも適用可能である。
【００９８】
［４．ＭＭＴフォーマットデータをＢＤＡＶフォーマットに従って記録する場合の処理について］
次に、ＭＭＴフォーマットデータをＢＤＡＶフォーマットに従って記録する場合の処理について説明する。
【００９９】
先に説明したように、ＭＭＴフォーマットは、今後、放送局等によって配信が予定される４Ｋ画像等に利用されるデータ配信フォーマットであり、図３を参照して説明したプロトコルスタックに従ったフォーマットである。
一方、ＢＤＡＶフォーマットはメディアに対するデータ記録フォーマットであり、図４を参照して説明したようにプレイリストファイルやクリップ情報ファイル等の再生制御情報ファイルを含むデータベースファイルが規定されている。
なお、ＢＤＡＶフォーマットはデータ記録フォーマットであるとともにデータ記録再生アプリケーション規格にも対応しており、ＢＤＡＶフォーマットに従ってメディアに記録されたデータ再生は、ＢＤＡＶフォーマット対応の再生アプリケーションを利用して再生処理が実行される。
【０１００】
従って、ＭＭＴフォーマットに従った配信コンテンツをメディアに記録し、記録したメディアからのコンテンツ再生処理をＢＤＡＶフォーマット対応の再生アプリケーションを利用して行なうためには、ＢＤＡＶフォーマットに従ったデータ記録を行うことが必要である。
【０１０１】
前述したように、現在、ＢＤＡＶフォーマットを拡張し、ＭＭＴフォーマットデータを記録、再生可能とするための規定について議論が進められている。
【０１０２】
なお、前述したように、ＭＭＴフォーマットデータをメディアに記録する場合のクリップＡＶストリームファイルは、
（１）ＭＭＴフォーマットをＭＰＥＧ−２ＴＳフォーマットに変換してクリップＡＶストリームファイルを生成する、あるいは、
（２）ＭＭＴフォーマットに従ったデータを格納したパケットのパケット列からなるクリップＡＶストリームファイルを生成する、
これらの２種類の処理が可能である。
【０１０３】
現在、上記（２）の処理、すなわち、ＭＭＴフォーマットに従ったデータを格納したパケットのパケット列からなるクリップＡＶストリームファイルを生成してメディアに記録する方向で議論が進んでいる。
具体的には、ＭＭＴＰ（ＭＭＴ  Ｐｒｏｔｏｃｏｌ）パケット、あるいはＭＭＴＰパケットの上位パケットであるＴＬＶ（Ｔｙｐｅ  Ｌｅｎｇｔｈ  Ｖａｌｕｅ）パケットのパケット列として記録する方向で議論が進んでいる。
【０１０４】
例えば、放送局等が送信するＭＭＴフォーマットに従った配信データを録画機等の情報処理装置が受信し、受信データをＢＤやフラッシュメモリ、あるいはＨＤＤ（ハードディスク）等のメディアに記録する処理を行う場合、画像、音声、字幕データや管理情報（ＳＩ）等のデータについては、ＭＭＴフォーマットに従ったデータを格納したパケットのパケット列としてそのまま記録する。
【０１０５】
すなわち、図４に示すＢＤＡＶフォーマット、あるいは図８に示すＳＰＡＶフォーマットに設定されるクリップＡＶストリームファイル［０２００１．ｍｍｔｖ等］に、ＭＭＴフォーマットに従ったデータを格納したパケットのパケット列を記録する。
なお、ＭＭＴフォーマットデータを格納したクリップＡＶストリームファイル［０２００１．ｍｍｔｖ等］に対応する再生制御情報ファイルであるプレイリストファイルやクリップ情報ファイルについては、ＭＭＴフォーマットデータ対応の制御情報を設定したプレイリストファイルやクリップ情報ファイルを記録装置が生成してメディアに記録することになる。
【０１０６】
なお、ＭＭＴフォーマットデータを格納したクリップＡＶストリームファイルは、具体的には、ＭＭＴＰ（ＭＭＴ  Ｐｒｏｔｏｃｏｌ）パケット、あるいはＭＭＴＰパケットの上位パケットであるＴＬＶ（Ｔｙｐｅ  Ｌｅｎｇｔｈ  Ｖａｌｕｅ）パケット、これら２種類のパケットのいずれかのパケット列として記録することが可能である。
【０１０７】
ＭＭＴフォーマットデータを格納したクリップＡＶストリームファイルの具体的な記録構成例について図９、図１０を参照して説明する。
図９は、ＢＤやフラッシュメモリ、あるいはＨＤＤ（ハードディスク）等の記録メディアに、ＭＭＴフォーマットに従ったＭＭＴＰ（ＭＭＴ  Ｐｒｏｔｏｃｏｌ）パケット列を記録する処理例を説明する図である。
【０１０８】
図９には、以下の３つのデータを示している。
（Ａ）放送配信データであるＴＬＶパケット列
（Ｂ）受信再生データとして処理される１つのＴＬＶパケット
（Ｃ）メディア記録用データの構成として提案されているＭＭＴＰパケット列
【０１０９】
（Ａ）放送配信データであるＴＬＶパケット列は、先に図２を参照して説明したＭＭＴ（ＭＰＥＧ  Ｍｅｄｉａ  Ｔｒａｎｓｐｏｒｔ）フォーマットを有するＴＬＶパケットの列（シーケンス）である。
このＴＬＶパケット列が、放送局等の送信装置２０から送信される。
【０１１０】
（Ｂ）受信再生データとして処理される１つのＴＬＶパケットは、テレビや録画機等の情報処理装置３０が受信し、再生処理を行う１つのＴＬＶパケットである。（Ａ）に示すＴＬＶパケット列を構成する１つのＴＬＶパケットの詳細構成を示している。
先に図２を参照して説明したＭＭＴ（ＭＰＥＧ  Ｍｅｄｉａ  Ｔｒａｎｓｐｏｒｔ）フォーマットを有するＴＬＶパケットである。
【０１１１】
（Ｃ）メディア記録用データの構成として示すＭＭＴＰパケット列は、現在、メディアに対する記録データとして提案されているＭＭＴＰパケット列である。
メディアに記録されるＭＭＴＰパケットは、図９（Ｂ）との対応関係を示す点線から理解されるように、ＴＬＶパケットの一部の構成データであるＭＭＴＰパケットであり、以下の要素から構成される。
（ａ）ＭＭＴＰパケットヘッダ（ＭＭＴＰ＿ｐａｃｋｅｔ＿ｈｅａｄｅｒ）
（ｂ）ＭＭＴＰパケットデータ（ＭＭＴＰ＿ｐａｃｋｅｔ＿ｄａｔａ）（＝ペイロード）
【０１１２】
なお、ＭＭＴＰパケットデータ（ＭＭＴＰ＿ｐａｃｋｅｔ＿ｄａｔａ）（＝ペイロード）は以下の要素によって構成される。
（ｂ１）ＭＭＴＰペイロードヘッダ（ＭＭＴＰ＿ｐａｙｌｏａｄ＿ｈｅａｄｅｒ）
（ｂ２）ＭＭＴＰペイロードデータ（ＭＭＴＰ＿ｐａｙｌｏａｄ＿ｄａｔａ）
【０１１３】
現在、情報記録媒体（メディア）に対する記録データとして提案されている一つの構成が、この図９（Ｃ）に示すような、ＴＬＶパケットの構成要素であるＭＭＴＰパケットのみを取り出して、一列に並べて記録する構成である。
【０１１４】
図１０は、ＢＤやフラッシュメモリ、あるいはＨＤＤ（ハードディスク）等の記録メディアに、ＭＭＴＰ（ＭＭＴ  Ｐｒｏｔｏｃｏｌ）パケットではなく、ＭＭＴＰパケットを格納した上位のＴＬＶパケットのパケット列を記録する処理例を説明する図である。
【０１１５】
図１０には、図９と同様、以下の３つのデータを示している。
（Ａ）放送配信データであるＴＬＶパケット列
（Ｂ）受信再生データとして処理される１つのＴＬＶパケット
（Ｃ）メディア記録用データの構成として提案されているＴＬＶパケット列
【０１１６】
（Ａ），（Ｂ）は、図９を参照して説明したと同様のデータである。
（Ｃ）メディア記録用データの構成として示すＴＬＶパケット列は、現在、メディアに対する記録データとして提案されているもう１つの例であるＴＬＶパケット列である。
メディアに記録されるＴＬＶパケットは、図１０（Ｂ）との対応関係を示す点線から理解されるように、ＭＭＴＰパケットを含むＴＬＶパケットであり、以下の要素から構成される。
（ａ）ＴＬＶパケットヘッダ（ＴＬＶ＿ｈｅａｄｅｒ）
（ｂ）ＴＬＶパケットデータ（ＴＬＶ＿ｄａｔａ）（＝ペイロード）
【０１１７】
このように、ＢＤ等のメディアに対するＭＭＴフォーマットデータの記録態様として、
図９を参照して説明したＭＭＴＰ（ＭＭＴ  Ｐｒｏｔｏｃｏｌ）パケットのパケット列、あるいは、
図１０を参照して説明したＴＬＶ（Ｔｙｐｅ  Ｌｅｎｇｔｈ  Ｖａｌｕｅ）パケットのパケット列、
これらいずれかのパケット列として記録することが想定される。
【０１１８】
図９、または図１０に示すような設定でＭＭＴフォーマットデータをメディアに記録して、ＭＭＴフォーマットデータの再生処理をＢＤＡＶフォーマット対応の再生アプリケーションを利用して行う場合、ＢＤＡＶフォーマット対応の再生制御情報ファイル、すなわち、プレイリストファイルやクリップ情報ファイルを利用して再生を行うことになる。
なお、ＢＤＡＶフォーマットはデータ記録フォーマットであるとともにデータ記録再生アプリケーション規格にも対応しており、ＢＤＡＶフォーマットに従ってメディアに記録されたデータの再生は、ＢＤＡＶフォーマット対応の再生アプリケーションを利用して実行される。
【０１１９】
ＢＤＡＶフォーマットは、再生制御情報ファイルであるプレイリストファイルやクリップ情報ファイル等のＢＤＡＶフォーマット固有のデータベースファイルを規定しており、ＢＤＡＶ対応再生アプリケーションはこれらの再生制御情報ファイル（データベースファイル）の記録情報を利用してデータ再生処理を実行する。
【０１２０】
前述したように、ＢＤＡＶフォーマット規定のプレイリストファイルやクリップ情報ファイル等のデータベースファイルは、もともと、ＭＰＥＧ−２ＴＳフォーマットの配信データに基づいて生成可能なファイルとして規定されたものである。
従って、ＭＰＥＧ−２ＴＳフォーマットとはフォーマットの異なるＭＭＴフォーマットに従った配信データは、現行のＢＤＡＶフォーマット規定のプレイリストファイルやクリップ情報ファイルにそのまま記録しても、現行のＢＤＡＶ対応再生アプリケーションが利用できないデータとなる場合がある。
【０１２１】
ＭＭＴフォーマットデータをメディアに記録し、ＢＤＡＶフォーマット対応アプリを利用してコンテンツ再生を行うことを可能とするためには、メディアに対するＭＭＴフォーマットデータの記録処理に際して、ＭＭＴフォーマットデータ対応のプレイリストファイルやクリップ情報ファイルを生成してメディアに記録することが必要となる。
また、メディアに記録されたＭＭＴフォーマットデータの再生時には、ＭＭＴフォーマットデータ対応のプレイリストファイルやクリップ情報ファイルを利用して再生を行うことが必要となる。
【０１２２】
具体的には、図１１に示すように、ＭＭＴフォーマットデータ格納クリップＡＶストリームファイル５１対応のクリップ情報ファイル（ｎｎｎｎｎ．ｃｌｐｉ）５２と、プレイリストファイル（ｎｎｎｎｎ．ｒｐｌｓ）５３を生成して、メディア（ＢＤ，フラッシュメモリ，ＨＤＤ等）に記録して再生に利用する処理が必要となる。
【０１２３】
メディアに記録されたＭＭＴフォーマットデータ格納クリップＡＶストリームファイル５１を再生する場合には、このＭＭＴフォーマットデータ格納クリップＡＶストリームファイル５１対応のクリップ情報ファイル（ｎｎｎｎｎ．ｃｌｐｉ）５２と、プレイリストファイル（ｎｎｎｎｎ．ｒｐｌｓ）５３を利用して再生処理を行うことができる。
【０１２４】
しかし、前述したように、放送局の配信データであるＭＭＴフォーマットに従って配信されるデータは、ＢＤＡＶフォーマットで規定するプレイリストファイルやクリップ情報ファイルの記録用データを全て含むようには構成されていない。
また、ＭＭＴフォーマットデータ格納クリップＡＶストリームファイル５１は、ＭＰＥＧ−２ＴＳフォーマットデータとは異なるデータ形式となり、ＭＰＥＧ−２ＴＳフォーマットデータ対応のプレイリストファイルやクリップ情報ファイルと同一形式のデータを持つプレイリストファイルやクリップ情報ファイルを利用しても、正しい再生処理は実行できないという問題がある。
【０１２５】
従って、このＭＭＴフォーマットデータをメディアに記録して、ＢＤＡＶフォーマット対応アプリを利用してコンテンツ再生を行うためには、ＭＭＴフォーマットデータ格納クリップＡＶストリームファイル５１の再生制御を行うことができるＭＭＴフォーマットデータ固有のデータ形式を持つプレイリストファイルやクリップ情報ファイルを生成してメディアに記録することが必要となる。
【０１２６】
［５．ＭＭＴフォーマットに従った音声データについて］
先に図９、図１０を参照して説明したように、放送局から配信されるＭＭＴフォーマットデータを、ＢＤＡＶフォーマット、またはＳＰＡＶフォーマットデータとしてＢＤ等のメディアに記録する場合、画像、音声、字幕等の再生データや、制御情報（ＳＩ）等のデータは、例えばＭＭＴＰパケット列またはＴＬＶパケット列として記録される。
これらのパケット列は、ＢＤＡＶフォーマットやＳＰＡＶフォーマットに規定されるクリップＡＶストリームファイルとして記録される。
【０１２７】
また、図１１を参照して説明したように、メディアに記録されたＭＭＴフォーマットデータを格納したＭＭＴＰパケット列またはＴＬＶパケット列からなるクリップＡＶストリームファイル５１内の再生データを再生する場合には、このＭＭＴフォーマットデータ格納クリップＡＶストリームファイル５１対応のクリップ情報ファイル（ｎｎｎｎｎ．ｃｌｐｉ）５２と、プレイリストファイル（ｎｎｎｎｎ．ｒｐｌｓ）５３を利用して再生処理を行うことが必要となる。
【０１２８】
しかし、現行のＢＤＡＶフォーマットやＳＰＡＶフォーマットにおいて規定されているクリップ情報ファイルや、プレイリストファイルは、本来、ＭＥＧ−２ＴＳフォーマットデータに対応する再生制御情報として規定されたものであり、ＭＭＴフォーマットデータに対する再生制御情報として、そのまま利用することはできない。
従って、ＭＭＴフォーマットデータをメディアに記録して、ＢＤＡＶフォーマット対応アプリを利用してコンテンツ再生を行うためには、ＢＤＡＶフォーマットの規定するプレイリストファイルやクリップ情報ファイルを生成してメディアに記録する処理が必要となる。
【０１２９】
先に図２を参照して説明したように、例えば放送局から配信されるＭＭＴフォーマット音声データには、例えば、以下の２つの異なる音声符号化規格に従ったデータが含まれる。
（１）ＭＰＥＧ４  ＡＡＣ  ＬＣ（Ａｄｖａｎｃｅｄ  Ａｕｄｉｏ  Ｃｏｄｉｎｇ  Ｌｏｗ  Ｃｏｍｐｌｅｘｉｔｙ）に従った符号化音声データ、
（２）ＭＰＥＧ４  ＡＬＳ（Ａｕｄｉｏ  Ｌｏｓｌｅｓｓ  Ｃｏｄｉｎｇ）に従った符号化音声データ、
放送局から配信される音声データは、上記の２つの異なる音声符号化規格に従ったデータの少なくともいずれかである。
【０１３０】
ＭＰＥＧ４  ＡＡＣ  ＬＣは、ＭＰＥＧ２  ＡＡＣをベースとした改良された符号化フォーマットであり、符号化遅延低減、低ビットレート符号化、ビットレート拡張性などを実現した音声符号化フォーマットである。
一方、ＭＰＥＧ４  ＡＬＳは、データロスを発生させることのないロスレス圧縮方式（可逆圧縮）を適用した音声符号化フォーマットであり、高音質な音声データの再生を可能としている。
【０１３１】
なお、ＭＭＴフォーマットにおいて配信される上記の２種類の符号化音声データは、
（ＬＡＴＭ／ＬＯＡＳ）ストリーム形式で配信される。
ＬＡＴＭ（Ｌｏｗ  Ｏｖｅｒｈｅａｄ  Ａｕｄｉｏ  Ｔｒａｎｓｐｏｒｔ  Ｍｕｌｔｏｐｌｅｘ）は多重化処理の規定（ＩＳＯ／ＩＥＣ１４４９６−３）であり、
ＬＯＡＳ（Ｌｏｗ  Ｏｖｅｒｈｅａｄ  Ａｕｄｉｏ  Ｓｔｒｅａｍ）は、転送方式の規定（ＩＳＯ／ＩＥＣ１４４９６−３）である。
【０１３２】
すなわち、ＭＭＴフォーマットにおいて配信される音声符号化データストリームは、
（１）ＭＰＥＧ４  ＡＡＣ  ＬＣ（ＬＡＴＭ／ＬＯＡＳ）
（２）ＭＰＥＧ４  ＡＬＳ（ＬＡＴＭ／ＬＯＡＳ）
上記２つのストリームのいずれかである。
【０１３３】
なお、１つの番組について、いずれか一方の音声データのみを配信する設定、すなわち、
ＭＰＥＧ４  ＡＡＣ  ＬＣ、またはＭＰＥＧ４  ＡＬＳのいずれかを配信する設定と、
ＭＰＥＧ４  ＡＡＣ  ＬＣと、ＭＰＥＧ４  ＡＬＳ、これら２つの音声データを配信し、受信側において選択可能とした設定が可能である。
【０１３４】
例えば放送局等の送信装置は、先に図３を参照して説明したようにＭＭＴＰパケットおよびＴＬＶパケットに音声データを格納して配信する。
パケットに格納された音声データが、上記のＡＡＣ  ＬＣ符号化音声データであるか、ＡＬＳ符号化音声データであるかについては、例えば、音声データを格納したパケット内の属性データ記録領域や、ＭＭＴフォーマット対応の制御情報（ＳＩ）であるＭＭＴパッケージテーブル（ＭＰＴ）等に記録されている。
【０１３５】
放送波を受信して再生を行うテレビ等の受信装置は、これらのパケット内記録データや、ＭＭＴパッケージテーブル（ＭＰＴ）を参照して、再生対象データが、ＡＡＣ  ＬＣ符号化音声データであるか、ＡＬＳ符号化音声データであるかを判別して、判別結果に応じた復号処理を行うことができる。
【０１３６】
放送局等から配信されるＭＭＴフォーマットデータを、ＢＤＡＶフォーマット、またはＳＰＡＶフォーマットデータとしてＢＤ等のメディアに記録する場合、画像、音声、字幕等の再生データや、制御情報（ＳＩ）等のデータは、ＭＭＴＰパケット列またはＴＬＶパケット列として記録される。
これらのパケット列は、ＢＤＡＶフォーマットやＳＰＡＶフォーマットに規定されるクリップＡＶストリームファイルとして記録される。
【０１３７】
メディアから記録データの再生を行う情報処理装置（再生装置）のデータ再生手順は、先に図４、図５を参照して説明したように、以下の手順に従ったものとなる。
（ａ）まず、再生アプリケーションによって管理情報ファイルから特定のプレイリストを指定する。
（ｂ）選択されたプレイリストに規定されたクリップ情報ファイルを選択し、クリップ情報ファイルの記録データに従って、クリップＡＶストリームファイルから、画像、音声等の再生データであるＡＶストリームあるいはコマンドを読み出して、ＡＶストリームの再生や、コマンドの実行処理を開始する。
【０１３８】
しかし、現行のＢＤＡＶフォーマットやＳＰＡＶフォーマット規定のプレイリストファイルや、クリップ情報ファイルには、上述したＭＭＴフォーマット対応の２つの異なる音声符号化データ（ＭＰＥＧ４  ＡＡＣ  ＬＣと、ＭＰＥＧ４  ＡＬＳ）を識別する情報が記録されていない。
【０１３９】
従って、再生装置は、クリップＡＶストリームファイルから音声データ格納パケットを取得して、取得したパケットのパケット内記録データを参照するか、あるいは、クリップＡＶストリームファイル中に記録された制御情報（ＳＩ）としてのＭＭＴパッケージテーブル（ＭＰＴ）を参照しなければ、パケット内の音声データが、
（１）ＭＰＥＧ４  ＡＡＣ  ＬＣ符号化音声データであるか、
（２）ＭＰＥＧ４  ＡＬＳ符号化音声データであるか、
上記のいずれの音声データであるかを確認することができない。
【０１４０】
これら２つの異なる音声符号化データの復号処理は、異なる処理として実行することが必要である。すなわち各音声符号化対応のコーデックを適用した復号を行うことが必要となる。
従って、メディアに記録された音声データの再生を行う場合、音声データ格納パケットのパケット内記録データ、あるいは、ＭＭＴパッケージテーブル（ＭＰＴ）を参照しなければ、どのコーデックを適用すべきかを決定できなくなり、再生処理開始までの遅延が大きくなるという問題がある。
【０１４１】
また、前述したように、１つの番組コンテンツに対する音声データとして、ＭＰＥＧ４  ＡＡＣ  ＬＣと、ＭＰＥＧ４  ＡＬＳ、これら２つの音声データが配信されることがある。
これら２種類の音声データをメディアに記録した場合、メディアからのコンテンツ再生開始前に、ユーザ（視聴者）に再生対象とする音声を選択させるといった処理を行うことが想定される。
【０１４２】
しかし、このような処理を行う場合にも、クリップＡＶストリームファイルから音声データ格納パケットを取得して、取得した音声データ格納パケットのパケット内記録データを参照するか、あるいは、クリップＡＶストリームファイル中に記録された制御情報（ＳＩ）であるＭＭＴパッケージテーブル（ＭＰＴ）を参照しなければ、２種類の音声データが記録されていることを確認することができない。
このような処理には多大な処理時間が必要となるという問題が発生する。
【０１４３】
［６．クリップ情報ファイルに対する音声識別情報の記録例について］
以下、上述した問題点を解決する一構成例として、クリップ情報ファイルに音声識別情報を記録した例についてに説明する。
【０１４４】
以下において説明する構成は、
ＢＤ等のメディアに記録したクリップＡＶストリームファイルがＭＭＴフォーマットである場合、そのクリップＡＶストリームファイルの再生制御情報ファイルであるクリップ情報ファイルに、このクリップ情報ファイルを適用した再生対象音声データが、
（１）ＭＰＥＧ４  ＡＡＣ  ＬＣ符号化音声データであるか、
（２）ＭＰＥＧ４  ＡＬＳ符号化音声データであるか、
上記のいずれの音声データであるかを識別可能とした音声識別情報を記録した構成である。
【０１４５】
まず、図１２を参照してクリップ情報ファイルのデータ構成（シンタクス）について説明する。
先に説明したように、クリップ情報ファイルには、そのクリップ情報ファイルを適用して再生するデータに関する情報が記録される。具体的には、例えば、クリップＡＶストリームファイルの再生位置情報等を有する。
【０１４６】
図１２は、１つのクリップ情報ファイルのデータ構成（シンタクス）を示す図である。
クリップ情報ファイルには、クリップ情報に対応付けられた再生データに関する情報が記録される。図１２に示すように、例えば、以下の各情報が記録される。
クリップ情報［ＣｌｉｐＩｎｆｏ（）］１０１、
シーケンス情報［ＳｅｑｕｅｎｃｅＩｎｆｏ（）］１０２、
プログラム情報［ＰｒｏｇｒａｍＩｎｆｏ（）］１０３、
【０１４７】
クリップ情報［ＣｌｉｐＩｎｆｏ（）］１０１には、クリップ情報ファイルに対応するＡＶストリームファイルの属性情報を記録する。
シーケンス情報［ＳｅｑｕｅｎｃｅＩｎｆｏ（）］１０２には、このクリップ情報ファイルに対応するＡＶストリームファイルに格納された再生対象データの再生シーケンスに関する情報を記録する。
【０１４８】
プログラム情報［ＰｒｏｇｒａｍＩｎｆｏ（）］１０３には、クリップ情報ファイルによって再生されるクリップＡＶストリームの再生区間や時間区間の定義情報等を含むプログラム(ｐｒｏｇｒａｍ＿ｓｅｑｕｅｎｃｅ)に関する情報を記録する。
プログラム情報［ＰｒｏｇｒａｍＩｎｆｏ（）］１０３の記録情報の詳細について、図１３以下を参照して説明する。
【０１４９】
図１３は、プログラム情報［ＰｒｏｇｒａｍＩｎｆｏ（）］のデータ構成（シンタクス）を示す図である。
プログラム情報［ＰｒｏｇｒａｍＩｎｆｏ（）］に記録される主なデータについて説明する。
【０１５０】
（ａ）プログラムシーケンス数［ｎｕｍ＿ｏｆ＿ｐｒｏｇｒａｍ＿ｓｅｑｕｅｎｃｅｓ］１１１には、クリップ情報ファイルに含まれるプログラムシーケンス（ｐｒｏｇｒａｍ＿ｓｅｑｕｅｎｃｅ）の数が記録される。
（ｂ）ＳＰＮプログラムシーケンス開始アドレス［ＳＰＮ＿ｐｒｏｇｒａｍ＿ｓｅｑｕｅｎｃｅ＿ｓｔａｒｔ［ｉ］］１１２には、ＡＶストリームファイル上でプログラムシーケンスが開始する場所の相対アドレスが記録される。
（ｃ）プログラムマップＰＩＤ［ｐｒｏｇｒａｍ＿ｍａｐ＿ＰＩＤ［ｉ］］１１３には、プログラムシーケンス（ｐｒｏｇｒａｍ＿ｓｅｑｕｅｎｃｅ）のマップが格納されているパケットの識別子（ＰＩＤ）が記録される。
【０１５１】
（ｄ）ストリームＰＩＤ［ｓｔｒｅａｍ＿ＰＩＤ］１１４には、このクリップ情報ファイルのプログラムシーケンスに従って再生されるストリームが格納されているパケットの識別子（ＰＩＤ）が記録される。
（ｅ）ストリームコーディング情報［ＳｔｒｅａｍＣｏｄｉｎｇＩｎｆｏ］１１５には、再生対象ストリームのコーディング（符号化）情報が記録される。
【０１５２】
このように、クリップ情報ファイルには、再生対象として関連付けられたクリップＡＶストリームファイル格納データの再生に必要な様々な情報が記録される。
【０１５３】
図１４は、クリップ情報ファイルのプログラム情報［ＰｒｏｇｒａｍＩｎｆｏ（）］記録領域内に設定されるストリームコーディング情報［ＳｔｒｅａｍＣｏｄｉｎｇＩｎｆｏ］のデータ構成（シンタクス）を示す図である。
ストリームコーディング情報［ＳｔｒｅａｍＣｏｄｉｎｇＩｎｆｏ］には、以下のデータが記録される。
（１）画像ストリームコーディング情報１２１、
（２）音声ストリームコーディング情報１２２、
【０１５４】
なお、情報記録媒体（メディア）に記録される画像ストリームや、音声ストリームの符号化態様（コーディングタイプ（ｓｔｒｅａｍ＿ｃｏｄｉｎｇ＿ｔｙｐｅ））は、様々なタイプが許容されており、画像、音声とも各コーディングタイプに応じた識別子が予め規定されている。
画像は、コーディングタイプ（符号化タイプ）に応じて、例えば、タイプ識別子＝０ｘ０１，０ｘ０２、０ｘ１Ｂ等が対応付けられている。
音声は、コーディングタイプ（符号化タイプ）に応じてタイプ識別子＝０ｘ０３、０ｘ０４、０ｘ０Ｆ、０ｘ８０，０ｘ８１等が対応付けられている。
【０１５５】
例えば、
コーディングタイプ０ｘ０１はＭＰＥＧ−１画像ストリーム、
０ｘ０２はＭＰＥＧ−２画像ストリーム、
０ｘ０３はＭＰＥＧ−１音声ストリーム、
これらの設定である。
【０１５６】
なお、ＭＭＴフォーマットでは、現行のＢＤＡＶフォーマットでは規定されていない画像符号化タイプであるＨＥＶＣ符号化が用いられる。
この新たな符号化タイプについても新たに符号化タイプ識別子を割り振ることになる。
【０１５７】
同様に、音声データについても、ＭＭＴフォーマットでは、現行のＢＤＡＶフォーマットでは規定されていない音声符号化データが用いられる。
すなわち、
（１）ＭＰＥＧ４  ＡＡＣ  ＬＣ符号化音声データ、
（２）ＭＰＥＧ４  ＡＬＳ符号化音声データ、
これらの符号化音声データが利用される。
【０１５８】
しかし、これら２種類の符号化音声データに対するコーディングタイプ識別子（ｓｔｒｅａｍ＿ｃｏｄｉｎｇ＿ｔｙｐｅ）は、ＭＰＥＧ２規格であるＩＳＯ１３８１８−１では同じ、すなわち、いずれも同じ識別子の設定となっている。
具体的には、ＩＳＯ１３８１８−１では、ＩＳＯ／ＩＥＣ１４４９６−３に規定する多重化処理として、前述のＬＡＴＭ（Ｌｏｗ  Ｏｖｅｒｈｅａｄ  Ａｕｄｉｏ  Ｔｒａｎｓｐｏｒｔ  Ｍｕｌｔｏｐｌｅｘ）を適用している符号化音声データについて、すべて、コーディングタイプ＝０ｘ１１を設定している。
【０１５９】
ＭＭＴフォーマットにおいて配信される音声符号化データである、
（１）ＭＰＥＧ４  ＡＡＣ  ＬＣ（ＬＡＴＭ／ＬＯＡＳ）
（２）ＭＰＥＧ４  ＡＬＳ（ＬＡＴＭ／ＬＯＡＳ）
上記２つの音声符号化データは、いずれも多重化処理として、ＬＡＴＭ（Ｌｏｗ  Ｏｖｅｒｈｅａｄ  Ａｕｄｉｏ  Ｔｒａｎｓｐｏｒｔ  Ｍｕｌｔｏｐｌｅｘ）を適用している符号化音声データであり、同じ識別子［０ｘ１１］が設定される。
【０１６０】
従って、ＢＤＡＶフォーマットデータを再生する再生装置は、メディアに記録されたクリップ情報ファイルに記録されたコーディングタイプ（ｓｔｒｅａｍ＿ｃｏｄｉｎｇ＿ｔｙｐｅ）として、
［０ｘ１１］が設定されていた場合、この音声データが、
（１）ＭＰＥＧ４  ＡＡＣ  ＬＣ符号化音声データ、
（２）ＭＰＥＧ４  ＡＬＳ符号化音声データ、
これら２種類のどちらかであるとの判断はできるが、
これら２種類のどちらの符号化音声データであるかについては識別することができない。
【０１６１】
図１４に示すように、現行のクリップ情報ファイルのプログラム情報［ＰｒｏｇｒａｍＩｎｆｏ（）］記録領域内に設定される音声ストリームコーディング情報１２２には、以下の各情報が記録される。
（２ａ）音声タイプ（ａｕｄｉｏ＿ｐｒｅｓｅｎｔａｔｉｏｎ＿ｔｙｐｅ）１３１
（２ｂ）サンプリング周波数（ｓａｍｐｌｉｎｇ＿ｆｒｅｑｕｅｎｃｙ）１３２
【０１６２】
これらの各データの記録例について、図１５を参照して説明する。
図１５（ａ）音声タイプ記録データは、ビット値０〜１５に対して、モノチャネル、ステレオ、サラウンド等の様々な音声タイプ情報を識別可能なデータ設定となっている。
図１５（ｂ）サンプリング周波数は、ビット値０〜１５に対して、４８〜１９２ｋＨｚの各サンプリング周波数を識別可能なデータ設定となっている。
これらの音声データ形式については、ＭＭＴフォーマットに従った配信データも現行のＢＤＡＶフォーマットにおける定義データの範囲内であり、特に変更を要しない。
【０１６３】
しかし、これらの各データのみでは、コーディングタイプ（ｓｔｒｅａｍ＿ｃｏｄｉｎｇ＿ｔｙｐｅ）として、［０ｘ１１］が設定されている音声データが、
（１）ＭＰＥＧ４  ＡＡＣ  ＬＣ符号化音声データ、
（２）ＭＰＥＧ４  ＡＬＳ符号化音声データ、
これら２種類のどちらの符号化音声データであるかについては識別することができない。
【０１６４】
以下、上記問題を解決する新たなクリップ情報ファイルの構成例について説明する。
以下に示す２つの実施例について、順次、説明する。
（実施例１）音声データ格納パケットから音声識別情報を取得する実施例
（実施例２）ＭＭＴパッケージテーブル（ＭＰＴ）から音声識別情報を取得する実施例
【０１６５】
［６−１．（実施例１）音声データ格納パケットに記録された音声識別情報を取得してクリップ情報ファイルに記録する実施例］
まず、実施例１として、音声データ格納パケットに記録された音声識別情報を取得してクリップ情報ファイルに記録する実施例について説明する。
【０１６６】
すなわち、音声データが、
（１）ＭＰＥＧ４  ＡＡＣ  ＬＣ（ＬＡＴＭ／ＬＯＡＳ）符号化音声データ、
（２）ＭＰＥＧ４  ＡＬＳ（ＬＡＴＭ／ＬＯＡＳ）符号化音声データ、
これら２種類の音声データのいずれであるかを示す識別情報を音声データ格納パケットから取得してクリップ情報ファイルに記録する実施例について説明する。
【０１６７】
図１６は、実施例１に従ったクリップ情報ファイルのプログラム情報［ＰｒｏｇｒａｍＩｎｆｏ（）］のストリームコーディング情報［ＳｔｒｅａｍＣｏｄｉｎｇＩｎｆｏ］のデータ構成（シンタクス）を示す図である。
【０１６８】
図１６に示すストリームコーディング情報［ＳｔｒｅａｍＣｏｄｉｎｇＩｎｆｏ］は、このクリップ情報ファイルの制御対象となる音声データが、
（１）ＭＰＥＧ４  ＡＡＣ  ＬＣ符号化音声データ、
（２）ＭＰＥＧ４  ＡＬＳ符号化音声データ、
これら２種類のどちらの符号化音声データであるかについて識別可能とした構成を有する。
【０１６９】
図１６に示すストリームコーディング情報［ＳｔｒｅａｍＣｏｄｉｎｇＩｎｆｏ］は、先に図１４を参照して説明したと同様、以下のデータが記録される。
（１）画像ストリームコーディング情報１２１、
（２）音声ストリームコーディング情報１２２、
【０１７０】
図１６に示すストリームコーディング情報［ＳｔｒｅａｍＣｏｄｉｎｇＩｎｆｏ］には、
コーディングタイプ（ｓｔｒｅａｍ＿ｃｏｄｉｎｇ＿ｔｙｐｅ）＝［０ｘ１１］
上記コーディングタイプ［０ｘ１１］の音声データ属性情報記録領域１３０が設定されている。
【０１７１】
なお、前述したように、コーディングタイプ＝［０ｘ１１］は、
（１）ＭＰＥＧ４  ＡＡＣ  ＬＣ符号化音声データ、
（２）ＭＰＥＧ４  ＡＬＳ符号化音声データ、
これら２種類の符号化音声データの双方に対応付けられるタイプ識別子であり、このタイプ識別子［０ｘ１１］のみでは、上記（１），（２）どちらの符号化音声データであるかについては識別することができない。
【０１７２】
図１６に示すストリームコーディング情報［ＳｔｒｅａｍＣｏｄｉｎｇＩｎｆｏ］のコーディングタイプ［０ｘ１１］の音声データ属性情報記録領域１３０には、以下の各情報が記録される。
（ａ）音声タイプ（ａｕｄｉｏ＿ｐｒｅｓｅｎｔａｔｉｏｎ＿ｔｙｐｅ）１３１
（ｂ）サンプリング周波数（ｓａｍｐｌｉｎｇ＿ｆｒｅｑｕｅｎｃｙ）１３２
（ｃ）音声オブジェクトタイプ（ａｕｄｉｏＯｂｊｅｃｔＴｙｐｅ）１３３
【０１７３】
これらのデータ中、以下のデータ（ａ），（ｂ）、すなわち、
（ａ）音声タイプ（ａｕｄｉｏ＿ｐｒｅｓｅｎｔａｔｉｏｎ＿ｔｙｐｅ）１３１
（ｂ）サンプリング周波数（ｓａｍｐｌｉｎｇ＿ｆｒｅｑｕｅｎｃｙ）１３２
これらのデータは、先に、図１５を参照して説明したデータと同様のデータである。
【０１７４】
なお、放送局等の送信装置から受信するＭＭＴフォーマットデータの場合、これらの情報は、例えばＭＭＴフォーマット対応の制御情報（ＳＩ）であるＭＭＴパッケージテーブル（ＭＰＴ）に記録されている。
ＢＤ等のメディアにＭＭＴフォーマットデータを記録する記録装置は、ＭＭＴフォーマット対応の制御情報（ＳＩ）であるＭＭＴパッケージテーブル（ＭＰＴ）から、上記（ａ），（ｂ）の各データを読み取り、クリップ情報ファイルに記録する。
なお、具体的なＭＭＴパッケージテーブル（ＭＰＴ）の記録データの例については後段で説明する。
【０１７５】
これら（ａ），（ｂ）の音声属性情報、すなわち、
（ａ）音声タイプ（ａｕｄｉｏ＿ｐｒｅｓｅｎｔａｔｉｏｎ＿ｔｙｐｅ）１３１
（ｂ）サンプリング周波数（ｓａｍｐｌｉｎｇ＿ｆｒｅｑｕｅｎｃｙ）１３２
これらの音声属性情報は、図１４、図１５を参照して説明したように、コーディングタイプ［０ｘ１１］以外の音声データ、すなわちコーディングタイプ［０ｘ０３］〜［０ｘ８４］等の音声データに対しても設定されている情報である。
【０１７６】
図１６に示すように、コーディングタイプ［０ｘ１１］の音声データについては、さらに、
（ｃ）音声オブジェクトタイプ（ａｕｄｉｏＯｂｊｅｃｔＴｙｐｅ）１３３
上記の音声属性情報を記録する。
【０１７７】
この音声オブジェクトタイプ（ａｕｄｉｏＯｂｊｅｃｔＴｙｐｅ）１３３が、
コーディングタイプ＝［０ｘ１１］に含まれる以下の２種類のデータ、すなわち、
（１）ＭＰＥＧ４  ＡＡＣ  ＬＣ符号化音声データ、
（２）ＭＰＥＧ４  ＡＬＳ符号化音声データ、
これら２種類の符号化音声データの識別子、すなわち音声識別情報として利用される。
【０１７８】
音声オブジェクトタイプ（ａｕｄｉｏＯｂｊｅｃｔＴｙｐｅ）１３３の具体的な記録データ例を図１７に示す。
音声オブジェクトタイプ（ａｕｄｉｏＯｂｊｅｃｔＴｙｐｅ）＝２の場合、
このコーディングタイプ＝［０ｘ１１］の符号化音声データが、
ＭＰＥＧ４  ＡＡＣ  ＬＣ（ＬＡＴＭ／ＬＯＡＳ）符号化音声データであることを意味する。
【０１７９】
一方、
音声オブジェクトタイプ（ａｕｄｉｏＯｂｊｅｃｔＴｙｐｅ）＝３６の場合、
このコーディングタイプ＝［０ｘ１１］の符号化音声データが、
ＭＰＥＧ４  ＡＬＳ（ＬＡＴＭ／ＬＯＡＳ）符号化音声データであることを意味する。
【０１８０】
ＢＤ等のメディアに記録されたデータの再生を行う再生装置は、この音声オブジェクトタイプ（ａｕｄｉｏＯｂｊｅｃｔＴｙｐｅ）の記録データを参照することで、このクリップ情報ファイルの再生制御対象となる音声データが、
（１）ＭＰＥＧ４  ＡＡＣ  ＬＣ（ＬＡＴＭ／ＬＯＡＳ）符号化音声データ、
（２）ＭＰＥＧ４  ＡＬＳ（ＬＡＴＭ／ＬＯＡＳ）符号化音声データ、
これらのいずれの音声データであるかを識別することが可能となる。
【０１８１】
なお、放送局等の送信装置から受信するＭＭＴフォーマットデータの場合、この音声オブジェクトタイプ（ａｕｄｉｏＯｂｊｅｃｔＴｙｐｅ）情報は、音声データ格納パケット（ＭＭＴＰパケット／ＴＬＶパケット）内に記録されている。
ＢＤ等のメディアにＭＭＴフォーマットデータを記録する記録装置は、放送局等の送信装置から受信する音声データ格納パケットから、「音声オブジェクトタイプ（ａｕｄｉｏＯｂｊｅｃｔＴｙｐｅ）」を読み取り、クリップ情報ファイルに記録する。
【０１８２】
図１８を参照して、放送局等の送信装置が送信するＭＭＴフォーマットに従った音声データ格納パケットのパケット構成例について説明する。
図１８には、ＭＭＴフォーマットに従った音声データ格納パケット１４０を示している。
図１８に示すように、音声データ格納パケット１４０のパケット格納データ１４１は、符号化音声データストリームと、ストリームデータの属性情報によって構成される。
【０１８３】
なお、音声データ格納パケット１４０に格納されている符号化音声データストリームは、
（１）ＭＰＥＧ４  ＡＡＣ  ＬＣ（ＬＡＴＭ／ＬＯＡＳ）符号化音声データ、
（２）ＭＰＥＧ４  ＡＬＳ（ＬＡＴＭ／ＬＯＡＳ）符号化音声データ、
これらのいずれかの音声データである。
【０１８４】
音声データ格納パケット１４０には、さらに、パケットに格納された音声データの属性情報が記録される。
図１８に示すように、音声データ属性情報の一部として、
音声オブジェクトタイプ（ａｕｄｉｏＯｂｊｅｃｔＴｙｐｅ）１４２が記録される。
【０１８５】
この音声オブジェクトタイプ（ａｕｄｉｏＯｂｊｅｃｔＴｙｐｅ）１４２の設定値は、以下の設定である。
パケットに格納されたデータが、
ＭＰＥＧ４  ＡＡＣ  ＬＣ（ＬＡＴＭ／ＬＯＡＳ）符号化音声データである場合、
音声オブジェクトタイプ（ａｕｄｉｏＯｂｊｅｃｔＴｙｐｅ）＝２に設定される。
一方、パケットに格納されたデータが、
ＭＰＥＧ４  ＡＬＳ（ＬＡＴＭ／ＬＯＡＳ）符号化音声データである場合、
音声オブジェクトタイプ（ａｕｄｉｏＯｂｊｅｃｔＴｙｐｅ）＝３６に設定される。
すなわち、先に図１７を参照して説明した設定値である。
【０１８６】
放送局等の送信装置から送信されるＭＭＴフォーマットデータを受信して、ＢＤ等のメディアにＭＭＴフォーマットデータを記録する記録装置は、放送局等の送信装置から受信する音声データ格納パケットから、「音声オブジェクトタイプ（ａｕｄｉｏＯｂｊｅｃｔＴｙｐｅ）」の設定値（２、または３６）を読み取り、この設定値を、図１６に示すクリップ情報ファイルの、
音声オブジェクトタイプ１３３記録領域に記録する。
【０１８７】
ＢＤ等のメディアに記録されたデータの再生を行う再生装置は、この音声オブジェクトタイプ（ａｕｄｉｏＯｂｊｅｃｔＴｙｐｅ）の記録データが「２」か、「３６」かを確認することで、このクリップ情報ファイルの再生制御対象となる音声データが、
（１）ＭＰＥＧ４  ＡＡＣ  ＬＣ（ＬＡＴＭ／ＬＯＡＳ）符号化音声データ、
（２）ＭＰＥＧ４  ＡＬＳ（ＬＡＴＭ／ＬＯＡＳ）符号化音声データ、
これらのいずれの音声データであるかを識別することが可能となる。
【０１８８】
すなわち、クリップ情報ファイルのプログラム情報［ＰｒｏｇｒａｍＩｎｆｏ（）］記録領域内に設定されるストリームコーディング情報［ＳｔｒｅａｍＣｏｄｉｎｇＩｎｆｏ］におけるコーディングタイプ＝［０ｘ１１］の音声属性情報記録領域から、音声オブジェクトタイプ（ａｕｄｉｏＯｂｊｅｃｔＴｙｐｅ）の設定値を読み取る。
【０１８９】
音声オブジェクトタイプ（ａｕｄｉｏＯｂｊｅｃｔＴｙｐｅ）＝２であれば、
このコーディングタイプ＝［０ｘ１１］の音声データは、
（１）ＭＰＥＧ４  ＡＡＣ  ＬＣ（ＬＡＴＭ／ＬＯＡＳ）符号化音声データ、
であると判定する。
一方、音声オブジェクトタイプ（ａｕｄｉｏＯｂｊｅｃｔＴｙｐｅ）＝３６であれば、
このコーディングタイプ＝［０ｘ１１］の音声データは、
（１）ＭＰＥＧ４  ＡＬＳ（ＬＡＴＭ／ＬＯＡＳ）符号化音声データ、
であると判定する。
再生装置は、この判定情報に基づいて、各符号化音声データの復号準備、例えばコーデック設定を開始することができる。
【０１９０】
なお、１つの番組等のコンテンツに対応して、
（１）ＭＰＥＧ４  ＡＡＣ  ＬＣ符号化音声データ、
（２）ＭＰＥＧ４  ＡＬＳ符号化音声データ、
これら２種類の音声データ（音声ストリーム）が配信される場合がある。
例えば、ユーザ（視聴者）が、これら２種類の音声データから再生データを選択可能とした設定である。
【０１９１】
このように複数の音声データ（音声ストリーム）を放送局等の送信装置から受信して、ＢＤ等のメディアに記録する記録装置は、図１６に示すストリームコーディング情報［ＳｔｒｅａｍＣｏｄｉｎｇＩｎｆｏ］を、各音声データ（音声ストリーム）各々について個別に生成して、１つのクリップ情報ファイル内に格納する。
【０１９２】
この場合、ＢＤ等のメディアに記録されたデータの再生を行う再生装置は、
音声オブジェクトタイプ（ａｕｄｉｏＯｂｊｅｃｔＴｙｐｅ）＝２、および、
音声オブジェクトタイプ（ａｕｄｉｏＯｂｊｅｃｔＴｙｐｅ）＝３６、
これらの２種類の音声データ、すなわち、
（１）ＭＰＥＧ４  ＡＡＣ  ＬＣ（ＬＡＴＭ／ＬＯＡＳ）符号化音声データ、
（２）ＭＰＥＧ４  ＡＬＳ（ＬＡＴＭ／ＬＯＡＳ）符号化音声データ、
これら２種類の音声データが、このクリップ情報ファイルを適用して選択再生可能であると判断することができる。
【０１９３】
この場合、再生装置は、例えばユーザ（視聴者）に対して、
（１）ＭＰＥＧ４  ＡＡＣ  ＬＣ（ＬＡＴＭ／ＬＯＡＳ）符号化音声データ、
（２）ＭＰＥＧ４  ＡＬＳ（ＬＡＴＭ／ＬＯＡＳ）符号化音声データ、
これら２種類の音声データが再生可能であることを示す案内情報を表示部に表示する。さらに、ユーザに再生希望音声の選択情報を入力させて、入力された選択情報、すなわち再生希望音声を再生データとして選択して再生する処理を行うことができる。
【０１９４】
［６−２．（実施例２）ＭＭＴパッケージテーブル（ＭＰＴ）に記録された音声識別情報を取得してクリップ情報ファイルに記録する実施例］
次に、実施例２として、ＭＭＴフォーマット対応の制御情報（ＳＩ）であるＭＭＴパッケージテーブル（ＭＰＴ）に記録された音声識別情報を取得してクリップ情報ファイルに記録する実施例について説明する。
【０１９５】
すなわち、音声データが、
（１）ＭＰＥＧ４  ＡＡＣ  ＬＣ（ＬＡＴＭ／ＬＯＡＳ）符号化音声データ、
（２）ＭＰＥＧ４  ＡＬＳ（ＬＡＴＭ／ＬＯＡＳ）符号化音声データ、
これら２種類の音声データのいずれであるかを示す識別情報をＭＭＴパッケージテーブル（ＭＰＴ）から取得してクリップ情報ファイルに記録する実施例について説明する。
【０１９６】
図１９は、実施例２に従ったクリップ情報ファイルのプログラム情報［ＰｒｏｇｒａｍＩｎｆｏ（）］のストリームコーディング情報［ＳｔｒｅａｍＣｏｄｉｎｇＩｎｆｏ］のデータ構成（シンタクス）を示す図である。
【０１９７】
図１９に示す新たなストリームコーディング情報［ＳｔｒｅａｍＣｏｄｉｎｇＩｎｆｏ］は、このクリップ情報ファイルの制御対象となる音声データが、
（１）ＭＰＥＧ４  ＡＡＣ  ＬＣ符号化音声データ、
（２）ＭＰＥＧ４  ＡＬＳ符号化音声データ、
これら２種類のどちらの符号化音声データであるかについて識別可能とした構成を有する。
【０１９８】
図１６に示すストリームコーディング情報［ＳｔｒｅａｍＣｏｄｉｎｇＩｎｆｏ］は、先に図１４を参照して説明したと同様、以下のデータが記録される。
（１）画像ストリームコーディング情報１２１、
（２）音声ストリームコーディング情報１２２、
【０１９９】
図１９に示すストリームコーディング情報［ＳｔｒｅａｍＣｏｄｉｎｇＩｎｆｏ］には、先に実施例１として説明した図１６に示すデータ構成と同様、
コーディングタイプ（ｓｔｒｅａｍ＿ｃｏｄｉｎｇ＿ｔｙｐｅ）＝［０ｘ１１］
上記コーディングタイプ［０ｘ１１］の音声データ属性情報記録領域１３０が設定されている。
【０２００】
なお、前述したように、コーディングタイプ＝［０ｘ１１］は、
（１）ＭＰＥＧ４  ＡＡＣ  ＬＣ符号化音声データ、
（２）ＭＰＥＧ４  ＡＬＳ符号化音声データ、
これら２種類の符号化音声データの双方に対応付けられるタイプ識別子であり、このタイプ識別子［０ｘ１１］のみでは、上記（１），（２）どちらの符号化音声データであるかについては識別することができない。
【０２０１】
図１９に示すストリームコーディング情報［ＳｔｒｅａｍＣｏｄｉｎｇＩｎｆｏ］のコーディングタイプ［０ｘ１１］の音声データ属性情報記録領域１３０には、以下の各情報が記録される。
（ａ）音声タイプ（ａｕｄｉｏ＿ｐｒｅｓｅｎｔａｔｉｏｎ＿ｔｙｐｅ）１３１
（ｂ）サンプリング周波数（ｓａｍｐｌｉｎｇ＿ｆｒｅｑｕｅｎｃｙ）１３２
（ｃ）ストリームコンテンツ（ｓｔｒｅａｍ＿ｃｏｎｔｅｎｔ）１３５
【０２０２】
これらのデータ中、以下のデータ（ａ），（ｂ）、すなわち、
（ａ）音声タイプ（ａｕｄｉｏ＿ｐｒｅｓｅｎｔａｔｉｏｎ＿ｔｙｐｅ）１３１
（ｂ）サンプリング周波数（ｓａｍｐｌｉｎｇ＿ｆｒｅｑｕｅｎｃｙ）１３２
これらのデータは、先に、図１５を参照して説明したデータと同様のデータである。
【０２０３】
なお、前述したように、放送局等の送信装置から受信するＭＭＴフォーマットデータの場合、これらの情報は、例えばＭＭＴフォーマット対応の制御情報（ＳＩ）であるＭＭＴパッケージテーブル（ＭＰＴ）に記録されている。
ＢＤ等のメディアにＭＭＴフォーマットデータを記録する記録装置は、ＭＭＴフォーマット対応の制御情報（ＳＩ）であるＭＭＴパッケージテーブル（ＭＰＴ）から、上記（ａ），（ｂ）の各データを読み取り、クリップ情報ファイルに記録する。
なお、具体的なＭＭＴパッケージテーブル（ＭＰＴ）の記録データの例については後段で説明する。
【０２０４】
図１９に示すように、コーディングタイプ［０ｘ１１］の音声データについては、さらに、
（ｃ）ストリームコンテンツ（ｓｔｒｅａｍ＿ｃｏｎｔｅｎｔ）１３５
上記の音声属性情報を記録する。
【０２０５】
本実施例２では、このストリームコンテンツ（ｓｔｒｅａｍ＿ｃｏｎｔｅｎｔ）１３５が、
コーディングタイプ＝［０ｘ１１］に含まれる以下の２種類のデータ、すなわち、
（１）ＭＰＥＧ４  ＡＡＣ  ＬＣ符号化音声データ、
（２）ＭＰＥＧ４  ＡＬＳ符号化音声データ、
これら２種類の符号化音声データの識別子、すなわち音声識別情報として利用される。
【０２０６】
ストリームコンテンツ（ｓｔｒｅａｍ＿ｃｏｎｔｅｎｔ）１３５の具体的な記録データ例を図２０に示す。
ストリームコンテンツ（ｓｔｒｅａｍ＿ｃｏｎｔｅｎｔ）＝０ｘ３の場合、
このコーディングタイプ＝［０ｘ１１］の符号化音声データが、
ＭＰＥＧ４  ＡＡＣ  ＬＣ（ＬＡＴＭ／ＬＯＡＳ）符号化音声データであることを意味する。
【０２０７】
一方、
ストリームコンテンツ（ｓｔｒｅａｍ＿ｃｏｎｔｅｎｔ）＝０ｘ４の場合、
このコーディングタイプ＝［０ｘ１１］の符号化音声データが、
ＭＰＥＧ４  ＡＬＳ（ＬＡＴＭ／ＬＯＡＳ）符号化音声データであることを意味する。
【０２０８】
ＢＤ等のメディアに記録されたデータの再生を行う再生装置は、このストリームコンテンツ（ｓｔｒｅａｍ＿ｃｏｎｔｅｎｔ）の記録データを参照することで、このクリップ情報ファイルの再生制御対象となる音声データが、
（１）ＭＰＥＧ４  ＡＡＣ  ＬＣ（ＬＡＴＭ／ＬＯＡＳ）符号化音声データ、
（２）ＭＰＥＧ４  ＡＬＳ（ＬＡＴＭ／ＬＯＡＳ）符号化音声データ、
これらのいずれの音声データであるかを識別することが可能となる。
【０２０９】
なお、放送局等の送信装置から受信するＭＭＴフォーマットデータの場合、このストリームコンテンツ（ｓｔｒｅａｍ＿ｃｏｎｔｅｎｔ）情報は、ＭＭＴフォーマット対応の制御情報（ＳＩ）であるＭＭＴパッケージテーブル（ＭＰＴ）に記録されている。
ＢＤ等のメディアにＭＭＴフォーマットデータを記録する記録装置は、放送局等の送信装置から受信するＭＭＴフォーマット対応の制御情報（ＳＩ）であるＭＭＴパッケージテーブル（ＭＰＴ）から、「ストリームコンテンツ（ｓｔｒｅａｍ＿ｃｏｎｔｅｎｔ）」を読み取り、クリップ情報ファイルに記録する。
【０２１０】
図２１は、ＭＭＴパッケージテーブル（ＭＰＴ）のデータ構成（シンタクス）を示す図である。
ＭＭＴフォーマットにおいて規定されたＭＭＴパッケージテーブル（ＭＰＴ：ＭＭＴ  Ｐａｃｋａｇｅ  Ｔａｂｌｅ）は、例えば画像、音声、字幕等のデータ種類（アセットタイプ）毎に、データの属性情報（アセット記述子）を詳細に記録したテーブルである。
【０２１１】
ＭＭＴパッケージテーブル（ＭＰＴ：ＭＭＴ  Ｐａｃｋａｇｅ  Ｔａｂｌｅ）２８０は、パケットＩＤ＝０ｘ００００のＭＭＴＰパケットに格納されており、情報処理装置は、パケットＩＤに基づいてＭＭＴパッケージテーブル（ＭＰＴ）の格納パケットを判別することができる。
【０２１２】
ＭＭＴパッケージテーブル（ＭＰＴ）には、図２１に示すように、
アセットタイプ（ａｓｓｅｔ＿ｔｙｐｅ）１５１、
アセット記述子（ａｓｓｅｔ＿ｄｅｓｃｒｉｐｔｏｒｓ＿ｂｙｔｅ）１５２、
これらのデータ記録領域が含まれる。
【０２１３】
アセットタイプ（ａｓｓｅｔ＿ｔｙｐｅ）１５１は、画像、音声、字幕等のデータ種類別の識別子を記録する領域である。アセットとは、共通属性を持つデータ処理の単位であり、画像、音声、字幕等は、各々、異なるアセットとして設定される。
ＭＭＴパッケージテーブル（ＭＰＴ）に記録されるアセットタイプ（ａｓｓｅｔ＿ｔｙｐｅ）の具体例を図２２に示す。
【０２１４】
図２２に示すように、ＭＰＴに記録されるアセットタイプ（ａｓｓｅｔ＿ｔｙｐｅ）には、例えば以下の種類がある。
ｈｖｃ１：ＨＥＶＣ画像
ｍｐ４ａ：音声
ｓｔｐｐ：字幕等
ａａｐｐ：アプリケーション
図２１に示すＭＰＴのアセットタイプ（ａｓｓｅｔ＿ｔｙｐｅ）１５１記録フィールドには、例えば上記のいずれかのタイプ情報が記録される。
【０２１５】
図２１のＭＰＴの下段に示す、
アセット記述子（ａｓｓｅｔ＿ｄｅｓｃｒｉｐｔｏｒｓ＿ｂｙｔｅ）１５２、
このフィールドには、各アセットタイプ（例えば画像、音声、字幕）、これらのデータ種類に応じた様々な属性情報、例えば画像であれば解像度情報等が記録される。
【０２１６】
図２３は、図２１を参照して説明したＭＭＴパッケージテーブル（ＭＰＴ）に記録される音声属性情報を示す図である。
すなわち、図２３は、図２１に示すＭＰＴ中のアセットタイプ（ａｓｓｅｔ＿ｔｙｐｅ）１５１が音声対応のタイプ識別子（ｍｐ４ａ）である場合に、
アセット記述子（ａｓｓｅｔ＿ｄｅｓｃｒｉｐｔｏｒｓ＿ｂｙｔｅ）１５２として記録されるデータの一例であり、図２３に示すデータは、音声コンポーネント記述子（ＭＨ−Ａｕｄｉｏ＿Ｃｏｍｐｏｎｅｎｔ＿Ｄｅｓｃｒｉｐｔｏｒ）のデータ構成（シンタクス）を示す図である。
【０２１７】
図２３に示すように、音声コンポーネント記述子（ＭＨ−Ａｕｄｉｏ＿Ｃｏｍｐｏｎｅｎｔ＿Ｄｅｓｃｒｉｐｔｏｒ）には、以下の音声属性情報が記録される。
（Ｍ１）ストリームコンテンツ情報
（Ｍ２）コンポーネントタイプ
（Ｍ３）サンプリング周波数
【０２１８】
情報記録媒体（メディア）に対するデータ記録処理を実行する情報処理装置は、ＭＭＴパッケージテーブル（ＭＰＴ）から、これらの音声属性情報を読み取り、情報記録媒体（メディア）に記録するクリップ情報ファイルに対する記録データとして利用する。
【０２１９】
すなわち、先に図１９を参照して説明したストリームコーディング情報［ＳｔｒｅａｍＣｏｄｉｎｇＩｎｆｏ］のコーディングタイプ［０ｘ１１］の音声データ属性情報記録領域１３０に対する以下の記録データ、
（ａ）音声タイプ（ａｕｄｉｏ＿ｐｒｅｓｅｎｔａｔｉｏｎ＿ｔｙｐｅ）１３１
（ｂ）サンプリング周波数（ｓａｍｐｌｉｎｇ＿ｆｒｅｑｕｅｎｃｙ）１３２
（ｃ）ストリームコンテンツ（ｓｔｒｅａｍ＿ｃｏｎｔｅｎｔ）１３５
これらの記録データとする。
【０２２０】
先に実施例１として説明した図１６に示すストリームコーディング情報［ＳｔｒｅａｍＣｏｄｉｎｇＩｎｆｏ］のコーディングタイプ［０ｘ１１］の音声データ属性情報記録領域１３０に対する以下の記録データ、
（ａ）音声タイプ（ａｕｄｉｏ＿ｐｒｅｓｅｎｔａｔｉｏｎ＿ｔｙｐｅ）１３１
（ｂ）サンプリング周波数（ｓａｍｐｌｉｎｇ＿ｆｒｅｑｕｅｎｃｙ）１３２
これらの記録データも、図２３に示すＭＭＴパッケージテーブル（ＭＰＴ）の音声コンポーネント記述子（ＭＨ−Ａｕｄｉｏ＿Ｃｏｍｐｏｎｅｎｔ＿Ｄｅｓｃｒｉｐｔｏｒ）の記録データである、
（Ｍ２）コンポーネントタイプ
（Ｍ３）サンプリング周波数
これらの記録データを利用して記録すねことが可能である。
【０２２１】
図２３に示す、ＭＭＴパッケージテーブル（ＭＰＴ）の以下の記録データ、すなわち、
（Ｍ１）ストリームコンテンツ情報１６１、
（Ｍ２）コンポーネントタイプ１６２、
（Ｍ３）サンプリング周波数１６３、
これらのデータの具体例について図２４以下を参照して説明する。
【０２２２】
図２４は、ＭＭＴパッケージテーブル（ＭＰＴ）に記録される、
（Ｍ１）ストリームコンテンツ情報１６１
の具体例を示す図である。
ＭＭＴパッケージテーブル（ＭＰＴ）には、ストリームコンテンツ情報として、
０ｘ０〜０ｘＦのいずれかのビット値が格納される。各ビット値に応じた符号化態様情報が記録される。
【０２２３】
具体的には、以下の設定である。
（１）ストリームコンテンツ（ｓｔｒｅａｍ＿ｃｏｎｔｅｎｔ）＝０ｘ２は、
このアセット対応の音声ストリームが、符号化方式を特定しない音声ストリームであることを意味する。
（２）ストリームコンテンツ（ｓｔｒｅａｍ＿ｃｏｎｔｅｎｔ）＝０ｘ３は、
このアセット対応の音声ストリームが、ＭＰＥＧ４  ＡＡＣ（ＭＰＥＧ４  ＡＡＣ  ＬＣ（ＬＡＴＭ／ＬＯＡＳ））の音声ストリームであることを意味する。
（３）ストリームコンテンツ（ｓｔｒｅａｍ＿ｃｏｎｔｅｎｔ）＝０ｘ４は、
このアセット対応の音声ストリームが、ＭＰＥＧ４  ＡＬＣ（ＭＰＥＧ４  ＡＬＳ（ＬＡＴＭ／ＬＯＡＳ））の音声ストリームであることを意味する。
【０２２４】
例えば、ＢＤ等のメディアにＭＭＴフォーマットデータを記録する記録装置は、放送局等の送信装置から受信するＭＭＴフォーマット対応の制御情報（ＳＩ）であるＭＭＴパッケージテーブル（ＭＰＴ）から、この「ストリームコンテンツ（ｓｔｒｅａｍ＿ｃｏｎｔｅｎｔ）」を読み取り、クリップ情報ファイルに記録する。
なお、ＭＭＴフォーマットにおけるアセットは、ＭＰＥＧフォーマットにおけるストリームに対応する。
【０２２５】
例えば、ＭＭＴフォーマットのある１つのアセットについて、ＭＭＴパッケージテーブル（ＭＰＴ）に記録されたストリームコンテンツ（ｓｔｒｅａｍ＿ｃｏｎｔｅｎｔ）の値が、０ｘ３である場合、
このアセット対応の音声ストリームの属性情報の記録領域である図１９に示すストリームコーディング情報［ＳｔｒｅａｍＣｏｄｉｎｇＩｎｆｏ］のコーディングタイプ［０ｘ１１］の音声データ属性情報記録領域１３０の
（ｃ）ストリームコンテンツ（ｓｔｒｅａｍ＿ｃｏｎｔｅｎｔ）１３５
この記録領域に０ｘ３を記録する。
【０２２６】
一方、ＭＭＴフォーマットのある１つのアセットについて、ＭＭＴパッケージテーブル（ＭＰＴ）に記録されたストリームコンテンツ（ｓｔｒｅａｍ＿ｃｏｎｔｅｎｔ）の値が、０ｘ４である場合、
このアセット対応の音声ストリームの属性情報の記録領域である図１９に示すストリームコーディング情報［ＳｔｒｅａｍＣｏｄｉｎｇＩｎｆｏ］のコーディングタイプ［０ｘ１１］の音声データ属性情報記録領域１３０の
（ｃ）ストリームコンテンツ（ｓｔｒｅａｍ＿ｃｏｎｔｅｎｔ）１３５
この記録領域に０ｘ４を記録する。
【０２２７】
このように、ＢＤ等のメディアにＭＭＴフォーマットデータを記録する記録装置は、アセット（ストリーム）単位のストリームコンテンツ（ｓｔｒｅａｍ＿ｃｏｎｔｅｎｔ）情報をクリップ情報ファイルに格納してメディアに記録する。
【０２２８】
ＢＤ等のメディアに記録されたデータの再生を行う再生装置は、このストリームコンテンツ（ｓｔｒｅａｍ＿ｃｏｎｔｅｎｔ）の記録データを参照することで、このクリップ情報ファイルの再生制御対象となる音声データが、
（１）ＭＰＥＧ４  ＡＡＣ  ＬＣ（ＬＡＴＭ／ＬＯＡＳ）符号化音声データ、
（２）ＭＰＥＧ４  ＡＬＳ（ＬＡＴＭ／ＬＯＡＳ）符号化音声データ、
これらのいずれの音声データであるかを識別することが可能となる。
【０２２９】
すなわち、再生装置は、クリップ情報ファイルのプログラム情報［ＰｒｏｇｒａｍＩｎｆｏ（）］記録領域内に設定されるストリームコーディング情報［ＳｔｒｅａｍＣｏｄｉｎｇＩｎｆｏ］におけるコーディングタイプ＝［０ｘ１１］の音声属性情報記録領域から、ストリームコンテンツ（ｓｔｒｅａｍ＿ｃｏｎｔｅｎｔ）の設定値を読み取る。
【０２３０】
ストリームコンテンツ（ｓｔｒｅａｍ＿ｃｏｎｔｅｎｔ）＝０ｘ３であれば、
このコーディングタイプ＝［０ｘ１１］の音声データは、
（１）ＭＰＥＧ４  ＡＡＣ  ＬＣ（ＬＡＴＭ／ＬＯＡＳ）符号化音声データ、
であると判定する。
一方、ストリームコンテンツ（ｓｔｒｅａｍ＿ｃｏｎｔｅｎｔ）＝０ｘ４であれば、
このコーディングタイプ＝［０ｘ１１］の音声データは、
（１）ＭＰＥＧ４  ＡＬＳ（ＬＡＴＭ／ＬＯＡＳ）符号化音声データ、
であると判定する。
再生装置は、この判定情報に基づいて、各符号化音声データの復号準備、例えばコーデック設定を迅速に開始することができる。
【０２３１】
なお、１つの番組等のコンテンツに対応して、
（１）ＭＰＥＧ４  ＡＡＣ  ＬＣ符号化音声データ、
（２）ＭＰＥＧ４  ＡＬＳ符号化音声データ、
これら２種類の音声データ（音声ストリーム）が配信される場合がある。
例えば、ユーザ（視聴者）が、これら２種類の音声データから再生データを選択可能とした設定である。
【０２３２】
このように複数の音声データ（音声ストリーム）を放送局等の送信装置から受信して、ＢＤ等のメディアに記録する記録装置は、図１９に示すストリームコーディング情報［ＳｔｒｅａｍＣｏｄｉｎｇＩｎｆｏ］を各音声データ（音声ストリーム）各々に対して個別に生成して、１つのクリップ情報ファイル内に格納する。
【０２３３】
この場合、ＢＤ等のメディアに記録されたデータの再生を行う再生装置は、
ストリームコンテンツ（ｓｔｒｅａｍ＿ｃｏｎｔｅｎｔ）＝０ｘ３、および、
ストリームコンテンツ（ｓｔｒｅａｍ＿ｃｏｎｔｅｎｔ）＝０ｘ４、
これらの２種類の音声データ、すなわち、
（１）ＭＰＥＧ４  ＡＡＣ  ＬＣ（ＬＡＴＭ／ＬＯＡＳ）符号化音声データ、
（２）ＭＰＥＧ４  ＡＬＳ（ＬＡＴＭ／ＬＯＡＳ）符号化音声データ、
これら２種類の音声データが、このクリップ情報ファイルを適用して選択再生可能であると判断することができる。
【０２３４】
この場合、再生装置は、例えばユーザ（視聴者）に対して、
（１）ＭＰＥＧ４  ＡＡＣ  ＬＣ（ＬＡＴＭ／ＬＯＡＳ）符号化音声データ、
（２）ＭＰＥＧ４  ＡＬＳ（ＬＡＴＭ／ＬＯＡＳ）符号化音声データ、
これら２種類の音声データが再生可能であることを示す案内情報を表示部に表示する。さらに、ユーザに再生希望音声の選択情報を入力させて、入力された選択情報、すなわち再生希望音声を再生データとして選択して再生する処理を行うことができる。
【０２３５】
次に、図２５、図２６を参照して、ＭＭＴパッケージテーブル（ＭＰＴ）に記録される、図２３に示す以下の２つの情報の具体例について説明する。
（Ｍ２）コンポーネントタイプ１６２、
（Ｍ３）サンプリング周波数１６３、
【０２３６】
図２５は、ＭＭＴパッケージテーブル（ＭＰＴ）に記録される、
（Ｍ１２）コンポーネントタイプ１６２
の具体例を示す図である。
ＭＭＴパッケージテーブル（ＭＰＴ）には、コンポーネントタイプ情報１６２として、
０００００〜１１１１１のいずれかのビット値が格納され、各ビット値に応じてモノラル、ステレオ等、様々な音声の出力タイプ（コンポーネントタイプ）が対応付けられている。
【０２３７】
図２６は、ＭＭＴパッケージテーブル（ＭＰＴ）に記録される、
（Ｍ３）サンプリング周波数１６３
の具体例を示す図である。
ＭＭＴパッケージテーブル（ＭＰＴ）には、サンプリング周波数情報１６３として、
０００〜１１１のいずれかのビット値が格納され、各ビット値に応じて、１６〜４８ｋＨｚのサンプリング周波数が対応付けられている。
【０２３８】
このように、ＭＭＴフォーマットデータ中の制御情報（シグナリング情報（ＭＭＴ−ＳＩ））に含まれるＭＭＴパッケージテーブル（ＭＰＴ）には、
（Ｍ１）ストリームコンテンツ情報
（Ｍ２）コンポーネントタイプ
（Ｍ３）サンプリング周波数
これらの具体的な情報が記録されている。
【０２３９】
情報記録媒体（メディア）に対するデータ記録処理を実行する情報処理装置は、ＭＭＴパッケージテーブル（ＭＰＴ）から、これらの音声属性情報を読み取り、情報記録媒体（メディア）に記録するクリップ情報ファイルに対する記録データとして利用する。
【０２４０】
具体的には、図１９に示すストリームコーディング情報［ＳｔｒｅａｍＣｏｄｉｎｇＩｎｆｏ］のコーディングタイプ［０ｘ１１］の音声データ属性情報記録領域１３０の以下の各情報を記録する。
（ａ）音声タイプ（ａｕｄｉｏ＿ｐｒｅｓｅｎｔａｔｉｏｎ＿ｔｙｐｅ）１３１
（ｂ）サンプリング周波数（ｓａｍｐｌｉｎｇ＿ｆｒｅｑｕｅｎｃｙ）１３２
（ｃ）ストリームコンテンツ（ｓｔｒｅａｍ＿ｃｏｎｔｅｎｔ）１３５
【０２４１】
なお、先に図１６を参照して説明した（実施例１）のストリームコーディング情報［ＳｔｒｅａｍＣｏｄｉｎｇＩｎｆｏ］のコーディングタイプ［０ｘ１１］の音声データ属性情報記録領域１３０の以下の各情報、
（ａ）音声タイプ（ａｕｄｉｏ＿ｐｒｅｓｅｎｔａｔｉｏｎ＿ｔｙｐｅ）１３１
（ｂ）サンプリング周波数（ｓａｍｐｌｉｎｇ＿ｆｒｅｑｕｅｎｃｙ）１３２
これらの情報も、ＭＭＴパッケージテーブル（ＭＰＴ）の記録データを情報記録媒体（メディア）に記録するクリップ情報ファイルに対する記録データとして利用される。
【０２４２】
上記、実施例１、実施例２において説明したように、ＭＭＴフォーマットデータを入力し、入力データをＢＤＡＶフォーマットデータとして情報記録媒体（メディア）に記録する情報処理装置は、音声データが、
（１）ＭＰＥＧ４  ＡＡＣ  ＬＣ（ＬＡＴＭ／ＬＯＡＳ）符号化音声データ、
（２）ＭＰＥＧ４  ＡＬＳ（ＬＡＴＭ／ＬＯＡＳ）符号化音声データ、
これらいずれの音声データであるかを示す音声識別情報を、ストリーム単位（アセット単位）の情報として、音声データ格納パケット、またはＭＭＴパッケージテーブル（ＭＰＴ）から取得してクリップ情報ファイルに記録する。
【０２４３】
なお、上記の音声識別情報とは、
実施例１において説明した音声データ格納パケットに記録された音声オブジェクトタイプ（ａｕｄｉｏＯｂｊｅｃｔＴｙｐｅ）、または、
実施例２において説明したＭＭＴパッケージテーブル（ＭＰＴ）に記録されたストリームコンテンツ（ｓｔｒｅａｍ＿ｃｏｎｔｅｎｔ）、
これらのいずれかの情報である。
【０２４４】
なお、上記実施例では、実施例１において説明した音声データ格納パケットに記録された音声オブジェクトタイプ（ａｕｄｉｏＯｂｊｅｃｔＴｙｐｅ）の設定値（２、または３６）や、ＭＭＴパッケージテーブル（ＭＰＴ）に記録されたストリームコンテンツ（ｓｔｒｅａｍ＿ｃｏｎｔｅｎｔ）の設定値（０ｘ３、または０ｘ４）をそのままクリップ情報ファイルに記録する実施例として説明したが、これらの値は、２つの音声データが区別可能な異なる値であればよく、様々な設定が可能である。
【０２４５】
また、上述した実施例１，２においては、図１６に示すクリップ情報ファイルの記録データとして、ＭＭＴフォーマットの定義データ「音声オブジェクトタイプ（ａｕｄｉｏＯｂｊｅｃｔＴｙｐｅ）」をそのまま記録する設定とし、同様に図１９に示すクリップ情報ファイルの記録データとして、ＭＭＴフォーマットの定義データ「ストリームコンテンツ（ｓｔｒｅａｍ＿ｃｏｎｔｅｎｔ）」をそのまま記録する設定としている。
これらのデータについても、上記表現と異なる表現、例えば、「ＡＡＣ＿ＡＣ＿ＡＬＳ＿ｃｏｄｉｎｇ＿ｔｙｐｅ」といった新たな定義のフィールドを設定して、このフィールドに２つの音声データ（ＡＡＣ  ＬＣと、ＡＬＳ）を区別可能とした値を設定する構成としてもよい。
【０２４６】
［７．情報記録媒体に対するデータ記録処理を実行する情報処理装置の構成と処理について］
次に、図２７以下を参照して情報記録媒体に対するデータ記録処理を実行する情報処理装置の構成と処理について説明する。
【０２４７】
先に説明したように、本開示の情報処理装置は、ＭＭＴフォーマットに従った入力データを、ＢＤＡＶフォーマットデータ、またはＳＰＡＶフォーマットデータとして、ＢＤやフラッシュメモリ等の情報記録媒体に記録する。
情報処理装置３００は、情報記録媒体（記録メディア）３２０に、クリップＡＶストリームファイル、さらに、プレイリストやクリップ情報ファイル等のデータベースファイルを記録する。
プレイリストやクリップ情報ファイル等のデータベースファイルには、メディア記録コンテンツ対応の画像属性情報、音声属性情報、再生制御情報等を記録する。
【０２４８】
プレイリストやクリップ情報ファイル等のデータベースファイルに記録する情報は、ＭＭＴフォーマットに従った入力データに含まれる画像や音声等の再生ストリームデータ格納パケットの他、ＭＭＴフォーマットにおいて規定される制御情報（ＳＩ）であるＴＬＶ−ＳＩや、ＭＭＴ−ＳＩを構成する様々な情報記録テーブル等から取得する。
【０２４９】
具体的には、例えば、ＭＭＴ−ＳＩに含まれるＭＭＴパッケージテーブル（ＭＰＴ）から様々な情報を取得して、ＢＤＡＶフォーマットにおいて規定されるプレイリストやクリップ情報ファイル等のデータベースファイルに、メディア記録コンテンツ対応の情報を記録する。
【０２５０】
以下、このようなプレイリストやクリップ情報ファイルを記録した情報記録媒体の生成処理、具体的には、ＢＤ等の情報記録媒体に対するデータ記録処理を実行する情報処理装置の構成と、処理シーケンスについて説明する。
【０２５１】
図２７は、ＢＤ等の情報記録媒体に対するデータ記録処理を実行する情報処理装置３００の構成を示す図である。
情報処理装置３００は、情報記録媒体（記録メディア）３２０に、ＢＤＡＶフォーマットデータ、またはＳＰＡＶフォーマットデータの記録データを記録する。すなわち、画像、音声データからなるクリップＡＶストリームファイルや、再生制御情報ファイルであるプレイリストファイルやクリップ情報ファイル等のデータベースファイルを記録する。
【０２５２】
データ入力部３０１は、情報記録媒体３２０に対するＭＭＴフォーマットデータ３３１、すなわち画像データ、音声データ、字幕データ等を含むＭＭＴフォーマットデータ３３１を入力する。
データ入力部３０１は、ＭＭＴフォーマットデータ３３１を送信する例えば放送局やコンテンツサーバ等からの送信データを受信する受信部、あるいは、ＭＭＴフォーマットデータ３３１を記録したメディアからのデータ読み取りを実行するメディア読み取り部等によって構成される。
【０２５３】
データ入力部３０１から入力するＭＭＴフォーマットデータ３３１は、先に図２を参照して説明したデータフォーマットに従ったデータであり、例えばＨＥＶＣ画像等の高精細画像データや、ＭＰＥＧ４  ＡＡＣ  ＬＣ（ＬＡＴＭ／ＬＯＡＳ）音声符号化データ、ＭＰＥＧ４  ＡＬＳ（ＬＡＴＭ／ＬＯＡＳ）音声符号化データ等が含まれている。
【０２５４】
ＭＭＴフォーマットデータ３３１は、制御部３０３の制御によって、記憶部３０４に格納される。
ユーザ入力部３０２は、例えば情報記録媒体３２０に対するデータ記録の開始要求等を入力する。
【０２５５】
ユーザ入力部３０２から、データ記録開始要求を入力すると、この入力をトリガとして、記憶部３０４に格納されたＭＭＴフォーマットデータ３３１が、デマルチプレクサ（ＤｅＭＵＸ）３０５に入力される。
デマルチプレクサ（ＤｅＭＵＸ）３０５は、ＭＭＴフォーマットデータ３３１から、画像、音声、字幕等の各データを格納したパケットや、通知情報や制御情報等を格納したシグナリング情報（ＴＬＶ−ＳＩ，ＭＭＴ−ＳＩ）等の補助情報を取得し、データ種別のパケットに分類し、各パケットを、データ種類に応じて、記録データ生成部３０６の字幕データ生成部３１１、画像データ生成部３１２、音声データ生成部３１３、補助情報生成部３１４に入力する。
【０２５６】
字幕データ生成部３１１は、データ入力部３０１が入力し、記憶部３０４に格納されたＭＭＴフォーマットデータ３３１から、字幕データを取得し、ＢＤＡＶフォーマットにおいて規定されるストリームファイル格納用データを生成する。
画像データ生成部３１２は、データ入力部３０１が入力し、記憶部３０４に格納されたＭＭＴフォーマットデータ３３１から、画像データを取得し、ＢＤＡＶフォーマットにおいて規定されるストリームファイル格納用データを生成する。
音声データ生成部３１３は、データ入力部３０１が入力し、記憶部３０４に格納されたＭＭＴフォーマットデータ３３１から、音声データを取得し、ＢＤＡＶフォーマットにおいて規定されるストリームファイル格納用データを生成する。
【０２５７】
補助情報生成部３１４は、データ入力部３０１が入力し、記憶部３０４に格納されたＭＭＴフォーマットデータ３３１から、再生データ対応の属性情報や再生制御情報を取得してＢＤＡＶフォーマットにおいて規定されるデータベースファイルとしてのプレイリストファイルやクリップ情報ファイルに格納すべきデータを生成する。
【０２５８】
具体的には、例えば、ＭＭＴフォーマットに従った画像や音声等の再生ストリームデータ格納パケットや、ＭＭＴパッケージテーブル（ＭＰＴ）等から、プレイリストファイルやクリップ情報ファイルに格納すべきデータを取得して、プレイリストファイルやクリップ情報ファイルを生成する。
【０２５９】
マルチプレクサ（ＭＵＸ）３１５は、字幕データ生成部３１１、画像データ生成部３１２、音声データ生成部３１３が変換した字幕、画像、音声各データを入力し、これらのデータを格納したストリームファイルを生成する。
【０２６０】
なお、前述したように、ＭＭＴフォーマットデータをメディアに記録する場合のクリップＡＶストリームファイルは、
（１）ＭＭＴフォーマットをＭＰＥＧ−２ＴＳフォーマットに変換してクリップＡＶストリームファイルを生成する、あるいは、
（２）ＭＭＴフォーマットに従ったデータを格納したパケットのパケット列（ＭＭＴＰパケット列、またはＴＬＶパケットシ列）からなるクリップＡＶストリームファイルを生成する、
これらの２種類の処理が想定される。
記録データ生成部３０６は、上記（１），（２）のいずれかの処理態様に従ってクリップＡＶストリームファイルを生成する。
【０２６１】
データベースファイル生成部３１６は、補助情報生成部３１４がＭＭＴフォーマットデータ３３１のシグナリング情報（ＴＬＶ−ＳＩ，ＭＭＴ−ＳＩ）から取得した様々な情報を記録したプレイリストファイルやクリップ情報ファイル等のデータベースファイルを生成する。
【０２６２】
なお、先に説明したように、クリップ情報ファイルには、音声データ対応の属性情報として、
（１）ＭＰＥＧ４  ＡＡＣ  ＬＣ（ＬＡＴＭ／ＬＯＡＳ）
（２）ＭＰＥＧ４  ＡＬＳ（ＬＡＴＭ／ＬＯＡＳ）
上記２つの音声符号化データを識別可能とした音声識別情報を記録する。
具体的には、図１６、または図１９に示す記録データを持つクリップ情報ファイルを生成する。
【０２６３】
記録データ生成部３０６の生成したストリームファイルデータと、プレイリストファイル、クリップ情報ファイル等のデータベースファイルを含む記録データ３３２は、制御部３０３の制御の下、記録部３０６によって、ドライブ３０７を介して情報記録媒体３２０に出力され、記録される。
【０２６４】
次に、図２７に示す情報処理装置３００が実行する情報記録媒体３２０に対するデータ記録処理のシーケンスについて、図２８に示すフローチャートを参照して説明する。
【０２６５】
図２８に示すフローに従った処理は、例えば情報処理装置の記憶部に格納されたプログラムに従って、プログラム実行機能を有するＣＰＵを備えたデータ処理部（制御部）の制御の下で実行することができる。
以下、図２８のフローに示す各ステップの処理について、順次、説明する。
【０２６６】
（ステップＳ１０１）
まず、情報処理装置３００は、ステップＳ１０１において、データ入力部３０１を介して記録用データであるＭＭＴフォーマットデータを入力する。
なお、この記録用データには画像データ、音声データ、字幕データ、さらに、通知情報や制御情報等を格納したシグナリング情報（ＴＬＶ−ＳＩ，ＭＭＴ−ＳＩ）等が含まれる。
【０２６７】
（ステップＳ１０２）
次に、ステップＳ１０２において、情報処理装置３００は、入力したＭＭＴフォーマットデータから、画像、音声等の再生対象データを取得し、ＢＤＡＶフォーマットに従ったＡＶストリームファイルを生成する。
【０２６８】
（ステップＳ１０３）
次に、ステップＳ１０３において、情報処理装置３００は、入力したＭＭＴフォーマットデータの構成データを利用して、クリップ情報ファイルを生成する。
具体的には、先の実施例１，２において説明したように、ＭＭＴフォーマットに従った画像や音声等の再生ストリームデータ格納パケットや、ＭＭＴパッケージテーブル（ＭＰＴ）等からデータを取得して、クリップ情報ファイルを生成する。
なお、このステップＳ１０３のクリップ情報ファイル生成処理の詳細については、図２９、図３０を参照して、後段で説明する。
【０２６９】
（ステップＳ１０４）
次に、ステップＳ１０４において、情報処理装置３００は、入力したＭＭＴフォーマットデータの構成データを利用して、プレイリストファイルを生成する。
【０２７０】
（ステップＳ１０５）
次に、ステップＳ１０５において、情報処理装置３００は、入力したＭＭＴフォーマットデータを利用してその他のデータベースファイルを生成する。
【０２７１】
（ステップＳ１０６）
次に、ステップＳ１０６において、情報処理装置３００は、生成したＡＶストリームファイルとデータベースファイルを利用してＢＤＡＶフォーマットデータを生成する。
【０２７２】
（ステップＳ１０７）
次に、ステップＳ１０７において、情報処理装置３００は、ステップＳ１０６で生成したＢＤＡＶフォーマットデータを情報記録媒体（メディア）に記録する。
【０２７３】
次に、ステップＳ１０３において実行するクリップ情報ファイル生成処理の詳細シーケンスについて、図２９、図３０に示すフローチャートを参照して説明する。
【０２７４】
図２９は、先に説明した（実施例１）、すなわち、音声データ格納パケットから音声識別情報を取得する実施例に従ったクリップ情報ファイル生成処理の詳細シーケンスである。
図３０は、先に説明した（実施例２）、すなわち、ＭＭＴパッケージテーブル（ＭＰＴ）から音声識別情報を取得する実施例に従ったクリップ情報ファイル生成処理の詳細シーケンスである。
【０２７５】
まず、図２９を参照して、先に説明した（実施例１）、すなわち、音声データ格納パケットから音声識別情報を取得する実施例に従ったクリップ情報ファイル生成処理の詳細シーケンスについて説明する。
図２９に示すフローの各ステップの処理について、順次、説明する。
【０２７６】
（ステップＳ１２１）
まず、ステップＳ１２１において、情報処理装置３００は、クリップＡＶストリームファイルに記録する音声データ格納パケットを取得する。
この音声データ格納パケットは、先に図１８を参照して説明した音声データ格納パケット１４０に相当する。
図１８に示すように、音声データ格納パケット１４０のパケット格納データ１４１は、符号化音声データストリームと、このストリームデータの属性情報によって構成される。
【０２７７】
音声データ格納パケット１４０に格納されている符号化音声データストリームは、
（１）ＭＰＥＧ４  ＡＡＣ  ＬＣ（ＬＡＴＭ／ＬＯＡＳ）符号化音声データ、
（２）ＭＰＥＧ４  ＡＬＳ（ＬＡＴＭ／ＬＯＡＳ）符号化音声データ、
これらのいずれかの音声データである。
【０２７８】
さらに、音声データ格納パケット１４０には、パケットに格納された音声データの属性情報が記録される。
図１８に示すように、音声データ属性情報の一部として、
音声オブジェクトタイプ（ａｕｄｉｏＯｂｊｅｃｔＴｙｐｅ）１４２が記録されている。
【０２７９】
（ステップＳ１２２）
次に、ステップＳ１２２において、情報処理装置３００は、取得した音声データ格納パケットから音声オブジェクトタイプ（ａｕｄｉｏＯｂｊｅｃｔＴｙｐｅ）の設定値を取得する。
図１８に示すように、音声データ属性情報の一部として、
音声オブジェクトタイプ（ａｕｄｉｏＯｂｊｅｃｔＴｙｐｅ）１４２が記録されている。
【０２８０】
図１８に示す音声オブジェクトタイプ（ａｕｄｉｏＯｂｊｅｃｔＴｙｐｅ）１４２の設定値は、以下の設定である。
パケットに格納されたデータが、ＭＰＥＧ４  ＡＡＣ  ＬＣ（ＬＡＴＭ／ＬＯＡＳ）符号化音声データである場合、音声オブジェクトタイプ（ａｕｄｉｏＯｂｊｅｃｔＴｙｐｅ）＝２である。
一方、パケットに格納されたデータが、ＭＰＥＧ４  ＡＬＳ（ＬＡＴＭ／ＬＯＡＳ）符号化音声データである場合、音声オブジェクトタイプ（ａｕｄｉｏＯｂｊｅｃｔＴｙｐｅ）＝３６である。
【０２８１】
（ステップＳ１２３）
次に、ステップＳ１２３において、情報処理装置３００は、制御情報（ＳＩ）格納パケットから、ＭＭＴパッケージテーブル（ＭＰＴ）を取得する。
【０２８２】
ＭＭＴパッケージテーブル（ＭＰＴ）は、先に図２１〜図２６を参照して説明した様々なデータを格納したテーブルである。
例えば、音声データについては、アセット（ストリーム）単位の属性情報として、図２３〜図２６を参照して説明した
（Ｍ１）ストリームコンテンツ情報１６１、
（Ｍ２）コンポーネントタイプ１６２、
（Ｍ３）サンプリング周波数１６３、
これらの各データが記録されている。
【０２８３】
（ステップＳ１２４）
次に、ステップＳ１２４において、情報処理装置３００は、ＭＰＴ（ＭＭＴパッケージテーブル）から、アセットタイプが音声であるアセット記述子を選択する。
【０２８４】
（ステップＳ１２５）
次に、ステップＳ１２５において、情報処理装置３００は、ＭＰＴのアセットタイプ＝音声のアセット記述子（ａｓｓｅｔ＿ｄｅｓｃｒｉｐｔｏｒ）から、以下の音声属性情報を取得する。
（Ｍ２）コンポーネントタイプ１６２、
（Ｍ３）サンプリング周波数１６３。
【０２８５】
（ステップＳ１２６）
次に、ステップＳ１２６において、情報処理装置３００は、音声データ格納パケットから取得した音声属性情報、すなわち、図１８に示す、
音声オブジェクトタイプ（ａｕｄｉｏＯｂｊｅｃｔＴｙｐｅ）１４２、
さらに、ＭＰＴから取得した音声属性情報、すなわち、図２３〜図２６を参照して説明した、
（Ｍ２）コンポーネントタイプ１６２、
（Ｍ３）サンプリング周波数１６３、
これらの各情報を、クリップ情報ファイルに設定したストリームコーディングタイプ＝０ｘ１１以下の記録フィールドに記録する。
【０２８６】
すなわち、先に図１６を参照して説明した以下の各データ
（ａ）音声タイプ（ａｕｄｉｏ＿ｐｒｅｓｅｎｔａｔｉｏｎ＿ｔｙｐｅ）１３１
（ｂ）サンプリング周波数（ｓａｍｐｌｉｎｇ＿ｆｒｅｑｕｅｎｃｙ）１３２
（ｃ）音声オブジェクトタイプ（ａｕｄｉｏＯｂｊｅｃｔＴｙｐｅ）１３３
これらの各情報を、クリップ情報ファイルに設定したストリームコーディングタイプ＝０ｘ１１以下の記録フィールドに記録する。
【０２８７】
これらの処理により、所定の音声属性情報が記録されたクリップ情報ファイルが生成される。
ＢＤ等のメディアに記録されたデータの再生を行う再生装置は、クリップ情報ファイルに記録された音声オブジェクトタイプ（ａｕｄｉｏＯｂｊｅｃｔＴｙｐｅ）を参照することで、このクリップ情報ファイルの再生制御対象となる音声データが、
（１）ＭＰＥＧ４  ＡＡＣ  ＬＣ（ＬＡＴＭ／ＬＯＡＳ）符号化音声データ、
（２）ＭＰＥＧ４  ＡＬＳ（ＬＡＴＭ／ＬＯＡＳ）符号化音声データ、
これらのいずれの音声データであるかを識別することが可能となる。
【０２８８】
次に、図３０を参照して、先に説明した（実施例２）、すなわち、ＭＭＴパッケージテーブル（ＭＰＴ）から音声識別情報を取得する実施例に従ったクリップ情報ファイル生成処理の詳細シーケンスについて説明する。
図３０に示すフローの各ステップの処理について、順次、説明する。
【０２８９】
（ステップＳ１３１）
まず、ステップＳ１３１において、情報処理装置３００は、制御情報（ＳＩ）格納パケットから、ＭＭＴパッケージテーブル（ＭＰＴ）を取得する。
【０２９０】
ＭＭＴパッケージテーブル（ＭＰＴ）は、先に図２１〜図２６を参照して説明した様々なデータを格納したテーブルである。
例えば、音声データについては、アセット（ストリーム）単位の属性情報として、図２３〜図２６を参照して説明した
（Ｍ１）ストリームコンテンツ情報１６１、
（Ｍ２）コンポーネントタイプ１６２、
（Ｍ３）サンプリング周波数１６３、
これらの各データが記録されている。
【０２９１】
（ステップＳ１３２）
次に、ステップＳ１３２において、情報処理装置３００は、ＭＰＴ（ＭＭＴパッケージテーブル）から、アセットタイプが音声であるデータを選択する。
【０２９２】
（ステップＳ１３３）
次に、ステップＳ１３３において、情報処理装置３００は、ＭＰＴのアセットタイプ＝音声のアセット記述子（ａｓｓｅｔ＿ｄｅｓｃｒｉｐｔｏｒ）から、以下の音声属性情報を取得する。
（Ｍ１）ストリームコンテンツ情報１６１、
（Ｍ２）コンポーネントタイプ１６２、
（Ｍ３）サンプリング周波数１６３。
【０２９３】
（ステップＳ１３４）
次に、ステップＳ１３４において、情報処理装置３００は、ＭＰＴから取得した音声属性情報、すなわち、図２３〜図２６を参照して説明した、
（Ｍ１）ストリームコンテンツ情報１６１、
（Ｍ２）コンポーネントタイプ１６２、
（Ｍ３）サンプリング周波数１６３、
これらの各情報を、クリップ情報ファイルに設定したストリームコーディングタイプ＝０ｘ１１以下の記録フィールドに記録する。
【０２９４】
すなわち、先に図１９を参照して説明した以下の各データ
（ａ）音声タイプ（ａｕｄｉｏ＿ｐｒｅｓｅｎｔａｔｉｏｎ＿ｔｙｐｅ）１３１
（ｂ）サンプリング周波数（ｓａｍｐｌｉｎｇ＿ｆｒｅｑｕｅｎｃｙ）１３２
（ｃ）ストリームコンテンツ（ｓｔｒｅａｍ＿ｃｏｎｔｅｎｔ）１３５
これらの各情報を、クリップ情報ファイルに設定したストリームコーディングタイプ＝０ｘ１１以下の記録フィールドに記録する。
【０２９５】
これらの処理により、所定の音声属性情報が記録されたクリップ情報ファイルが生成される。
具体的には、ＢＤ等のメディアに記録されたデータの再生を行う再生装置は、クリップ情報ファイルに記録されたストリームコンテンツ（ｓｔｒｅａｍ＿ｃｏｎｔｅｎｔ）を参照することで、このクリップ情報ファイルの再生制御対象となる音声データが、
（１）ＭＰＥＧ４  ＡＡＣ  ＬＣ（ＬＡＴＭ／ＬＯＡＳ）符号化音声データ、
（２）ＭＰＥＧ４  ＡＬＳ（ＬＡＴＭ／ＬＯＡＳ）符号化音声データ、
これらのいずれの音声データであるかを識別することが可能となる。
【０２９６】
［８．情報記録媒体からのデータ再生処理を実行する情報処理装置の構成と処理について］
次に、図３１以下を参照して情報記録媒体からのデータ再生処理を実行する情報処理装置の構成と処理について説明する。
【０２９７】
再生処理を実行する情報処理装置は、装置に装着した情報記録媒体に記録されたデータの読み取り、再生処理を実行する。
【０２９８】
図３１は、ＢＤ等の情報記録媒体５１０に記録されたデータの再生処理を実行する情報処理装置４００の構成を示す図である。
情報処理装置４００は、図３１に示す情報記録媒体（記録メディア）５１０に記録されたデータを読み取り、出力装置（表示部＋スピーカ）５２０に出力する。なお、出力装置５２０は、例えばテレビ等であり、ディスプレイ、スピーカ等を備えた表示装置である。
なお、情報処理装置４００は先に図２７を参照して説明したデータ記録を行う情報処理装置３００と同一の装置である場合もある。すなわち、データ記録再生の両機能を有する情報処理装置である。
【０２９９】
情報記録媒体（記録メディア）５１０は、図２８〜図３０を参照して説明した処理によって生成されたクリップＡＶストリームファイルと、プレイリスト、クリップ情報ファイル等のデータベースが記録された記録媒体である。
【０３００】
なお、ＭＭＴフォーマット対応のクリップＡＶストリームファイルの再生に利用するクリップ情報ファイルには、音声データに関する各ストリーム（アセット）単位の音声属性情報として、各音声ストリームが、
（１）ＭＰＥＧ４  ＡＡＣ  ＬＣ（ＬＡＴＭ／ＬＯＡＳ）符号化音声データ、
（２）ＭＰＥＧ４  ＡＬＳ（ＬＡＴＭ／ＬＯＡＳ）符号化音声データ、
これらのいずれの音声データであるかを識別することが可能とした音声識別情報が記録されている。
【０３０１】
すなわち、先に図１６を参照して説明した以下の各データ、
（ａ）音声タイプ（ａｕｄｉｏ＿ｐｒｅｓｅｎｔａｔｉｏｎ＿ｔｙｐｅ）１３１
（ｂ）サンプリング周波数（ｓａｍｐｌｉｎｇ＿ｆｒｅｑｕｅｎｃｙ）１３２
（ｃ）音声オブジェクトタイプ（ａｕｄｉｏＯｂｊｅｃｔＴｙｐｅ）１３３
これらのデータが記録されている。
【０３０２】
または、先に図１９を参照して説明した以下の各データ、
（ａ）音声タイプ（ａｕｄｉｏ＿ｐｒｅｓｅｎｔａｔｉｏｎ＿ｔｙｐｅ）１３１
（ｂ）サンプリング周波数（ｓａｍｐｌｉｎｇ＿ｆｒｅｑｕｅｎｃｙ）１３２
（ｃ）ストリームコンテンツ（ｓｔｒｅａｍ＿ｃｏｎｔｅｎｔ）１３５
これらのデータが記録されている。
【０３０３】
図１６に示す例では、音声オブジェクトタイプ（ａｕｄｉｏＯｂｊｅｃｔＴｙｐｅ）１３３、
図１９に示す例では、ストリームコンテンツ（ｓｔｒｅａｍ＿ｃｏｎｔｅｎｔ）１３５、
これらのデータが、音声ストリームが、
（１）ＭＰＥＧ４  ＡＡＣ  ＬＣ（ＬＡＴＭ／ＬＯＡＳ）符号化音声データ、
（２）ＭＰＥＧ４  ＡＬＳ（ＬＡＴＭ／ＬＯＡＳ）符号化音声データ、
これらのいずれの音声データであるかを示す音声識別情報である。
【０３０４】
制御部４０１は、例えば、ユーザ入力部４０２からの再生指示情報の入力に基づいて、情報記録媒体５１０の記録データを、記録再生部４０４、ドライブ４０３を介して読み取り、データバッファとしての記憶部４０５に格納し、その格納データを再生処理部４０６に出力する。
【０３０５】
また、制御部４０１は、ユーザ入力部４０２からの録画コンテンツリスト表示指示情報の入力に基づいて、情報記録媒体５１０の記録データに基づいて、先に図９を参照して説明した録画コンテンツリストを生成して、出力装置（表示部）５２０に出力する。
【０３０６】
再生処理部４０６は、制御部４０１の制御の下、情報記録媒体５１０から読み出された再生データ、すなわち、画像、音声、字幕等の各データを格納したクリップＡＶストリームファイルから各データを取得して再生データを生成する。
【０３０７】
デマルチプレクサ（ＤｅＭＵＸ）４１１は、画像、音声、字幕、さらに、プレイリストファイル、クリップ情報ファイル等の各データを格納したデータ格納パケットを取得し、データ種別のパケットに分類し、各パケットを、データ種類に応じて、字幕データ生成部４１２、画像データ生成部４１３、音声データ生成部４１４、補助情報生成部４１５に出力する。
【０３０８】
字幕データ生成部４１２、画像データ生成部４１３、音声データ生成部４１４は、パケットに格納されたデータの復号処理等を実行し、復号データを出力データ生成部４１６に出力する。
出力データ生成部４１６は、字幕、画像、音声の各データを、入出力インタフェース４０７を介して出力装置（表示部＋スピーカ）５２０に出力する。
【０３０９】
なお、情報記録媒体５１０は、再生対象データを格納したストリームファイルとして、
ＭＰＥＧ−２ＴＳフォーマットデータを格納したストリームファイルと、
ＭＭＴフォーマットデータを格納したストリームファイルを有する場合がある。
情報処理装置４００は、各フォーマット対応のプレイリストファイルとクリップ情報ファイルを選択適用して、ＭＰＥＧ−２ＴＳフォーマットデータを格納したストリームファイル、および、ＭＭＴフォーマットデータを格納したストリームファイルの再生処理を実行することになる。
【０３１０】
補助情報生成部４１５は、例えば、プレイリストファイル、クリップ情報ファイルに格納されたデータを取得して録画コンテンツリストを生成し、生成リストが出力装置（表示部＋スピーカ）５２０に出力される。
【０３１１】
出力装置（表示部＋スピーカ）５２０は、情報処理装置４００から入力する字幕、画像、音声等の各データ、さらに録画コンテンツリストを、出力装置（表示部＋スピーカ）５２０を介して出力する。
【０３１２】
次に、図３１に示す情報処理装置４００が実行する情報記録媒体５１０からのＭＭＴフォーマットデータの再生処理に際して、再生対象となる音声データが、
（１）ＭＰＥＧ４  ＡＡＣ  ＬＣ（ＬＡＴＭ／ＬＯＡＳ）符号化音声データ、
（２）ＭＰＥＧ４  ＡＬＳ（ＬＡＴＭ／ＬＯＡＳ）符号化音声データ、
これらのいずれの音声データであるかを識別する音声識別処理シーケンスについて、図３２に示すフローチャートを参照して説明する。
【０３１３】
図３２に示すフローに従った処理は、例えば情報処理装置４００の記憶部に格納されたプログラムに従って、プログラム実行機能を有するＣＰＵを備えたデータ処理部（制御部）の制御の下で実行することができる。
【０３１４】
なお、図３２に示すフローに従った処理を実行する情報処理装置は、図３１に示す情報処理装置４００であり、情報記録媒体（記録メディア）５１０を装着し、装着した情報記録媒体５１０に記録されたデータを読み取り、出力装置（表示部＋スピーカ）５２０に出力する。なお、出力装置５２０は、例えばテレビ等であり、ディスプレイ、スピーカ等を備えた表示装置である。
【０３１５】
情報記録媒体（記録メディア）５１０は、図２８〜図３１を参照して説明した処理によって生成されたクリップＡＶストリームと、プレイリスト、クリップ情報ファイル等のデータベースが記録された記録媒体である。
以下、図３２のフローに示す各ステップの処理について、順次、説明する。
【０３１６】
（ステップＳ２０１）
まず、情報処理装置４００の制御部４０１は、ステップＳ２０１において、クリップ情報ファイルを取得する。
なお、ここで選択するクリップＡＶストリームファイルは、ＭＭＴフォーマットデータを格納したクリップＡＶストリームファイルの再生に利用するクリップＡＶストリームファイルであるものとする。
【０３１７】
（ステップＳ２０２）
次に、情報処理装置４００の制御部４０１は、ステップＳ２０２において、クリップ情報ファイルに記録されたストリームコーディングタイプ＝０ｘ１１の以下の記録フィールドから、再生対象音声データが、
（１）ＭＰＥＧ４  ＡＡＣ  ＬＣ（ＬＡＴＭ／ＬＯＡＳ）符号化音声データ、
（２）ＭＰＥＧ４  ＡＬＳ（ＬＡＴＭ／ＬＯＡＳ）符号化音声データ、
上記いずれの符号化音声データであるかを示す音声識別情報を取得する。
【０３１８】
これは、具体的には、図１６、または図１９に示すクリップ情報ファイルのプログラム情報［ＰｒｏｇｒａｍＩｎｆｏ（）］のストリームコーディング情報［ＳｔｒｅａｍＣｏｄｉｎｇＩｎｆｏ］の記録データに含まれる以下の情報を取得する処理である。
【０３１９】
クリップ情報ファイルの記録データが、図１６に示すデータ構成を有する場合は、
（ａ）音声タイプ（ａｕｄｉｏ＿ｐｒｅｓｅｎｔａｔｉｏｎ＿ｔｙｐｅ）１３１
（ｂ）サンプリング周波数（ｓａｍｐｌｉｎｇ＿ｆｒｅｑｕｅｎｃｙ）１３２
（ｃ）音声オブジェクトタイプ（ａｕｄｉｏＯｂｊｅｃｔＴｙｐｅ）１３３
これらのデータを取得する。
【０３２０】
一方、クリップ情報ファイルの記録データが、図１９に示すデータ構成を有する場合は、
（ａ）音声タイプ（ａｕｄｉｏ＿ｐｒｅｓｅｎｔａｔｉｏｎ＿ｔｙｐｅ）１３１
（ｂ）サンプリング周波数（ｓａｍｐｌｉｎｇ＿ｆｒｅｑｕｅｎｃｙ）１３２
（ｃ）ストリームコンテンツ（ｓｔｒｅａｍ＿ｃｏｎｔｅｎｔ）１３５
これらのデータを取得する。
【０３２１】
図１６に示す例では、音声オブジェクトタイプ（ａｕｄｉｏＯｂｊｅｃｔＴｙｐｅ）１３３、
図１９に示す例では、ストリームコンテンツ（ｓｔｒｅａｍ＿ｃｏｎｔｅｎｔ）１３５、
これらのデータが、音声ストリームが、
（１）ＭＰＥＧ４  ＡＡＣ  ＬＣ（ＬＡＴＭ／ＬＯＡＳ）符号化音声データ、
（２）ＭＰＥＧ４  ＡＬＳ（ＬＡＴＭ／ＬＯＡＳ）符号化音声データ、
これらのいずれの音声データであるかを示す音声識別情報である。
【０３２２】
（ステップＳ２０３）
次に、情報処理装置４００の制御部４０１は、ステップＳ２０３において、ステップＳ２０２でクリップ情報ファイルから読み取った音声識別情報に基づいて、再生対象となる音声データが、
（１）ＭＰＥＧ４  ＡＡＣ  ＬＣ（ＬＡＴＭ／ＬＯＡＳ）符号化音声データ、
（２）ＭＰＥＧ４  ＡＬＳ（ＬＡＴＭ／ＬＯＡＳ）符号化音声データ、
これらのいずれの音声データであるかを判定する。
【０３２３】
再生対象音声データが、
（１）ＭＰＥＧ４  ＡＡＣ  ＬＣ（ＬＡＴＭ／ＬＯＡＳ）符号化音声データ、
である場合は、ステップＳ２０４に進む。
一方、再生対象音声データが、
（２）ＭＰＥＧ４  ＡＬＳ（ＬＡＴＭ／ＬＯＡＳ）符号化音声データ、
である場合は、ステップＳ２０５に進む。
【０３２４】
（ステップＳ２０４）
再生対象音声データが、
（１）ＭＰＥＧ４  ＡＡＣ  ＬＣ（ＬＡＴＭ／ＬＯＡＳ）符号化音声データ、
である場合は、情報処理装置４００の制御部４０１は、ステップＳ２０４において、ＭＰＥＧ４  ＡＡＣ  ＬＣ（ＬＡＴＭ／ＬＯＡＳ）符号化音声データ対応のコーデックを適用した復号、再生処理を実行する。
【０３２５】
（ステップＳ２０５）
一方、再生対象音声データが、
（１）ＭＰＥＧ４  ＡＬＳ（ＬＡＴＭ／ＬＯＡＳ）符号化音声データ、
である場合は、情報処理装置４００の制御部４０１は、ステップＳ２０５において、ＭＰＥＧ４  ＡＬＳ（ＬＡＴＭ／ＬＯＡＳ）符号化音声データ対応のコーデックを適用した復号、再生処理を実行する。
【０３２６】
このように、クリップ情報ファイルには、再生対象となる音声データが、
（１）ＭＰＥＧ４  ＡＡＣ  ＬＣ（ＬＡＴＭ／ＬＯＡＳ）符号化音声データ、
（２）ＭＰＥＧ４  ＡＬＳ（ＬＡＴＭ／ＬＯＡＳ）符号化音声データ、
これらのいずれの音声データであるかを示す音声識別情報が記録されており、この情報を参照することで、正しい復号処理、再生処理を迅速に実行することが可能となる。
【０３２７】
次に、１つの番組等のコンテンツに対して、
（１）ＭＰＥＧ４  ＡＡＣ  ＬＣ（ＬＡＴＭ／ＬＯＡＳ）符号化音声データ、
（２）ＭＰＥＧ４  ＡＬＳ（ＬＡＴＭ／ＬＯＡＳ）符号化音声データ、
これら２種類の音声データが設定され、ユーザ（視聴者）による選択再生を可能としたコンテンツの再生シーケンス例について図３３に示すフローチャートを参照して説明する。
【０３２８】
図３３に示すフローに従った処理は、例えば情報処理装置４００の記憶部に格納されたプログラムに従って、プログラム実行機能を有するＣＰＵを備えたデータ処理部（制御部）の制御の下で実行することができる。
以下、図３３のフローに示す各ステップの処理について、順次、説明する。
【０３２９】
（ステップＳ３０１）
まず、情報処理装置４００の制御部４０１は、ステップＳ３０１において、クリップ情報ファイルを取得する。
なお、ここで選択するクリップＡＶストリームファイルは、ＭＭＴフォーマットデータを格納したクリップＡＶストリームファイルの再生に利用するクリップＡＶストリームファイルであるものとする。
【０３３０】
（ステップＳ３０２〜Ｓ３０３）
次に、情報処理装置４００の制御部４０１は、ステップＳ３０２〜Ｓ３０３において、クリップ情報ファイルに記録されたストリームコーディングタイプ＝０ｘ１１の以下の記録フィールドの記録情報に基づいて、再生対象音声データが、
（１）ＭＰＥＧ４  ＡＡＣ  ＬＣ（ＬＡＴＭ／ＬＯＡＳ）符号化音声データ、
（２）ＭＰＥＧ４  ＡＬＳ（ＬＡＴＭ／ＬＯＡＳ）符号化音声データ、
上記の２種類の符号化音声データを選択再生可能であるか否かを確認する。
【０３３１】
これは、具体的には、図１６、または図１９に示すクリップ情報ファイルのプログラム情報［ＰｒｏｇｒａｍＩｎｆｏ（）］のストリームコーディング情報［ＳｔｒｅａｍＣｏｄｉｎｇＩｎｆｏ］の記録データに含まれる以下の情報を取得する処理である。
【０３３２】
クリップ情報ファイルの記録データが、図１６に示すデータ構成を有する場合は、
（ａ）音声タイプ（ａｕｄｉｏ＿ｐｒｅｓｅｎｔａｔｉｏｎ＿ｔｙｐｅ）１３１
（ｂ）サンプリング周波数（ｓａｍｐｌｉｎｇ＿ｆｒｅｑｕｅｎｃｙ）１３２
（ｃ）音声オブジェクトタイプ（ａｕｄｉｏＯｂｊｅｃｔＴｙｐｅ）１３３
これらのデータを取得する。
【０３３３】
一方、クリップ情報ファイルの記録データが、図１９に示すデータ構成を有する場合は、
（ａ）音声タイプ（ａｕｄｉｏ＿ｐｒｅｓｅｎｔａｔｉｏｎ＿ｔｙｐｅ）１３１
（ｂ）サンプリング周波数（ｓａｍｐｌｉｎｇ＿ｆｒｅｑｕｅｎｃｙ）１３２
（ｃ）ストリームコンテンツ（ｓｔｒｅａｍ＿ｃｏｎｔｅｎｔ）１３５
これらのデータを取得する。
【０３３４】
図１６に示す例では、音声オブジェクトタイプ（ａｕｄｉｏＯｂｊｅｃｔＴｙｐｅ）１３３、
図１９に示す例では、ストリームコンテンツ（ｓｔｒｅａｍ＿ｃｏｎｔｅｎｔ）１３５、
これらのデータは、音声ストリーム単位で記録されており、１つの番組等のコンテンツに複数の音声ストリームが設定されている場合、各音声ストリーム単位で、
（１）ＭＰＥＧ４  ＡＡＣ  ＬＣ（ＬＡＴＭ／ＬＯＡＳ）符号化音声データ、
（２）ＭＰＥＧ４  ＡＬＳ（ＬＡＴＭ／ＬＯＡＳ）符号化音声データ、
これらのいずれの音声データであるかを示す音声識別情報が記録されている。
【０３３５】
ステップＳ３０２〜Ｓ３０３では、クリップ情報ファイルの記録データを参照して、
（１）ＭＰＥＧ４  ＡＡＣ  ＬＣ（ＬＡＴＭ／ＬＯＡＳ）符号化音声データ、
（２）ＭＰＥＧ４  ＡＬＳ（ＬＡＴＭ／ＬＯＡＳ）符号化音声データ、
上記の２種類の符号化音声データを選択再生可能であるか否かを確認する。
【０３３６】
２種類の符号化音声データを選択再生可能であることが確認された場合は、ステップＳ３０４に進む。
２種類の符号化音声データを選択再生可能でなく、いずれか一方のみ再生可能であることが確認された場合は、ステップＳ３０５に進む。
【０３３７】
（ステップＳ３０４）
２種類の符号化音声データを選択再生可能であることが確認された場合は、ステップＳ３０４において、情報処理装置４００の制御部４０１は、ＭＰＥＧ４  ＡＡＣ  ＬＣ符号化音声データと、ＭＰＥＧ４  ＡＬＳ符号化音声データの２つの音声データを、ユーザ（視聴者）に選択させるための表示情報を提示して、ユーザによる選択情報を入力する。
【０３３８】
（ステップＳ３０５）
ステップＳ３０４において、ユーザからの選択情報を入力した場合、または、
ステップＳ３０３で、２種類の符号化音声データを選択再生可能でなく、いずれか一方のみ再生可能であることが確認された場合は、ステップＳ３０５に進む。
【０３３９】
情報処理装置４００の制御部４０１は、ステップＳ３０５において、再生可能な１つの音声データ、またはユーザによって選択された音声データが、
（１）ＭＰＥＧ４  ＡＡＣ  ＬＣ（ＬＡＴＭ／ＬＯＡＳ）符号化音声データ、
（２）ＭＰＥＧ４  ＡＬＳ（ＬＡＴＭ／ＬＯＡＳ）符号化音声データ、
これらのいずれの音声データであるかを判定する。
【０３４０】
再生可能な１つの音声データ、またはユーザによって選択された音声データが、
（１）ＭＰＥＧ４  ＡＡＣ  ＬＣ（ＬＡＴＭ／ＬＯＡＳ）符号化音声データ、
である場合は、ステップＳ３０６に進む。
一方、再生可能な１つの音声データ、またはユーザによって選択された音声データが、
（２）ＭＰＥＧ４  ＡＬＳ（ＬＡＴＭ／ＬＯＡＳ）符号化音声データ、
である場合は、ステップＳ３０７に進む。
【０３４１】
（ステップＳ３０６）
再生可能な１つの音声データ、またはユーザによって選択された音声データが、
（１）ＭＰＥＧ４  ＡＡＣ  ＬＣ（ＬＡＴＭ／ＬＯＡＳ）符号化音声データ、
である場合は、情報処理装置４００の制御部４０１は、ステップＳ３０６において、ＭＰＥＧ４  ＡＡＣ  ＬＣ（ＬＡＴＭ／ＬＯＡＳ）符号化音声データ対応のコーデックを適用した復号、再生処理を実行する。
【０３４２】
（ステップＳ３０７）
一方、再生可能な１つの音声データ、またはユーザによって選択された音声データが、
（１）ＭＰＥＧ４  ＡＬＳ（ＬＡＴＭ／ＬＯＡＳ）符号化音声データ、
である場合は、情報処理装置４００の制御部４０１は、ステップＳ３０７において、ＭＰＥＧ４  ＡＬＳ（ＬＡＴＭ／ＬＯＡＳ）符号化音声データ対応のコーデックを適用した復号、再生処理を実行する。
【０３４３】
［９．情報処理装置の構成例について］
次に、情報記録媒体に対するデータ記録、情報記録媒体からのデータ再生を実行する情報処理装置として適用可能な情報処理装置のハードウェア構成例について、図３４を参照して説明する。
【０３４４】
ＣＰＵ（Ｃｅｎｔｒａｌ  Ｐｒｏｃｅｓｓｉｎｇ  Ｕｎｉｔ）６０１は、ＲＯＭ（Ｒｅａｄ  Ｏｎｌｙ  Ｍｅｍｏｒｙ）６０２、または記憶部６０８に記憶されているプログラムに従って各種の処理を実行するデータ処理部として機能する。例えば、上述した実施例において説明したシーケンスに従った処理を実行する。ＲＡＭ（Ｒａｎｄｏｍ  Ａｃｃｅｓｓ  Ｍｅｍｏｒｙ）６０３には、ＣＰＵ６０１が実行するプログラムやデータなどが記憶される。これらのＣＰＵ６０１、ＲＯＭ６０２、およびＲＡＭ６０３は、バス６０４により相互に接続されている。
【０３４５】
ＣＰＵ６０１はバス６０４を介して入出力インタフェース６０５に接続され、入出力インタフェース６０５には、各種スイッチ、キーボード、マウス、マイクロホンなどよりなる入力部６０６、ディスプレイ、スピーカなどよりなる出力部６０７が接続されている。ＣＰＵ６０１は、入力部６０６から入力される指令に対応して各種の処理を実行し、処理結果を例えば出力部６０７に出力する。
【０３４６】
入出力インタフェース６０５に接続されている記憶部６０８は、例えばハードディスク等からなり、ＣＰＵ６０１が実行するプログラムや各種のデータを記憶する。通信部６０９は、インターネットやローカルエリアネットワークなどのネットワークを介したデータ通信の送受信部、さらに放送波の送受信部として機能し、外部の装置と通信する。
【０３４７】
入出力インタフェース６０５に接続されているドライブ６１０は、磁気ディスク、光ディスク、光磁気ディスク、あるいはメモリカード等の半導体メモリなどのリムーバブルメディア６１１を駆動し、データの記録あるいは読み取りを実行する。
【０３４８】
［１０．本開示の構成のまとめ］
以上、特定の実施例を参照しながら、本開示の実施例について詳解してきた。しかしながら、本開示の要旨を逸脱しない範囲で当業者が実施例の修正や代用を成し得ることは自明である。すなわち、例示という形態で本発明を開示してきたのであり、限定的に解釈されるべきではない。本開示の要旨を判断するためには、特許請求の範囲の欄を参酌すべきである。
【０３４９】
なお、本明細書において開示した技術は、以下のような構成をとることができる。
（１）  ＭＭＴフォーマットデータを入力し、情報記録媒体に対するデータ記録フォーマットであるＢＤＡＶフォーマット、またはＳＰＡＶフォーマットに従った記録データを生成するデータ処理部を有し、
前記データ処理部は、
情報記録媒体に記録する音声データが、
（ａ）ＭＰＥＧ４  ＡＡＣ  ＬＣ（ＬＡＴＭ／ＬＯＡＳ）符号化音声データ、
（ｂ）ＭＰＥＧ４  ＡＬＳ（ＬＡＴＭ／ＬＯＡＳ）符号化音声データ、
上記（ａ），（ｂ）いずれの音声データであるかを識別可能とした音声識別情報をＢＤＡＶフォーマット、またはＳＰＡＶフォーマット規定のデータベースファイルに記録する処理を実行する情報処理装置。
【０３５０】
（２）  前記データ処理部は、
前記音声識別情報をクリップ情報ファイルに記録する（１）に記載の情報処理装置。
【０３５１】
（３）  前記データ処理部は、
音声データ格納パケットから前記音声識別情報を抽出して、前記データベースファイルに記録する（１）または（２）に記載の情報処理装置。
【０３５２】
（４）  前記データ処理部は、
音声データ格納パケット内に記録された音声オブジェクトタイプ（ａｕｄｉｏＯｂｊｅｃｔＴｙｐｅ）を抽出して、前記音声識別情報として前記データベースファイルに記録する（１）または（２）に記載の情報処理装置。
【０３５３】
（５）  前記データ処理部は、
ＭＭＴパッケージテーブル（ＭＰＴ）から前記音声識別情報を抽出して、前記データベースファイルに記録する（１）または（２）に記載の情報処理装置。
【０３５４】
（６）  前記データ処理部は、
ＭＭＴパッケージテーブル（ＭＰＴ）に記録されたストリームコンテンツ（ｓｔｒｅａｍ＿ｃｏｎｔｅｎｔ）を抽出して、前記音声識別情報として前記データベースファイルに記録する（１）または（２）に記載の情報処理装置。
【０３５５】
（７）  前記データ処理部は、
前記音声識別情報をクリップ情報ファイルのストリームコーディング情報［ＳｔｒｅａｍＣｏｄｉｎｇＩｎｆｏ］記録領域の同じコーディングタイプ（ｓｔｒｅａｍ＿ｃｏｄｉｎｇ＿ｔｙｐｅ）の属性情報記録領域に、
（ａ）ＭＰＥＧ４  ＡＡＣ  ＬＣ（ＬＡＴＭ／ＬＯＡＳ）符号化音声データ、
（ｂ）ＭＰＥＧ４  ＡＬＳ（ＬＡＴＭ／ＬＯＡＳ）符号化音声データ、
上記（ａ），（ｂ）いずれの音声データであるかを識別可能とした音声識別情報を記録する（１）〜（６）いずれかに記載の情報処理装置。
【０３５６】
（８）  前記同じコーディングタイプ（ｓｔｒｅａｍ＿ｃｏｄｉｎｇ＿ｔｙｐｅ）は、０ｘ１１である（７）に記載の情報処理装置。
【０３５７】
（９）  情報記録媒体の記録データの再生処理を実行するデータ処理部を有し、
前記情報記録媒体は、ＭＭＴフォーマットデータを、ＢＤＡＶフォーマット、またはＳＰＡＶフォーマットに従って記録したデータを格納した情報記録媒体であり、
前記データ処理部は、
ＢＤＡＶフォーマット、またはＳＰＡＶフォーマット規定のデータベースファイルであるプレイリストファイルとクリップ情報ファイルの記録情報を利用して、前記情報記録媒体に記録されたＭＭＴフォーマットデータの再生処理を実行する構成であり、
前記データ処理部は、
再生対象の音声データが、
（ａ）ＭＰＥＧ４  ＡＡＣ  ＬＣ（ＬＡＴＭ／ＬＯＡＳ）符号化音声データ、
（ｂ）ＭＰＥＧ４  ＡＬＳ（ＬＡＴＭ／ＬＯＡＳ）符号化音声データ、
上記（ａ），（ｂ）いずれのデータであるかを示す音声識別情報を、前記データベースファイルから取得し、取得情報に従って音声データの復号処理を実行する情報処理装置。
【０３５８】
（１０）  前記データ処理部は、
前記音声識別情報をクリップ情報ファイルから取得する（９）に記載の情報処理装置。
【０３５９】
（１１）  前記データ処理部は、
前記音声識別情報をクリップ情報ファイルのストリームコーディング情報［ＳｔｒｅａｍＣｏｄｉｎｇＩｎｆｏ］記録領域の同じコーディングタイプ（ｓｔｒｅａｍ＿ｃｏｄｉｎｇ＿ｔｙｐｅ）の属性情報記録領域から取得する（９）または（１０）に記載の情報処理装置。
【０３６０】
（１２）  前記同じコーディングタイプ（ｓｔｒｅａｍ＿ｃｏｄｉｎｇ＿ｔｙｐｅ）は、０ｘ１１である（１１）に記載の情報処理装置。
【０３６１】
（１３）  前記データ処理部は、
前記データベースファイルから取得した音声識別情報に基づいて、
再生可能な音声データが、
（ａ）ＭＰＥＧ４  ＡＡＣ  ＬＣ（ＬＡＴＭ／ＬＯＡＳ）符号化音声データ、
（ｂ）ＭＰＥＧ４  ＡＬＳ（ＬＡＴＭ／ＬＯＡＳ）符号化音声データ、
上記（ａ），（ｂ）の２種類のデータであると判定した場合、
再生対象とする音声データをユーザに選択させる表示情報を出力する（９）〜（１２）いずれかに記載の情報処理装置。
【０３６２】
（１４）  前記データ処理部は、
前記表示情報に対するユーザ選択情報を入力し、入力した選択情報に従って、再生対象とする音声データを選択する（１３）に記載の情報処理装置。
【０３６３】
（１５）  ＢＤＡＶフォーマット、またはＳＰＡＶフォーマットに従った記録データを記録した情報記録媒体であり、
情報記録媒体に記録された音声データが、
（ａ）ＭＰＥＧ４  ＡＡＣ  ＬＣ（ＬＡＴＭ／ＬＯＡＳ）符号化音声データ、
（ｂ）ＭＰＥＧ４  ＡＬＳ（ＬＡＴＭ／ＬＯＡＳ）符号化音声データ、
上記（ａ），（ｂ）いずれの音声データであるかを識別可能とした音声識別情報をＢＤＡＶフォーマット、またはＳＰＡＶフォーマット規定のデータベースファイルに記録した構成を有し、
再生装置が、前記データベースファイルに記録された音声識別情報に従って、再生対象とした音声データの種類を識別可能とした情報記録媒体。
【０３６４】
（１６）  ＢＤＡＶフォーマット、またはＳＰＡＶフォーマットに従った記録データが記録される情報記録媒体であり、
情報記録媒体に記録される音声データが、
（ａ）ＭＰＥＧ４  ＡＡＣ  ＬＣ（ＬＡＴＭ／ＬＯＡＳ）符号化音声データ、
（ｂ）ＭＰＥＧ４  ＡＬＳ（ＬＡＴＭ／ＬＯＡＳ）符号化音声データ、
上記（ａ），（ｂ）いずれの音声データであるかを識別可能とした音声識別情報を含むＢＤＡＶフォーマット、またはＳＰＡＶフォーマット規定のデータベースファイルを有し、
再生装置が、前記データベースファイルの音声識別情報に従って、再生対象とした音声データの種類を識別可能とした情報記録媒体。
【０３６５】
（１７）  情報処理装置において実行する情報処理方法であり、
前記情報処理装置は、
ＭＭＴフォーマットデータを入力し、情報記録媒体に対するデータ記録フォーマットであるＢＤＡＶフォーマット、またはＳＰＡＶフォーマットに従った記録データを生成するデータ処理部を有し、
前記データ処理部が、
情報記録媒体に記録する音声データが、
（ａ）ＭＰＥＧ４  ＡＡＣ  ＬＣ（ＬＡＴＭ／ＬＯＡＳ）符号化音声データ、
（ｂ）ＭＰＥＧ４  ＡＬＳ（ＬＡＴＭ／ＬＯＡＳ）符号化音声データ、
上記（ａ），（ｂ）いずれの音声データであるかを識別可能とした音声識別情報をＢＤＡＶフォーマット、またはＳＰＡＶフォーマット規定のデータベースファイルに記録する処理を実行する情報処理方法。
【０３６６】
（１８）  情報処理装置において実行する情報処理方法であり、
前記情報処理装置は、
情報記録媒体の記録データの再生処理を実行するデータ処理部を有し、
前記情報記録媒体は、ＭＭＴフォーマットデータを、ＢＤＡＶフォーマット、またはＳＰＡＶフォーマットに従って記録したデータを格納した情報記録媒体であり、
前記データ処理部が、
ＢＤＡＶフォーマット、またはＳＰＡＶフォーマット規定のデータベースファイルであるプレイリストファイルとクリップ情報ファイルの記録情報を利用して、前記情報記録媒体に記録されたＭＭＴフォーマットデータの再生処理を実行し、
前記再生処理に際して、再生対象の音声データが、
（ａ）ＭＰＥＧ４  ＡＡＣ  ＬＣ（ＬＡＴＭ／ＬＯＡＳ）符号化音声データ、
（ｂ）ＭＰＥＧ４  ＡＬＳ（ＬＡＴＭ／ＬＯＡＳ）符号化音声データ、
上記（ａ），（ｂ）いずれのデータであるかを示す音声識別情報を、前記データベースファイルから取得し、取得情報に従って音声データの復号処理を実行する情報処理方法。
【０３６７】
（１９）  情報処理装置において実行する情報処理を実行させるプログラムであり、
前記情報処理装置は、
ＭＭＴフォーマットデータを入力し、情報記録媒体に対するデータ記録フォーマットであるＢＤＡＶフォーマット、またはＳＰＡＶフォーマットに従った記録データを生成するデータ処理部を有し、
前記プログラムは、前記データ処理部に、
情報記録媒体に記録する音声データが、
（ａ）ＭＰＥＧ４  ＡＡＣ  ＬＣ（ＬＡＴＭ／ＬＯＡＳ）符号化音声データ、
（ｂ）ＭＰＥＧ４  ＡＬＳ（ＬＡＴＭ／ＬＯＡＳ）符号化音声データ、
上記（ａ），（ｂ）いずれの音声データであるかを識別可能とした音声識別情報をＢＤＡＶフォーマット、またはＳＰＡＶフォーマット規定のデータベースファイルに記録する処理を実行させるプログラム。
【０３６８】
（２０）  情報処理装置において実行する情報処理を実行させるプログラムであり、
前記情報処理装置は、
情報記録媒体の記録データの再生処理を実行するデータ処理部を有し、
前記情報記録媒体は、ＭＭＴフォーマットデータを、ＢＤＡＶフォーマット、またはＳＰＡＶフォーマットに従って記録したデータを格納した情報記録媒体であり、
前記プログラムは、前記データ処理部に、
ＢＤＡＶフォーマット、またはＳＰＡＶフォーマット規定のデータベースファイルであるプレイリストファイルとクリップ情報ファイルの記録情報を利用して、前記情報記録媒体に記録されたＭＭＴフォーマットデータの再生処理を実行させ、
前記再生処理に際して、再生対象の音声データが、
（ａ）ＭＰＥＧ４  ＡＡＣ  ＬＣ（ＬＡＴＭ／ＬＯＡＳ）符号化音声データ、
（ｂ）ＭＰＥＧ４  ＡＬＳ（ＬＡＴＭ／ＬＯＡＳ）符号化音声データ、
上記（ａ），（ｂ）いずれのデータであるかを示す音声識別情報を、前記データベースファイルから取得させ、取得情報に従って音声データの復号処理を行わせるプログラム。
【０３６９】
また、明細書中において説明した一連の処理はハードウェア、またはソフトウェア、あるいは両者の複合構成によって実行することが可能である。ソフトウェアによる処理を実行する場合は、処理シーケンスを記録したプログラムを、専用のハードウェアに組み込まれたコンピュータ内のメモリにインストールして実行させるか、あるいは、各種処理が実行可能な汎用コンピュータにプログラムをインストールして実行させることが可能である。例えば、プログラムは記録媒体に予め記録しておくことができる。記録媒体からコンピュータにインストールする他、ＬＡＮ（Ｌｏｃａｌ  Ａｒｅａ  Ｎｅｔｗｏｒｋ）、インターネットといったネットワークを介してプログラムを受信し、内蔵するハードディスク等の記録媒体にインストールすることができる。
【０３７０】
なお、明細書に記載された各種の処理は、記載に従って時系列に実行されるのみならず、処理を実行する装置の処理能力あるいは必要に応じて並列的にあるいは個別に実行されてもよい。また、本明細書においてシステムとは、複数の装置の論理的集合構成であり、各構成の装置が同一筐体内にあるものには限らない。
【産業上の利用可能性】
【０３７１】
以上、説明したように、本開示の一実施例の構成によれば、メディア記録ＭＭＴフォーマット音声データが、ＭＰＥＧ４  ＡＡＣ  ＬＣ音声データか、ＭＰＥＧ４  ＡＬＳ音声データかを迅速に確認可能とした構成が実現される。
具体的には、例えば、メディアに記録するＭＭＴフォーマット音声データが、ＭＰＥＧ４  ＡＡＣ  ＬＣ音声データであるか、ＭＰＥＧ４  ＡＬＳ音声データであるかを示す音声識別情報を記録したクリップ情報ファイルを生成してメディアに記録する。再生装置は、クリップ情報ファイルに記録された音声識別情報に基づいて、再生対象とする音声データが、ＭＰＥＧ４  ＡＡＣ  ＬＣ音声データであるか、ＭＰＥＧ４  ＡＬＳ音声データであるかを識別し、迅速な復号、再生を行うことができる。
本構成により、メディア記録ＭＭＴフォーマット音声データが、ＭＰＥＧ４  ＡＡＣ  ＬＣ音声データか、ＭＰＥＧ４  ＡＬＳ音声データかを迅速に確認可能とした構成が実現される。
【符号の説明】
【０３７２】
２０  送信装置
２１  放送サーバ
２２  データ配信サーバ
３０  情報処理装置
３１  記録再生装置
３２  ＴＶ
３３  ＰＣ
３４  携帯端末
４０  情報記録媒体（メディア）
４１  ＢＤ
４２  ＨＤＤ
４３  フラッシュメモリ
３００  情報処理装置
３０１  データ入力部
３０２  ユーザ入力部
３０３  制御部
３０４  記憶部
３０５  デマルチプレクサ
３０６  記録データ生成部
３０７  記録部
３０８  ドライブ
３１１  字幕データ生成部
３１２  画像データ生成部
３１３  音声データ生成部
３１４  補助情報生成部
３１５  マルチプレクサ
３１６  データベースファイル生成部
３２０  情報記録媒体
４００  情報処理装置
４０１  制御部
４０２  ユーザ入力部
４０３  ドライブ
４０４  記録再生部
４０５  記憶部
４０６  再生処理部
４０７  入出力Ｉ／Ｆ
４１１  デマルチプレクサ
４１２  字幕データ生成部
４１３  画像データ生成部
４１４  音声データ生成部
４１５  補助情報生成部
４１６  出力データ生成部
５１０  情報記録媒体
５２０  出力装置（表示部＋スピーカ）
６０１  ＣＰＵ
６０２  ＲＯＭ
６０３  ＲＡＭ
６０４  バス
６０５  入出力インタフェース
６０６  入力部
６０７  出力部
６０８  記憶部
６０９  通信部
６１０  ドライブ
６１１  リムーバブルメディア
【図１】
2018216424.tif 000003
【図２】
2018216424.tif 000004
【図３】
2018216424.tif 000005
【図４】
2018216424.tif 000006
【図５】
2018216424.tif 000007
【図６】
2018216424.tif 000008
【図７】
2018216424.tif 000009
【図８】
2018216424.tif 000010
【図９】
2018216424.tif 000011
【図１０】
2018216424.tif 000012
【図１１】
2018216424.tif 000013
【図１２】
2018216424.tif 000014
【図１３】
2018216424.tif 000015
【図１４】
2018216424.tif 000016
【図１５】
2018216424.tif 000017
【図１６】
2018216424.tif 000018
【図１７】
2018216424.tif 000019
【図１８】
2018216424.tif 000020
【図１９】
2018216424.tif 000021
【図２０】
2018216424.tif 000022
【図２１】
2018216424.tif 000023
【図２２】
2018216424.tif 000024
【図２３】
2018216424.tif 000025
【図２４】
2018216424.tif 000026
【図２５】
2018216424.tif 000027
【図２６】
2018216424.tif 000028
【図２７】
2018216424.tif 000029
【図２８】
2018216424.tif 000030
【図２９】
2018216424.tif 000031
【図３０】
2018216424.tif 000032
【図３１】
2018216424.tif 000033
【図３２】
2018216424.tif 000034
【図３３】
2018216424.tif 000035
【図３４】
2018216424.tif 000036
【国際調査報告】
2018216424.tif 000037
2018216424.tif 000038
2018216424.tif 000039
2018216424.tif 000040